(57)【要約】【課題】加熱室を共用するオーブン加熱源とマイクロ波加熱源とを備えた複合型加熱調理器、厨房家具及び加熱調理器の制御用プログラムを提供する。【解決手段】本体の内部に、マイクロ波加熱源と、加熱室と、加熱室を加熱するオーブン加熱源とを備え、本体の上部にはユーザーの操作を受け付ける入力操作部と、マイクロ波加熱源とオーブン加熱源に共用される統合表示部とを配置し、各加熱源の加熱動作と統合表示部の表示動作を制御する制御部を備え、入力操作部には、マイクロ波加熱源を利用した調理と、オーブン加熱源を利用した調理を実行するための制御メニュー群の中から、特定の制御メニューを選択するためのメニュー選択部を有し、制御部は、メニュー選択部が操作された場合、１つの制御メニューと、その制御メニューに適用される制御条件との組み合わせに関連する参考情報を、統合表示部に表示させる。【選択図】図３９
2020133994.tif 000002
【特許請求の範囲】
【請求項１】
マイクロ波加熱源を内蔵した本体と、
加熱室内を加熱するオーブン加熱源と、
ユーザーの操作を受け付ける入力操作部と、
前記マイクロ波加熱源と前記オーブン加熱源に共用される統合表示部と、
前記マイクロ波加熱源、前記オーブン加熱源及び前記統合表示部を制御する制御部と、を備え、
前記入力操作部には、制御メニュー群の中から特定の制御メニューを選択するためのメニュー選択部を有し、
前記制御部は、前記メニュー選択部が操作された場合、１つの制御メニューと、当該制御メニューに適用される制御条件との組み合わせに関連する参考情報を、前記統合表示部に表示させることを特徴とする複合型加熱調理器。
【請求項２】
前記入力操作部には、前記マイクロ波加熱源と前記オーブン加熱源の加熱動作を指令できるスタート選択部を更に備えていることを特徴とする請求項１に記載の複合型加熱調理器。
【請求項３】
前記制御部は、前記メニュー選択部が１回操作される毎に、前記制御メニュー群の中から特定の制御メニューを一定の順番で表示させることを特徴とする請求項１に記載の複合型加熱調理器。
【請求項４】
前記入力操作部には、前記マイクロ波加熱源と前記オーブン加熱源の加熱動作を指令できるスタート選択部を更に備え、
前記制御部は、前記参考情報を前記統合表示部に表示させている状態で、前記スタート選択部が操作された場合、前記特定の制御メニューの実行を開始することを特徴とする請求項１に記載の複合型加熱調理器。
【請求項５】
前記メニュー選択部と前記スタート選択部は、前記入力操作部にそれぞれ設けたタッチ式入力キーによって構成していることを特徴とする請求項２又は４に記載の複合型加熱調理器。
【請求項６】
前記制御条件は、前記マイクロ波加熱源と前記オーブン加熱源の加熱強度を示すレベル、マイクロ波出力値、加熱目標温度、加熱時間の、少なくとも何れか１つであることを特徴とする請求項１に記載の複合型加熱調理器。
【請求項７】
前記制御部は、前記入力操作部によって、前記マイクロ波加熱源と前記オーブン加熱源の何れかが選択される前においては、前記統合表示部において、前記マイクロ波加熱源と前記オーブン加熱源の待機時共通情報を表示することを特徴とする請求項１に記載の複合型加熱調理器。
【請求項８】
前記メニュー選択部及び前記スタート選択部に、それぞれに対応させて設けた発光部と、前記メニュー選択部及び前記スタート選択部の入力機能が有効である場合に、前記発光部を、第１の発光形態で発光させる発光手段と、を更に備え、
前記制御部は、前記参考情報を表示させた場合、前記スタート選択部に対応している前記発光部だけを、前記発光手段によって第２の発光形態で発光させることを特徴とする請求項２に記載の複合型加熱調理器。
【請求項９】
前記メニュー選択部の入力機能が有効である場合に第１の発光形態で前記メニュー選択部に対応した発光部を発光させるとともに、前記スタート選択部の入力機能が有効である場合に当該スタート選択部に対応した発光部を第２の発光形態で発光させる発光手段を、更に備え、
前記制御部は、前記参考情報を表示させた場合、前記メニュー選択部に対応した前記発光部を第１の発光形態で発光させ、前記スタート選択部に対応している前記発光部を、第２の発光形態で発光させることを特徴とする請求項２に記載の複合型加熱調理器。
【請求項１０】
前記統合表示部には、前記本体の上方に向けて表示する表示画面を有し、
前記表示画面よりも前方で、かつ前記本体の上面に前記入力操作部を配置し、
前記表示画面は、前記制御メニューを表示する第１エリアと、前記制御条件を示す情報を表示する第２エリアと、前記参考情報を表示する第３エリアと、が一直線上に並んでいることを特徴とする請求項１〜３の何れか１つに記載の複合型加熱調理器。
【請求項１１】
前記統合表示部には、前記本体の上方に向けて表示する表示画面を有し、
前記表示画面よりも前方で、かつ前記本体の上面に前記入力操作部を配置し、
前記表示画面は、前記制御メニューを表示する第１エリアと、前記制御条件を表示する第２エリアと、前記参考情報を表示する第３エリアと、が一直線上に並んでおり、
前記表示画面よりも手前の位置には、前記第１エリアに対応して、前記メニュー選択部が配置され、
前記表示画面よりも手前の位置には、前記第２エリアに対応して、前記制御条件を指定する指定キーが、更に配置されていることを特徴とする請求項１〜３の何れか１つに記載の複合型加熱調理器。
【請求項１２】
前記表示画面は、前記制御メニューを表示する第１エリアと、前記制御条件を示す情報を表示する第２エリアと、前記参考情報を表示する第３エリアと、が一直線上に並んでおり、
前記表示画面よりも手前の位置には、前記第１エリアに対応して、前記メニュー選択部が配置され、
前記制御部は、１つの制御メニューに適用される前記制御条件の候補を複数記憶しており、
前記指定キーが操作される毎に、複数の前記制御条件の候補の中から、１つ又は複数ずつを前記第２エリアの特定の位置に表示させることを特徴とする請求項１１に記載の複合型加熱調理器。
【請求項１３】
前記制御部は、前記入力操作部によって、前記マイクロ波加熱源と前記オーブン加熱源の何れかが選択される前においては、前記表示画面において、前記マイクロ波加熱源と前記オーブン加熱源の待機時共通情報を表示し、前記マイクロ波加熱源と前記オーブン加熱源の何れかが選択された後においては、前記第１エリア、前記第２エリア及び前記第３エリアに区画して表示をすることを特徴とする請求項１０又は１１に記載の複合型加熱調理器。
【請求項１４】
前記メニュー選択部は、前記制御メニュー群に含まれる個々の制御メニューを、互いに反対の順番で表示させる１対の入力キーを備えていることを特徴とする請求項１〜３の何れか１つに記載の複合型加熱調理器。
【請求項１５】
前記表示画面の左側から右方向へ、前記第１エリア、前記第２エリア、及び前記第３エリアが、順次配置されていることを特徴とする請求項１０又は１１に記載の複合型加熱調理器。
【請求項１６】
前記制御条件を示す情報は、前記第２エリアの前後方向の中央部に表示され、当該中央部の後方と前方の隣接した位置には、前記指定キーによって前記中央部へ表示位置が変更される別の制御条件を示す情報を、それぞれ表示させることを特徴とする請求項１１に記載の複合型加熱調理器。
【請求項１７】
前記メニュー選択部によって、前記第１エリアに、前記マイクロ波加熱源を使用する制御メニューを表示させた場合、前記第２エリアには、マイクロ波加熱源の出力強度を表示させ、前記第３エリアには、マイクロ波で加熱する時間の情報を表示させることを特徴とする請求項１０又は１１に記載の複合型加熱調理器。
【請求項１８】
前記オーブン加熱源は、輻射式電気ヒータであり、
前記第１エリアに、前記電気ヒータを使用する前記制御メニューを表示させた場合、前記第２エリアには、前記制御条件の１つとして前記加熱室の目標温度の情報を表示させ、前記第３エリアには、前記電気ヒータを通電する加熱時間の情報を表示させることを特徴とする請求項１０又は１１に記載の複合型加熱調理器。
【請求項１９】
前記制御部は、前記オーブン加熱源の制御部と、前記マイクロ波加熱源の制御部と、これら２つの制御部を制御する統合制御装置と、を備えていることを特徴とする請求項１に記載の複合型加熱調理器。
【請求項２０】
前記制御部は、前記マイクロ波加熱源と前記オーブン加熱源の両方を制御する制御装置と、この制御装置を制御する統合制御装置と、を備えていることを特徴とする請求項１に記載の複合型加熱調理器。
【請求項２１】
前記マイクロ波加熱源と前記オーブン加熱源に対して電力を供給する主電源回路を開閉するための主電源スイッチを更に備え、
前記入力操作部には、前記主電源スイッチの開閉操作部を有し、
前記開閉操作部の操作を検知して、前記主電源回路を開放する電源スイッチ検知手段を、更に備えていることを特徴とする請求項１に記載の複合型加熱調理器。
【請求項２２】
前記制御部は、前記入力操作部によって、前記マイクロ波加熱源と前記オーブン加熱源の何れかが選択される前においては、前記統合表示部において、前記マイクロ波加熱源と前記オーブン加熱源の待機時共通情報を表示し、
前記制御部は、前記制御メニューを実行して、前記マイクロ波加熱源又は前記オーブン加熱源による加熱動作が終了した後は、次の加熱調理の開始前の期間中に、前記待機時共通情報を前記統合表示部で表示することを特徴とする請求項１に記載の複合型加熱調理器。
【請求項２３】
前記制御部は、前記マイクロ波加熱源が使用される前記制御メニューを、前記表示画面に表示させた場合、前記マイクロ波加熱源の使用を識別できる情報を表示させることを特徴とする請求項１０又は１１に記載の複合型加熱調理器。
【請求項２４】
前記制御部は、前記マイクロ波加熱源が使用される前記制御メニューを、前記表示画面の第１のエリアに表示させた場合、前記マイクロ波加熱源の使用を識別できる情報を、前記第２エリアに表示させることを特徴とする請求項１０又は１１に記載の複合型加熱調理器。
【請求項２５】
前記加熱室の温度計測部を更に備え、
前記制御部は、前記マイクロ波加熱源による加熱調理の開始前の段階において、前記温度計測部によって前記加熱室の温度が基準値よりも高いことを検知した場合には、前記マイクロ波加熱源を使用して、被調理物の温度を検知しながら調理する自動調理を行わないことを特徴とする請求項１〜３の何れか１つに記載の複合型加熱調理器。
【請求項２６】
前記加熱室の温度計測部を更に備え、
前記制御部は、前記マイクロ波加熱源による加熱調理の開始前の段階において、前記温度計測部によって前記加熱室の温度が基準値よりも高いことを検知した場合には、前記マイクロ波加熱源を使用して、被調理物の温度を検知しながら調理する自動調理を行わず、
前記統合表示部において、マイクロ波加熱調理の制限を示す情報を表示することを特徴とする請求項１〜３の何れか１つに記載の複合型加熱調理器。
【請求項２７】
前記加熱室の温度計測部を更に備え、
前記制御部は、前記マイクロ波加熱源が使用される前記制御メニューとして、前記温度計測部によって前記加熱室の温度が基準値よりも高いことを検知した場合に、前記マイクロ波加熱源による加熱を停止させる自動加熱メニューと、ユーザーにより決定された設定時間だけマイクロ波加熱を行う手動加熱メニューとを、有し、
前記自動加熱メニューでは、マイクロ波加熱を停止させる前記基準値を示す温度を前記第２エリアに表示させ、
前記手動加熱メニューでは、前記第２エリアには、マイクロ波出力値を表示し、前記第３エリアには加熱時間を表示させることを特徴とする請求項１０又は１１に記載の複合型加熱調理器。
【請求項２８】
前記本体の上面には、被加熱物が載置されるトッププレートを更に備え、
前記本体の内部には、前記トッププレートを介して前記被加熱物を加熱する誘導加熱源を更に配置し、
前記誘導加熱源専用の表示部を、更に備えたことを特徴とする請求項１に記載の複合型加熱調理器。
【請求項２９】
被加熱物が載置されるトッププレートを上面に有した本体と、
前記本体の内部に設置され、前記トッププレートを介して前記被加熱物を加熱する誘導加熱源と、
前記本体の内部で前記誘導加熱源よりも下方に設置され、ドアによって前面開口部が開閉自在に閉鎖される加熱室と、
前記加熱室にマイクロ波を供給するマイクロ波加熱源と、
前記加熱室を加熱するオーブン加熱源と、
前記本体の上面前方部に左右方向に長く設置された入力操作部と、
前記入力操作部の指令を受けて、前記誘導加熱源と、マイクロ波加熱源と、前記オーブン加熱源とを制御する制御部と、を備え、
前記誘導加熱源は、前記トッププレートの左側部分にある左加熱部と、前記トッププレートの右側部分にある右加熱部と、を有し、
前記入力操作部は、中央部に前記マイクロ波加熱源と前記オーブン加熱源用の中央操作部を配置し、この中央操作部の左側に前記左加熱部用の左操作部を、また当該中央操作部の右側に前記右加熱部用の右操作部を配置し、
前記中央操作部に隣接した位置には、前記誘導加熱源と、前記マイクロ波加熱源と前記オーブン加熱源のための、加熱動作開始前の待機時共通情報を表示でき、かつ前記マイクロ波加熱源と前記オーブン加熱源のための、複数の制御メニューが同時に表示可能な統合表示部を配置し、
前記制御部は、電源が供給されると、前記統合表示部に前記待機時共通情報を表示し、また、前記中央操作部、前記右操作部及び前記左操作部からの指令を待つ入力待機状態になることを特徴とする複合型加熱調理器。
【請求項３０】
前記統合表示部には、表示画面を備え、
前記制御部は、前記表示画面に、前記待機時共通情報を表示し、その後、前記入力待機状態の動作をすることを特徴とする請求項２９に記載の複合型加熱調理器。
【請求項３１】
前記統合表示部には、表示画面を備え、
前記制御部は、前記待機時共通情報を表示した表示画面と、前記入力待機状態を表示した表示画面とを、交互に切り替えて前記表示画面に表示させることを特徴とする請求項２９に記載の複合型加熱調理器。
【請求項３２】
前記統合表示部には、表示画面を備え、
前記表示画面よりも前方に前記中央操作部を配置し、
前記表示画面は、前記制御メニューを表示する第１エリアと、当該制御メニューに適用される制御条件を表示する第２エリアと、が隣接していることを特徴とする請求項２９に記載の複合型加熱調理器。
【請求項３３】
前記統合表示部には、表示画面を備え、
前記表示画面よりも前方に前記中央操作部を配置し、
前記表示画面は、前記制御メニューを表示する第１エリアと、当該第１エリアに表示された１つの前記制御メニューに適用される制御条件を表示する第２エリアと、前記第１エリアに表示された１つの前記制御メニューと、前記第２エリアに表示された前記制御条件との組み合わせに関連する参考情報を表示する第３エリアとが、一直線上に並んでいることを特徴とする請求項２９に記載の複合型加熱調理器。
【請求項３４】
前記中央操作部には、前記第１エリアに表示された前記制御メニューを選択するメニュー選択部が、更に配置され、
前記中央操作部には、前記第２エリアに表示された前記制御条件を指定する指定キーが、更に配置され、
前記制御部は、前記制御メニューに適用される前記制御条件を複数記憶しており、
前記指定キーが操作される毎に、記憶している複数の前記制御条件の中から、１つ又は複数ずつを前記第２エリアの特定の位置に表示させることを特徴とする請求項３２又は３３に記載の複合型加熱調理器。
【請求項３５】
上面に設置口を有し、当該設置口の中に請求項１又は２９に記載の複合型加熱調理器を設置していることを特徴とする厨房家具。
【請求項３６】
加熱室内で被調理物を加熱するマイクロ波加熱源と、
前記加熱室内を加熱するオーブン加熱源と、
ユーザーの操作を受け付ける入力操作部と、
前記マイクロ波加熱源と前記オーブン加熱源に共用される統合表示部と、
前記マイクロ波加熱源と前記オーブン加熱源を制御する制御部と、を備えた複合型加熱調理器の制御用コンピュータで実行されるものであって、
前記入力操作部に配置したメニューキーから、制御メニュー群の中から特定の制御メニューを選択するための信号を受信するステップ１と、
前記メニューキーが押下されたと判断したあと、１つの前記制御メニューと、当該制御メニューに適用される制御条件を示す情報を、前記統合表示部に表示させるステップ２と、
前記制御メニューと前記制御条件との組み合せに対応した加熱調理の参考情報を前記統合表示部に表示させるステップ３と、
前記入力操作部から前記マイクロ波加熱源と前記オーブン加熱源の加熱動作の指令信号を受信するステップ４と、
を含むことを特徴とする複合型加熱調理器の制御用プログラム。
【発明の詳細な説明】
【技術分野】
【０００１】
本発明は、トッププレートの上に置かれた鍋等の被加熱物を加熱する複合型加熱調理器と、これを備えたキッチンカウンター等の厨房家具及び複合型加熱調理器の制御用プログラムに関するものである。
【背景技術】
【０００２】
加熱調理器は、使用される環境から見て、大きく分けて３種類ある。
その内の１つは、キッチンカウンター等の厨房家具の中に設置される、所謂「ビルトイン式（組込式）」である。
２つ目は、厨房家具の所定の位置に、ガス台（「ガス燃焼式テーブル」ともいう）等のように置かれて使用される「据置式」である。
３つ目は、食卓等の上の任意の位置に置かれて使用される、小型で可搬式の「卓上式」である。
【０００３】
「ビルトイン式」の加熱調理器は、厨房家具の中に設置されるため、一般的な厨房家具の規格に合わせて外形寸法を設計しなければならず、「据置式」や「卓上式」のものに比較して設計の自由度は格段に少なく、実用的な製品にするための難易度は高い。
【０００４】
ビルトイン式加熱調理器では、調理の幅を拡大できるように、本体の内部に電気ヒータで加熱されるグリル庫（「オーブン室」又は「加熱室」ともいう）を具備したものがある。そのグリル庫では、前面に設けられた扉を開け、魚等の被加熱物を挿入して扉を閉め、前記電気ヒータの輻射熱により加熱して調理が可能である（例えば、特許文献１参照）。
【０００５】
また、従来から誘導加熱とマイクロ波加熱という２つの異なる加熱方式を備えたものが複合型加熱調理器として提案されている（特許文献２参照）。また、２つの異なる加熱方式を利用し、加熱調理器の天井部における誘導加熱、加熱室での誘導加熱及び当該加熱室でのマイクロ波加熱、という３つの加熱形態を、択一的に選択できる複合型加熱調理器も提案されている（特許文献３参照）。
しかしながら、これら２つの特許文献で示す技術は、加熱調理器の外殻寸法や形状等を（ビルトイン式に比較して）遥かに自由に決定できる「据置式」を前提にしたものであった。
【０００６】
一方、加熱調理器において、ユーザーの使い勝手に大きな影響を与える入力操作部と、この入力操作結果又は加熱調理できる調理メニュー等をユーザーに表示する表示部について、色々な提案が従来から行われている。特に２種類以上の加熱源を備えたものでは、加熱源毎に入力操作部と表示部を設置したタイプと、２つの加熱源に共通な表示部及び入力操作部を用意したタイプに大別される。
【０００７】
ビルトイン式複合型加熱調理器では、前述したように加熱調理器の外殻の寸法や形状も制約が多いため、２つの加熱源に共通の表示部及び入力操作部を設けたタイプが主流になっている（特許文献４〜７参照）。
【先行技術文献】
【特許文献】
【０００８】
【特許文献１】特開２００８−５３０７５号公報（第５頁、図８）
【特許文献２】実開昭５３−４４３４５号公報（第１頁、図２）
【特許文献３】特開昭５２−３７２４２号公報（第１頁、図１）
【特許文献４】特開２０１７−１７２９４０号公報（第１頁、図１）
【特許文献５】特開２０１３−１８１７０７号公報（第１頁、図４）
【特許文献６】特開２０１５−１９４２８９号公報（第１頁、図３）
【特許文献７】特開２０１６−０７２０７９号公報（第１頁、図９）
【発明の概要】
【発明が解決しようとする課題】
【０００９】
従来のビルトイン式加熱調理器では、誘導加熱源と輻射式電気ヒータを併用したものが提供されている。またガスバーナと輻射式電気ヒータを備えた加熱室のものも提案されている。しかしながら、何れのものでも、マイクロ波加熱を利用するものは実用化されていない。この背景として、マイクロ波を利用する場合、マイクロ波の漏洩防止等、幾つかの難しい技術的問題を克服する必要がある。
例えば、加熱室内部でマイクロ波加熱を実現させるには、マグネトロンに代表されるマイクロ波発振器や、その発振器を冷却する冷却ファン、マイクロ波を加熱室の内部に案内する導波管、マイクロ波を前記加熱室内へ拡散させるアンテナ装置等の重要な電気部品、構造物等が必要となるが、これらの構造物は、マイクロ波を扱う性質上、小型化が困難である上、電気ヒータやガスバーナ等と性質の異なるマイクロ波特有の対策が必要となる。
【００１０】
マイクロ波を利用した加熱では、食品等の被調理物自体を、その内部から高速度で加熱できるため、ガスバーナや輻射式電気ヒータ、誘導加熱式ヒータ等の加熱源では実現できない調理にも対応でき、利用が期待されている。しかしながら、マイクロ波の加熱特性は、ガスバーナや誘導加熱等と大きく異なるため、入力操作部と表示部において、ユーザーに適時、適切な情報を提供しないと、ユーザーの操作性、利便性を損ない、迅速な調理を妨げる懸念がある。また、調理の失敗の原因にも繋がり、ユーザーの期待を損なう懸念もある。
【００１１】
本発明の第１の目的は、誘導加熱や輻射式又は伝熱式等の方式のオーブン加熱源と、マイクロ波加熱源とを利用できる加熱調理器を提案し、更に入力操作部と表示部を共用することによって、各種の加熱調理に幅広く対応できる、利便性の高い複合型加熱調理器を得ることにある。
【００１２】
また、本発明は、前述のような課題を解決した複合型加熱調理器を具備した厨房家具を提供することを第２の目的とする。
【００１３】
また、本発明は、前述のような課題を解決した複合型加熱調理器に適するコンピュータ用の制御プログラムを提供することを第３の目的とする。
【課題を解決するための手段】
【００１４】
第１の課題に関係する第１の発明の複合型加熱調理器は、
マイクロ波加熱源を内蔵した本体と、
加熱室内を加熱するオーブン加熱源と、
ユーザーの操作を受け付ける入力操作部と、
前記マイクロ波加熱源と前記オーブン加熱源に共用される統合表示部と、
前記マイクロ波加熱源と前記オーブン加熱源を制御する制御部と、を備え、
前記入力操作部には、制御メニュー群の中から特定の制御メニューを選択するためのメニュー選択部を有し、
前記制御部は、前記メニュー選択部が操作されたと判断すると、１つの制御メニューと、当該制御メニューに適用される制御条件との組み合わせを示す情報を、前記統合表示部に表示させることを特徴とする構成である。
【００１５】
第１の課題に関係する第２の発明の複合型加熱調理器は、
被加熱物が載置されるトッププレートを上面に有した本体と、
前記本体の内部に設置され、前記トッププレートを介して前記被加熱物を加熱する誘導加熱源と、
前記本体の内部で前記誘導加熱源よりも下方に設置され、ドアによって前面開口部が開閉自在に閉鎖される加熱室と、
前記加熱室にマイクロ波を供給するマイクロ波加熱源と、
前記加熱室を加熱するオーブン加熱源と、
前記本体の上面前方部に左右方向に長く設置された入力操作部と、
前記入力操作部の指令を受けて、前記誘導加熱源と、マイクロ波加熱源と、前記オーブン加熱源とを制御する制御装置と、を備え、
前記誘導加熱源は、前記トッププレートの左側部分にある左加熱部と、前記トッププレートの右側部分にある右加熱部と、を有し、
前記入力操作部は、中央部に前記マイクロ波加熱源と前記オーブン加熱源用の中央操作部を配置し、この中央操作部の左側に前記左加熱部用の左操作部を、また当該中央操作部の右側に前記右加熱部用の右操作部を配置し、
前記中央操作部に隣接した位置には、前記誘導加熱源と、前記マイクロ波加熱源と、前記オーブン加熱源のための、加熱動作開始前の待機時共通情報を表示でき、かつ前記マイクロ波加熱源と前記オーブン加熱源のための、複数の制御メニューが同時に表示可能な表示画面を有する統合表示部を配置し、
前記制御手段は、電源が供給されると、前記統合表示部において、前記待機時共通情報を表示し、また、前記中央操作部、前記右操作部及び前記左操作部からの指令を待つ入力待機状態になることを特徴とする構成である。
【００１６】
第２の課題に関係する第３の発明の厨房家具は、上面に設置口を有し、当該設置口の中に前記第１の発明及び第２の発明の何れか１つの複合型加熱調理器を設置している構成である。
【００１７】
第３の課題に関係する第４の発明の複合型加熱調理器の制御用プログラムは、
加熱室内で被調理物を加熱するマイクロ波加熱源と、
前記加熱室内を加熱するオーブン加熱源と、
ユーザーの操作を受け付ける入力操作部と、
前記マイクロ波加熱源と前記オーブン加熱源に共用される統合表示部と、
前記マイクロ波加熱源と前記オーブン加熱源を制御する制御部と、を備えた複合型加熱調理器の制御に用いられるコンピュータで実行されるものものであって、
前記入力操作部に配置したメニューキーから、制御メニュー群の中から特定の制御メニューを選択するための信号を受信するステップ１と、
前記メニューキーが押下されたと判断したあと、１つの前記制御メニューと、当該制御メニューに適用される制御条件を示す情報を、前記統合表示部に表示させるステップ２と、
前記制御メニューと前記制御条件との組み合せに対応した加熱調理の参考情報を前記統合表示部に表示させるステップ３と、
前記入力操作部から前記マイクロ波加熱源と前記オーブン加熱源の加熱動作の指令信号を受信するステップ４と、
を含むことを特徴とする構成である。
【発明の効果】
【００１８】
本発明によれば、オーブン加熱源と、マイクロ波加熱源とを利用して各種の加熱調理に幅広く対応できる、利便性の高い複合型加熱調理器、厨房家具及び複合型加熱調理器の制御用プログラムを提供することができる。
【図面の簡単な説明】
【００１９】
【図１】本発明の実施の形態１に係るビルトイン式の複合型加熱調理器が設置される厨房家具の全体を示す斜視図である。
【図２】図１に示す加熱調理器を、組み込む前の厨房家具の状態を示す斜視図である。
【図３】図１に示す加熱調理器を厨房家具に組み込む作業の途中段階を示す模式図である。
【図４】図１の厨房家具と加熱調理器の寸法関係を示す縦断面模式図である。
【図５】図４に示す厨房家具の前方の一部を拡大して示す縦断面模式図である。
【図６】図１に示す加熱調理器の平面図である。
【図７】図１の加熱調理器を、図６のＹ−Ｙ線で切断した場合の縦断面図である。
【図８】図１の加熱調理器を、図６のＺ−Ｚ線で切断し、冷却風の流れを示した縦断面図である。
【図９】図１の加熱調理器を、図７のＷ−Ｗ線で切断した場合の縦断面図である。
【図１０】図１の加熱調理器を、図７のＹ−Ｙ線で切断した場合の縦断面図である。
【図１１】図１の加熱調理器を、図７のＶ−Ｖ線で切断した場合の縦断面図である。
【図１２】図１の加熱調理器を、図７のＸ−Ｘ線で切断した場合の縦断面図である。
【図１３】図１の加熱調理器の上部ユニットの操作部を説明するための簡略平面図である。
【図１４】図１の加熱調理器において、入力操作部と各種表示部の配置を説明するための前方部分の平面図である。
【図１５】図１の加熱調理器の中央操作部と統合表示部を示す拡大平面図である。
【図１６】図１の加熱調理器の右操作部と右側表示部の拡大平面図である。
【図１７】図１の加熱調理器の左操作部と左側表示部の拡大平面図である。
【図１８】図１の加熱調理器の上部ユニット内部の冷却風の流れを示す簡略横断面図である。
【図１９】図１の加熱調理器の主要な制御関係を示すブロック図１である。
【図２０】図１の加熱調理器の主要な制御装置を示すブロック図２である。
【図２１】図１の加熱調理器の主要な冷却風路を示す説明図である。
【図２２】図１の加熱調理器のインバーター回路の詳細を示す回路図である。
【図２３】図１の加熱調理器の統合表示部における主要な制御メニューと表示エリアの対応関係を示す一覧表である。
【図２４】図１の加熱調理器の制御動作を説明するためのフローチャート１である。
【図２５】図１の加熱調理器の制御動作を説明するためのフローチャート２である。
【図２６】図１の加熱調理器の制御動作を説明するためのフローチャート３である。
【図２７】図１の加熱調理器の制御動作を説明するためのフローチャート４である。
【図２８】図１の加熱調理器の制御動作を時系列で説明するための説明図１である。
【図２９】図１の加熱調理器の制御動作を時系列で説明するための説明図２である。
【図３０】図１の加熱調理器の冷却ファンと、加熱調理の種類との対応関係を示す一覧表である。
【図３１】図１の誘導加熱調理器において、誘導加熱調理の１種である揚げ物調理（自動）を行った場合の制御動作を説明するフローチャートである。
【図３２】図１の加熱調理器の統合表示部の表示動作を示す説明図１である。
【図３３】図１の加熱調理器の左操作部と左側表示部の動作説明図１である。
【図３４】図１の加熱調理器の左操作部と左側表示部の動作説明図２である。
【図３５】図１の加熱調理器の統合表示部の表示動作を示す説明図２である。
【図３６】図１の加熱調理器の統合表示部の表示動作を示す説明図３である。
【図３７】図１の加熱調理器の統合表示部の表示動作を示す説明図４である。
【図３８】図１の加熱調理器の統合表示部の表示動作を示す説明図５である。
【図３９】図１の加熱調理器の中央操作部と統合表示部を示す拡大平面図である。
【図４０】本発明の実施の形態２に係る加熱調理器の全体を説明するブロック図である。
【図４１】図４０の加熱調理器において、中央操作部と各種表示部の配置を説明するための前方部分の平面図１である。
【図４２】図４０の加熱調理器において、中央操作部と各種表示部の配置を説明するための前方部分の平面図２である。
【図４３】図４０の加熱調理器において、中央操作部と各種表示部の配置を説明するための前方部分の平面図３である。
【図４４】図４０の加熱調理器において、中央操作部の構成を示すブロック図である。
【図４５】実施の形態２の変形例を示したもので、中央操作部と各種表示部の配置を説明するための前方部分の平面図である。
【図４６】図４０の加熱調理器の統合表示部の表示動作を示す説明図１である。
【発明を実施するための形態】
【００２０】
実施の形態１．
図１〜図３９は、実施の形態１に係るビルトイン式の複合型加熱調理器を示すものである。なお、以下の説明では、特に矛盾が起こらない限り、単に「加熱調理器」と呼ぶ。
各図中、符号ＲＴは、加熱調理器１の右方向を示し、ＬＥは左方向を示す。またＦＴは前方を示し、ＢＫは後方を示す。
【００２１】
この実施の形態１において「誘導加熱調理器」とは、誘導加熱原理に基づく加熱部を有したものをいう。加熱部が複数ある場合、その中に誘導加熱方式と異なる方式、例えば輻射式電熱源等の他の方式の加熱源があっても良い。
【００２２】
この実施の形態１において「複合型加熱調理器」とは、マイクロ波加熱源の他に、これと異なる加熱原理の加熱源を備え、それら２つ以上の加熱源によって、１つの加熱室において加熱調理ができるものをいう。例えば、１つの加熱室が、シーズヒータやマイカヒータ等の輻射式電熱源によって加熱され、またその加熱室の内部がマイクロ波によって加熱される形態は、「複合型加熱調理器」の１種である。
【００２３】
この実施の形態１において、加熱室の『加熱手段（以下の説明では「オーブン加熱源」という）』とは、加熱室の壁面を、その外側から加熱する加熱源、加熱室の内部空間に設置した加熱源の、何れでも良い。
また、誘導加熱方式で高温になる発熱部材を配置し、この発熱部材で加熱室の壁面を外側から加熱したり、又は加熱室内の空気を加熱したりする何れの形態であっても良い。
【００２４】
例えば、日本特許文献で、特開２０１７−７４３０５号公報には、加熱室（グリル庫）内に配置されて被調理物を載置する調理皿を、下方から被調理物を加熱する第２の加熱体（誘導加熱コイル）と、側方から被調理物を加熱する第３の加熱体（誘導加熱コイル）と、を備えた加熱調理器が提案されている。
【００２５】
さらに、特開２０１６−８５９９６号公報には、加熱室の下方には、電気絶縁体で上下に区画し、その電気絶縁体の下方空間に誘導加熱コイル（ＩＨコイル）を設け、前記ＩＨ熱コイルの上に置いた調理プレートを誘導加熱する構成が提案されている。調理プレートは、誘導加熱可能な素材で形成され、例えば、鉄、ステンレス、カーボン含有率９０％以上の炭素材、導電材料としてＳｉ（シリコン）またはＦｅＳｉ（フェロシリコン）を含有するセラミック素材等が用いられている。
【００２６】
また、誘導加熱方式で高温になる発熱部材を配置した代表的なものとして、特開２００５−０７１６９５号公報には、ＩＨコイルに高周波電流を供給して、ＩＨコイルに高周波磁束を発生させ、その高周波磁束を加熱庫内に配設されたヒータと鎖交させて、ヒータに誘導電流が流れるようにし、ヒータ自身の電気抵抗によって発生するジュール熱で加熱庫内の調理物を加熱調理することが開示されている。
【００２７】
さらに、特開２０１３−２４７０４８号公報には、加熱室の内部に、電気的に閉回路のヒータを配置し、このヒータに、加熱室の外部に配設されたＩＨコイルから生じる高周波磁束を鎖交させ、ヒータを高温にして加熱室内に放熱させることが提案されている。なお、ここでいうヒータとは、電気的に閉回路を形成しており、ステンレスや高ニッケル合金等の丸棒や丸パイプを所定の形状に曲げて、両端を互いに溶接やロウ付け等によって接合して無端状に形成したものである。
【００２８】
この実施の形態１でいう「ＩＨコイル」には、代表的なものとして、０．１ｍｍ〜０．３ｍｍ程度の細い銅線やアルミ線を３０本程度束にして、この束を複数本撚りながら渦巻状に巻いて構成したがある（例えば、日本の特許文献で、特開２０１２−７９５８０号公報）。
【００２９】
また、別の特許文献である特開２０１８−３２５５１公報には、平板状の導電材料で、環状に形成した環状導電体を、加熱コイルとして使用した誘導加熱調理器が提案されている。
これら何れの形態のものも誘導加熱源の主要部となる「ＩＨコイル」に相当する。
【００３０】
この実施の形態１において、「連携調理」とは、１つの被調理物（食品、肉、野菜等を含む）に対する加熱場所が異なり、かつ独立して加熱動作条件が設定可能な２種類の加熱源を使用して行う調理をいう。
【００３１】
前記「連携調理」は、複数の加熱源を、時間差を置いて使用する場合が該当する。例えば１つの調理を完成させる過程で、マイクロ波加熱を終えて予備加熱したあと、被調理物を別の場所に移し、移動後の場所で、後述するＩＨコイル１７Ｌで加熱して完成させる調理の場合は、ここでいう「連携調理」の一種である。
【００３２】
連携調理については、日本特許第５８３３６９９号公報や、同じく特許第５５００９４４号公報において、ビルトイン式加熱調理器の形態で提案されている。
【００３３】
図１〜図３８において、本実施の形態１の加熱調理器１は、例えば流し台付きの厨房家具（システムキッチンという家具も含む）２に組み込まれる加熱調理器である。２Ａは、厨房家具２に形成された設置口である。加熱調理器１には、後述するように商用電源９９から、電圧２００Ｖ、周波数５０Ｈｚ又は６０Ｈｚの交流電力が供給される。
【００３４】
図１と図１３に示しているように、本実施の形態１の加熱調理器１は、誘導加熱部を左右に２個所有している。
図１３において、ＣＬ１は、上部ユニット１００の左右の中心点を前後方向に通る中心線、ＡＬは、トッププレート１５が上部ユニット１００の上面で露出している範囲を示している。
【００３５】
１７ＨＲは、中心線ＣＬ１から右側の範囲に設けた右加熱部であり、この真上で誘導加熱できる。
１７ＨＬは、中心線ＣＬ１から左側の範囲に設けた左加熱部であり、この真上で誘導加熱できる。このように、この加熱調理器１は、トッププレート１５の上面に「加熱口」を２つ（２口）設けた調理器である。
【００３６】
なお、例えば、中心線ＣＬ１を跨ぐように、右加熱部１７ＨＲと左加熱部１７ＨＬの間に、更に別の誘導加熱部を設けても良い。
以下の説明では、「誘導加熱部」という場合は、参照符号として１７Ｈを用いる。
【００３７】
金属製の鍋やプレート（焼き板）等の被加熱物を載置する望ましい位置を示すための、円形の位置マーク１７ＬＳ、１７ＲＳを、トッププレート１５の上面に設けている。前記円形の位置マーク１７ＬＳ、１７ＲＳを見ることによって、加熱調理器１のユーザー（使用者）は本実施の形態１の加熱調理器１では、誘導加熱部１７Ｈが左右に２個所あると認識できる。なお、後述する音声合成装置９５の音声ガイドによってもユーザーは、誘導加熱部が左右に２個所あることを認識できる。
【００３８】
前記位置マーク１７ＬＳ、１７ＲＳは、印刷によって形成している。位置マーク１７ＬＳ、１７ＲＳの真下には、後述する誘導加熱コイル（以下、「ＩＨコイル」という）１７Ｌ、１７Ｒが設置されている。なお、位置マーク１７ＬＳ、１７ＲＳは、円形である必要はなく、例えば被加熱物を載置する望ましい位置の中心点だけを、図形や「＋」のような記号、あるいは文字で示しても良い。
【００３９】
前記位置マーク１７ＬＳ、１７ＲＳは、ＩＨコイル１７Ｌ、１７Ｒによって誘導加熱できる目安的な位置を表示した円形マークであるため、当該ＩＨコイル１７Ｌ、１７Ｒの最大外径よりも少し大きな直径で描かれている。
【００４０】
前記ＩＨコイル１７Ｌ、１７Ｒの、何れか１つを、ラジエントヒータや赤外線ヒータ等の輻射式電熱源に代えても良い。または、前記ＩＨコイル１７Ｌ、１７Ｒに加えて、輻射式電熱源を設けて、３口又はそれ以上の加熱部を保有する形態にしても良い。
【００４１】
この実施の形態１では、前記ＩＨコイル１７Ｌ、１７Ｒを総称して、ＩＨコイルと呼ぶ場合、符号は１７を用いる。従って、「ＩＨコイル」１７と呼んだ場合には、左側のＩＨコイル１７Ｌと右側のＩＨコイル１７Ｒの両方と、何れか一方の場合がある。
【００４２】
この実施の形態１で、「誘導加熱源」９とは、前記ＩＨコイル１７と、後述するインバーター回路８１Ｒ、８１Ｌを含んだ構成をいう。
【００４３】
図４に示すように、加熱調理器１は、設置口２Ａの口縁部上面２Ｐに載せて支持されている。厨房家具２は、この実施の形態１では図２に示すように、水道の給水口２Ｄから出る水を一時的に貯めることができる水槽２Ｃを備えている。２Ｂは、厨房家具２の所定の位置に形成した前方開口である。この前方開口は、加熱調理器１を組み込んだ際に、その前面構成部分（後述するドア１１４と前カバー１１２）を前方へ露出させるためのものである。
【００４４】
前記厨房家具２の前方開口２Ｂと設置口２Ａの大きさは、標準的なものである場合、業界によって標準化が推進されているため、標準的な寸法で事前に形成されていることが殆どである。これについては、あとで詳しく説明する。
【００４５】
加熱調理器１を厨房家具２に組み込む通常の方法は、図３に示している通りである。この図３は、厨房家具２へ組み込む作業の、途中段階を示す模式図である。
図３のように、加熱調理器１の前方側（手前側）が下になるように傾けたまま、前記設置口２Ａの中に加熱調理器１を入れ、その後、加熱調理器１の後方側を、実線の矢印ＢＤで示すように下げると、加熱調理器１が厨房家具２の設置口２Ａの周縁部に載せられた状態になる。
【００４６】
この後、ネジを締めて、後述する下部ユニット１００の後部周縁部に設置してある固定金具（図示せず）を移動（回動）させ、当該固定金具を厨房家具２に強く押し当てた状態にして設置が完了する。なお、このような設置方法は既に広く採用されているので、詳しい構造については説明を省略する。
【００４７】
加熱調理器１の本体１１０は、図３に示しているように、上部ユニット１００と下部ユニット２００を上下に重ねた状態で、結合されて一体化されており、そのような一体化された形態でメーカから出荷されるため、図３の組込作業では、上記ネジで厨房家具２に固定されるのは、上部ユニット１００のみである。固定金具（図示せず）を外せば、加熱調理器１の全体を厨房家具２から取り出すことができる。これにより、以後、点検や修理が厨房家具２の外側で行える。なお、上部ユニット１００だけの範囲で「本体」と呼ぶ場合は、符号１０を付して区別する。
【００４８】
厨房家具２に形成された設置口２Ａは、図２に示すように平面形状が長方形である。但し、４つの角部は円弧状になっている。
設置口２Ａの横幅寸法Ｗ１は、５６０ｍｍ〜５６４ｍｍである。また前後方向の寸法Ｄ１は、４６０ｍｍ〜４６４ｍｍに形成されている。
【００４９】
図１と図２において、３と４は、厨房家具２の表面を構成する表面材である。５及び６は、厨房家具２に加熱調理器１を組み込んだ場合、その左右両側に隣接する表面材である。
これら表面材３〜６の前面は、厨房家具２の中に加熱調理器１を組み込んだ場合、その加熱調理器１の前面と、ほぼ面一状態となる。言い換えると、加熱調理器１を組み込んだ場合、表面材３〜６と加熱調理器１は、統一された平面になっているような意匠感覚をユーザーに呈することができる。
【００５０】
図３において、８は、厨房家具２の内部を上下に複数の部屋に仕切る壁であり、この壁の下方は、例えば、台所用品や食料等の保存庫として利用する例が多い。なお、図２では壁８の図示を省略している。また、壁８が、着脱可能なように厨房家具２の内部に設置されている形態でも良い。
【００５１】
以上説明した構成により、厨房家具２の中に加熱調理器１を組み込んだ場合、厨房家具２の前面全体は、略一つの平面を呈する。ユーザーが厨房家具２を見た場合、全体に前面（正面）が、すっきりした統一感のあるデザインであると認識できるように設計されている。
【００５２】
厨房家具２と、加熱調理器１は、同じ製造業者が設計したものでなくとも良く、厨房家具は、流し台等の厨房家具、住宅設備業者が製造販売し、加熱調理器１は家電機器業者が製造販売している場合が多い。
【００５３】
図１と図２において、７は、表面材３〜５の前面に印刷で表示した枠線であり、表面材３〜５の前面に物理的な凹凸を形成するものではない。なお、光沢のある金属製の細い化粧板やテープ等を貼り付けて、枠線７の存在を示して高級感を出したものでも良い。
【００５４】
前記４種類の表面材３〜６は同じものであっても良い。またこれら表面材３〜６は、扉や引き出しのように、前後に移動するものでなくとも良い。例えば厨房家具２の表面に常に固定状態で存在し、全く移動しないものであっても良い。
【００５５】
前記４種類の表面材３〜６は、その前面の色と表面形態（模様や光沢の有無、凹凸状態等）を統一させると、厨房家具２としての統一的意匠感が高まる。例えば、表面材４の正面全体が、単一の色や木目調で統一されている場合、表面材３の前面も、同じ単一の色や木目調デザインで統一すれば良い。
【００５６】
次に図４と図５について説明する。図４は、図１の厨房家具２と加熱調理器１の寸法関係を示す縦断面模式図である。図５は、図４に示す厨房家具２の前方の一部を拡大して示す縦断面模式図である。
【００５７】
厨房家具２等は、日本では「長期使用住宅部材標準化推進協議会」（略称：長住協）によって住宅部品・部材の標準（共通）化が推進されている。
【００５８】
前記「長住協」が制定された「ＩＨクッキングヒーター（ビルトイン）に関する「長期使用対応部材基準書」によれば、当該ＩＨクッキングヒーターを取り付けるカウンタートップ（厨房家具２）が具備すべき条件として、以下の通り規定されている。
（１）設置口２Ａの寸法は、横幅寸法Ｗ１が、５６０ｍｍ〜５６４ｍｍ。また前後方向の寸法Ｄ１は、４６０ｍｍ〜４６４ｍｍであること。
（２）前下がり部２Ｆの高さ寸法Ｃ１は、４０ｍｍ以下であること。
（３）前下がり部２Ｆの奥行（前後方向）寸法Ｄ３は、４５ｍｍ以下であること。
（４）前下がり部２Ｆの天井部奥行（前後方向）寸法Ｄ２は、５８ｍｍ〜７０ｍｍであること。
【００５９】
さらに、前記「長期使用対応部材基準書」によれば、ビルトイン式ＩＨクッキングヒーター（誘導加熱調理器）の外形寸法も、以下の通り規定されている。
（１）トッププレート下端から前面パネル下端までの高さ寸法Ｈ２は、２１５ｍｍ〜２２３ｍｍであること。
【００６０】
以上のような各種条件を満たすように本発明の加熱調理器１は設計されている。
図４において、Ａ１は、後述するトッププレート１５の前後方向の寸法であり、５１０ｍｍである。Ａ２は、本体１１０の前面を覆う前カバー１１２前面から、本体１１０の最後尾までの前後方向の最大寸法であり、４９８ｍｍである。Ａ３は、本体１１０の後部に形成した傾斜部１１１から前記前カバー１１２の前面までの前後方向の寸法であり、４５１ｍｍである。
【００６１】
図４において、１１３は、後述する加熱室であり、下部ユニット２００の内部に形成されている。前記加熱室１１３の前面には、フライパン等の調理器具や、被調理物等を出し入れできる開口１１３Ａ（図１０参照）が形成されている。その開口１１３Ａは、ドア１１４（図１０参照）によって開閉自在に覆われている。
【００６２】
ドア１１４の前面と、前記前カバー１１２の前面は、面一となるように設計されている。そして前記ドア１１４は、その前面が、取っ手部１１５を除いて前記前カバー１１２前面に面一となるように、本体１１０にヒンジ１７６とアーム１１６（図示せず）により、回動自在に支持されている。このため、ドア１１４は、その下端部を支点（回動中心）として前方に開く「前開き」ドアとして機能する。
【００６３】
図４において、Ｈ１は、加熱調理器１の最大高さ寸法である。つまり、前記トッププレート１５の上面から下部ユニット２００の底面までの寸法であり、２２７ｍｍである。
【００６４】
図４において、Ｈ２は、トッププレート１５下端から前カバー１１２の下端までの高さ寸法であり、２１５ｍｍ〜２２３ｍｍである。Ｈ３は、前記前カバー１１２又は前記ドア１１４の上端から下端までの寸法であり、１７１ｍｍに設定してある。Ｈ４は、前記トッププレート１５の高さ方向の寸法であり、１１ｍｍである。
【００６５】
次に実施の形態１の加熱調理器１の構成について、図７〜図１７を参照しながら詳細に説明する。
図６は、加熱調理器１の平面図である。図７は、加熱調理器１を、図６のＹ−Ｙ線で切断した場合の縦断面図である。図８は、加熱調理器１を、図６のＺ−Ｚ線で切断し、冷却風の流れを示した縦断面図である。図９は、加熱調理器１を、図７のＷ−Ｗ線で切断した場合の縦断面図である。図１０は、加熱調理器１を、図６のＹ−Ｙ線で切断した場合の縦断面図である。図１１は、加熱調理器１を、図７のＶ−Ｖ線で切断した場合の縦断面図である。図１２は、加熱調理器１を、図７のＸ−Ｘ線で切断した場合の縦断面図である。図１３は、加熱調理器１の上部ユニットの操作部を説明するための簡略平面図である。図１４は、加熱調理器１の上部ユニット１００内部の冷却風の流れを示す簡略横断面図である。図１５は、加熱調理器１の主要な制御関係部分を示すブロック図である。図１６は、図１の誘導加熱調理器の主要な冷却風路を示す説明図である。図１７は、図１の誘導加熱調理器のインバーター回路の詳細を示す回路図である。
【００６６】
（上部ユニット１００）
この実施の形態１では、前記上部ユニット１００単体でも加熱調理器１として機能する。そのために、商用（交流）電源９９は上部ユニット１００だけに供給される。但し、商用電源９９にプラグ１０６Ａ（図示せず）を介して直接接続するための電源コード１０６（図示せず）は、下部ユニット２００から加熱調理器１の外部に引き出される。
【００６７】
上部ユニット１００は、本体１０の外郭を構成する箱形形状の上部ケース（上筐体）１６と、この上部ケースの上部に固定された金属製の額縁状の補強板（支持枠）２２（図７参照）と、この補強板２２の上面の、後部を除く略全体を覆うように、その上面に重ねて取り付けられた耐熱強化ガラス又は結晶化ガラス製のトッププレート１５とから構成されている。言い換えると、上部ユニット１００の本体１０は、外殻となる上部ケース１６とトッププレート１５と、をそれぞれ備えている。
【００６８】
前記上部ケース１６は、１枚の亜鉛鋼板等の金属製薄板をプレス加工して形成される。または複数枚の金属製薄板をスポット溶接やネジ等で接合して箱形形状に形成される。実施の形態１では、後述するように１枚の金属薄板の周辺部を、垂直に折り曲げて、底壁（底面）１６Ｓ、後方壁１６Ｂや前方垂直壁１６Ｆ、側方垂直壁１６Ｌ、１６Ｒを、それぞれ一体に形成している。
【００６９】
前記上部ケース１６は、別の形態で形成しても良い。例えば、底壁（底面）１６Ｓ、後方壁１６Ｂ及び前方垂直壁１６Ｆの３つの部分だけを１枚の金属板をプレス加工して形成する。これとは別に形成した２つの側方垂直壁１６Ｌ、１６Ｒ、１枚の後方壁１６Ｂ及び前方垂直壁１６Ｆを、後からネジやスポット溶接等で取り付けて、最終的に上面全体が開口した箱形形状にする。
【００７０】
トッププレート１５は、全体の厚みが略均等な平板状に形成されており、その下面全体は可視光線が透過しない塗装面で覆われている。このため、トッププレート１５の上方からは、その下方の機能部品、例えばＩＨコイル１７Ｌ、１７Ｒが視認できないようになっている。
【００７１】
ＩＨコイル１７Ｒは、平面形状がドーナッツ状形状を有している。そしてこのＩＨコイル１７Ｒの最大火力は３２００Ｗである。最大外形寸法（直径）は１６８ｍｍである。
【００７２】
また、他方のＩＨコイル１７Ｌも同様にドーナッツ状形状を有している。このＩＨコイル１７Ｌの最大火力は３２００Ｗである。最大外形寸法（直径）は１６８ｍｍである。なお、大きな鍋やフライパン等の被加熱物にも対応できるように、１８０ｍｍ程度まで直径を拡大しても良い。
【００７３】
１８は、前記上部ケース１６の後部に横に長く形成した開口（図７参照）、１９は、この開口の上方に設置される排気カバーであり、通気性を持たせるために鎧戸又は多数の貫通孔が形成されている。２０は、前記排気カバー１９と開口１８の間で形成される排気口である。
【００７４】
２２は、前述したように、上部ケース１６の後部上端部に固定された金属製の補強板である。この補強板２２は、上部ケース１６の後縁部横幅と同等の長さを有している。２１は、補強板２２の上面に固定された金属製の飾り枠である。この飾り枠は、上部ケース１６の後方に張り出しており、また上部ケース１６の横幅よりも長く形成されている。つまり、上方から見た場合、排気カバー１９の後方と左右両側を一連に囲んでいるように見える（図６参照）
【００７５】
２５は、金属製の飾り枠であり、図６に示すようにトッププレート１５の左右端面と前方の端面を、外部からの衝撃から保護するように設置されている。
２６は、弾力性に富む素材、例えばシリコンゴム等から形成された環状のクッション材であり、前記飾り枠２１、２５の下面全周に貼りつけてある。これにより上部ユニット１００は、このクッション材２６を介して厨房家具２に載置される。なお、トッププレート１５の左右端面と前方の端面の３つの部分（辺）又は後方の端面を含む４つの部分（周囲４辺）を、１つの飾り枠２５で囲むようなデザインにしても良い。
【００７６】
図６と図１３において、３１Ｌは左側表示部、３１Ｒは、右側表示部である。３０は、統合表示部であり、トッププレート１５の前方部で、かつ左右中心部の下方に設置されている。３１Ｌは、左側表示部であり、３１Ｒは右側表示部である。これら左右表示部３１Ｌ、３１Ｒも、トッププレート１５の前方部左側と、右側の下方に設置されている。
【００７７】
前記統合表示部３０と、左右の表示部３１Ｌ、３１Ｒは、液晶表示画面（図示せず）を主体に構成されており、これら統合表示部３０、左右の表示部３１Ｌ、３１Ｒは、入力操作部４０に左右方向に設置している水平な操作基板４１の上に設置されている。なお、これら統合表示部３０、左右の表示部３１Ｌ、３１Ｒの真上の位置に対応して、前記トッププレート１５の下面には、前記したような可視光線を遮断する塗装面を設けていない。このため、統合表示部３０、左右の表示部３１Ｌ、３１Ｒの表示内容は、トッププレート１５の上方から視認できる。
【００７８】
前記統合表示部３０は、加熱調理器１の共通的な情報や警報を表示する。例えば、この加熱調理器１の３種類の加熱源の選択結果や、それら加熱源の動作状態を示す注意情報、警告情報を表示する。すなわち、前記統合表示部３０は、誘導加熱源１７と、後述するオーブン加熱源１８８と、マイクロ波加熱源１８９の、３つの加熱源に関係する情報を表示する場合があるため、統合表示部３０と称している。
【００７９】
左側表示部３１Ｌは、左側のＩＨコイル１７Ｌの動作に関する情報を表示する。例えば、後述するように、タイマー調理をセットする場合には、1分単位で設定できるが、その設定時間を表示できる。また加熱動作を開始してからの経過時間や、タイマー設定時間が終了するまでの「残時間」も表示する。更に、予熱調理を選択した場合には、自動的に設定された温度（デフォルト温度）や、現在の温度などを表示する。なお、上記「残時間」は、１０分未満になった段階から９分５９秒という表示が行われ、１秒単位で残時間表示される。
【００８０】
同様に、右側表示部３１Ｒは、右側のＩＨコイル１７Ｒの動作に関する情報を表示する。この右側表示部３１Ｒは、基本的に左側表示部３１Ｌと同様に、左側のＩＨコイル１７Ｌのタイマー設定時間や、予熱温度、経過時間等の各種情報を表示する。
【００８１】
図１３において、４０は、入力操作部である。この入力操作部４０は、前記飾り枠２５の最前部後方においてトッププレート１５の前端縁部に沿って、横に長く配置されている。
前記入力操作部４０は、横に長く、かつ帯状に設置してある操作基板４１の上面に配置されている。
【００８２】
前記操作基板４１には、各種の電子部品類と、加熱調理器１の制御全般を司る統合制御装置ＭＣを実装している。この入力操作部４０については後で詳しく説明する。操作基板４１は、電気絶縁性に富むプラスチック材料で形成されている。前記統合制御装置ＭＣは、上部ユニット１００のインバーター回路基板８０に実装されている。
【００８３】
前記操作基板４１の下方には、この操作基板４１と空隙を置いて対面するように、平板状の補助支持板（図示）が上下に重なるように設置されている。つまり、間隔を置いて対面する上下２層（２枚）構造になっており、できるだけ多くの電気部品や回路を実装できるようになっている。
【００８４】
Ｆ２は、後述する第２冷却ファン６１からの冷却風が流れる第２風路であり、後述するカバー７０と、前記上部ケース１６の前方にある前方垂直壁１６Ｆとの間の空間によって形成される（図７、図１４参照）。
【００８５】
図７において、１６Ｂは、前記上部ケース１６の後方垂直壁である。後述する下部ケース１０１と上部ケース１６は、複数個所において、それぞれネジ５１によって一体化されている。
【００８６】
図７から明らかなように、上部ケース１６の後方垂直壁１６Ｂと下部ケース１０１とは、２０ｍｍ〜３０ｍｍ程度の範囲で、緊密に対面しており、その対面部分を前記ネジ５１によって固定されている。
【００８７】
図７において、１０４は深さも平面積も大きな空洞である。この空洞１０４は、上部ケース１６の底壁（底面）１６Ｓ下面から、後述する下部ユニット２００の後部の底板１０１Ｕ上面までの空間である。ＢＨは、その空洞１０４の深さ（垂直方向）寸法を示している。
【００８８】
この図７に示す構造から明らかなように、この実施の形態１では、前記トッププレート１５によって上面の開口部が閉鎖された扁平な（本体１０の外殻を構成する）上部ケース１６を有している。そして、この上部ケース１６を後述する下部ケース１０１の上に載置した状態では、当該上部ケース１６の底壁１６Ｓが前記下部ケース１０１の天井面を兼ねている構成である。
【００８９】
図７で説明したように、上部ケース１６の底壁１６Ｓと、下部ケース１０１の底板１０１Ｕとの対向間隔が最も大きい空間が、前記空洞１０４である。
前記空洞１０４には、後述するマイクロ波加熱装置１２０の一部を構成する導波管１２３が、前記加熱室１１３の背後において左右方向に長く配置されている。
さらに導波管１２３よりも後方には、マイクロ波加熱制御部１３０に電力を供給する回路部品を実装した電源回路基板１２７の収容用ケースＣ１５４が、左右方向に長く配置されている。
【００９０】
マイクロ波加熱制御部１３０は、マイクロコンピューターを主体に構成されており、前記ケースＣ１５４の内部の、前記電源回路基板１２７に実装している。言い換えると、ケースＣの内部に格納された電源回路基板１２７は、マイクロ波加熱制御部１３０を実装した制御基板を兼ねている。なお、このような制御基板と電源回路基板１２７を、別々に設けても良いが、この実施の形態１では、設置スペースも考慮し、一体化している。
【００９１】
図７において、１０１Ｔは、下部ケース１０１の前方側に設けた金属板製の前方水平壁である。この前方水平壁１０１Ｔは、下部ケース１０１の前板１０１Ｆ上端を後方に折り曲げて形成したものである。
【００９２】
１９８は、金属製板から形成された連結用の支持金具であり、水平部１９８Ｈと垂直部１９８Ｖとを備えている。そして、その水平部１９８Ｈは、前記下部ケース１０１の前方水平壁１０１Ｔに固定されている。
【００９３】
前記支持金具１９８の垂直部と、上部ケース１６の前方垂直壁１６Ｆとは、２０ｍｍ〜３９ｍｍ程度の範囲で、緊密に対面しており、その対面部分をネジ５１Ｆ（図示せず）によって固定されている。なお、図８、図９及び図１０では、ネジ５１Ｆを図示していない。
【００９４】
上部ケース１６と下部ケース１０１の一方又は双方が、薄い金属製板で形成された箱状であっても、前記ネジ５１、５１Ｆの締結によって、上部ケース１６と下部ケース１０１とは、強固な１つの箱形構造物になる。言い換えると、箱形形状の上部ケース１６の外形寸法は、前記下部ケース１０１の内側寸法よりも僅かに小さいので、下部ケース１０１に上部ケース１６が、２０ｍｍ〜３０ｍｍ程度の範囲（深さ）で嵌合している。なお、ネジ５１、５１Ｆに代えて、ボルトとナット等のような、他の締結手段でも良い。
【００９５】
上部ケース１６と下部ケース１０１が、軽くなるように薄い金属製板で形成されていても、強固な１つの箱形構造物になっていることは、後述するドア１１４の部分におけるマイクロ波漏洩防止に有益である。
【００９６】
特に上部ユニット１００のトッププレート１５は、厨房家具２の上面に支持されて下部ユニット２００の全荷重を受けるので、上部ケース１６と下部ケース１０１の全体が歪んだり、変形したりしない構造にすることは重要である。なお、前記クッション２６が、前記飾り枠２１、２５の下面全周に貼りつけてあるため、実際に厨房下部２の上面に接触するのは、前記クッション材２６である。
【００９７】
図７において、８０は、インバーター回路基板であり、上部ケース１６の中央部に設置されている。前記インバーター回路基板８０は、平面形状が左右方向に長い長方形である。
【００９８】
前記インバーター回路基板８０の上に実装されているインバーター回路８１は、左側のＩＨコイル１７Ｌに対して高周波電力を供給するインバーター回路８１Ｌと、前記右側のＩＨコイル１７Ｒに対して高周波電力を供給するインバーター回路８１Ｒと、から構成されている。これらについては、後で図１７を参照しながら説明する。
【００９９】
前記インバーター回路基板８０の上面には、アルミニウム製のヒートシンク（放熱シンク）８２が合計４個取り付けられている。前記ヒートシンク８２は、図７に示すように２つの放熱フィン８２Ｆ同士が向かい合うように、２列並べ、かつ数ｍｍ〜１０ｍｍ程度まで接近させて設置されている。
【０１００】
前記ヒートシンク（放熱シンク）８２には、図７から分かるように、互いに向かい合っている側と反対側にある傾斜面の上に、前記インバーター回路８１Ｌ、８１Ｒの一部を構成する電力制御用スイッチング素子８３が取り付けてある。そのため、電子部品８３の動作時に発生する熱を、放熱フィン８２Ｆの周囲を通過する冷却風によって冷却できる。
【０１０１】
前記電力制御用スイッチング素子８３は、例えばＩＧＢＴ（絶縁ゲート・バイポーラ・トランジスタ）である。一方の前記インバーター回路８１Ｌ側の電力制御用スイッチング素子８３は、前後２列あるヒートシンク８２の後方側、また他方のインバーター回路８１Ｒ側の電力制御用スイッチング素子８３は、前後２列あるヒートシンク８２の前方側に取り付けてある。なお、この逆の側に取り付けるようにしても良い。
【０１０２】
図７において、７０は、前記インバーター回路基板８０の上方全体を覆う金属製薄板又はプラスチック材料から形成されたカバーである。このカバー７０の左右両側端部は開放されており、図１４に示すようにカバー７０の左側端面側が、後述する冷却風ＲＦ１の入口ＦＩとなり、カバー７０の右側端面側が冷却風ＲＦ１の出口ＦＯを構成する。
【０１０３】
前記カバー７０は、前記ＩＨコイル１７Ｌ、１７Ｒの最も下面との間に一定の空隙（直線距離で、数ｍｍ程度）を確保している位置にあり、また前記ヒートシンク８２の最上面とも一定の空隙を確保する大きさである。
【０１０４】
前記カバー７０が、ＩＨコイル１７Ｌの真下にあって、かつそれと接近している状態になるから、カバー７０に防磁効果を期待する場合には、カバーをアルミニウム等の金属製にして、更に上部ケース１６に電気的に繋がるようにすると更に良い。例えば、カバー７０を取り付けるためのネジ（図示せず）が、直接カバー７０のネジ孔まで届いている状態にする。なお、上部ケース１６は、後述する下部ケース１０１と金属製ネジ等で連結されるので、下部ケース１０１に設けているアース端子（図示せず）にも電気的に繋がり、アースにノイズが吸収される。このようにすると、カバー７０の防磁効果により、インバーター回路基板８０の上に実装した各種電気部品に対するノイズ遮蔽効果が期待できる。
【０１０５】
また、カバー７０をプラスチック材料で射出成形するようにすれば、カバー７０の断面形状も比較的自由に決定できる。このため、第１風路Ｆ１を流れる冷却風ＲＦ１の流れ（方向）を調整することもできる利点がある。例えば、特にヒートシンク８２の特定部位へ多くの冷却風ＲＦ１が流れるように、リブ状の風向板等をカバー７０の下面に、一体に形成しても良い。
【０１０６】
前記、コイルベース１７Ｃは、２つのＩＨコイル１７Ｌ、１７Ｒの個々に設けても良いし、２つのＩＨコイル１７Ｌ、１７Ｒに共通に１つの構造物で形成しても良い。
前記、コイルベース１７Ｃは、カバー７０の上面に直接載せられて、カバー７０にネジ等の固定具で固定する構造である。あるいは、カバー７０の上面との間に圧縮バネ等の弾性体を介在させて、前記トッププレート１５側に常に押し上げられた形で支持された構成である。これら支持構造の詳細な説明は省略する。何れにしても、ＩＨコイル１７Ｌ、１７Ｒは、トッププレート１５の裏面（下面）との対向間隔（距離）が、長期間に亘り変化しない。このため、誘導加熱調理時においては、トッププレート１５の上に載置される被加熱物Ｎである調理容器とＩＨコイル１７Ｌ、１７Ｒとの距離が変化しないので、ＩＨコイル１７Ｌ、１７Ｒに高周波電流を供給するインバーター回路８１Ｌ、８１Ｒに発生する高周波電圧および高周波電流の変化を抑制でき、誘導加熱性能を安定化することができる。
【０１０７】
前記ＩＨコイル１７Ｌ、１７Ｒは、１つの水平線（第２の水平線ＨＬ２）の上にある。言い換えると、第２の水平線で確定される１つの平面（第２の水平面ＨＬ２）上に存在している（図９参照）。
【０１０８】
前記カバー７０は、ＩＨコイル１７Ｌ、１７Ｒの下方に配置されている前記コイルベースと、ヒートシンク８２の両方に接触していない位置にある。
【０１０９】
前記カバー７０は、このカバー７０の平面形状よりも大きな平板状の支持板７１の上面に密着するように固定されている。そしてインバーター回路基板８０とカバー７０との間には、図７、図１４に示しているように左右方向に長い第１風路Ｆ１が区画形成される。なお、支持板７１は、絶縁性材料から形成されている。
【０１１０】
図７と図１０において、１０２は、下部ユニット２００からの排気流が案内される金属製の排気ダクトである。この排気ダクト１０２の排出口側末端部１０２Ｅは、後述する仕切り板５２と上部ケース１６の後方垂直壁１６Ｂとの間に形成された空隙ＧＰ１の中を貫通している。
【０１１１】
図９において、１６Ａは、前記上部ケース１６の側方垂直壁１６Ｌ、１６Ｒの上端部から一連に、外側へ直角に折り曲げて形成された水平なフランジである。
１０１Ａは、後述する下部ケース１０１の側方垂直壁１０１Ｌ、１０１Ｒの上端部から一連に、外側へ直角に折り曲げて形成された水平なフランジである。
【０１１２】
上部ケース１６と、下部ケース１０１は、前記したフランジ１６Ａがフランジ１０１Ａの上に重なっている。この重合状態で、上部ケース１６側壁面と下部ケース１０１の側壁面とは、前述したネジ５１（図７参照）で固定されている。そのためネジ５１による固定と、このフランジ１６Ａとフランジ１０１Ａとの密着固定によって、上部ケース１６と、下部ケース１０１は、強固な一体構造物となっている。言い換えると、上部ケース１６の総重量は、下部ケース１０１のフランジ１０１Ａの上面が受けるので、仮に上部ケース１６と、下部ケース１０１が、薄い金属製板で形成された場合でも、一体化された状態では、機械的な強度を備えた箱形構造物にできる。
【０１１３】
フランジ１６Ａとフランジ１０１Ａとが重なった状態で固定する手段は、前記ネジ５１ではなく、ボルトとナット等のような、他の締結手段でも良い。なお、前記フランジ１６Ａとフランジ１０１Ａは、厨房家具２の上面には接触しない。これらフランジ１６Ａとフランジ１０１Ａは固い材料（金属）で形成されているので、厨房家具２を傷つける懸念がある。またこのフランジ１６Ａとフランジ１０１Ａが厨房家具２に当たってしまうと、クッション材２６を圧縮したまま設置することができないことになる。クッション材２６が密着した状態になっていないと、水等の侵入防止効果を損なう懸念がある。
【０１１４】
図１８に示しているように、上部ケース１６の左側にある側方垂直壁１６Ｌの近くには、第１冷却ファン６０と第２冷却ファン６１が、それぞれ設置されている。これら第１冷却ファン６０、第２冷却ファン６１の回転翼（図示せず）の中心部にある回転軸（図示せず）は、鉛直（垂直）方向に伸びており、前記回転翼は、１つの水平面（第１の水平面ＨＰ１）上を回転する。
【０１１５】
第１冷却ファン６０と第２冷却ファン６１は、遠心ファン（ブロワー）が採用されている。この理由は、静圧が高く、高実装密度の空間で通風抵抗が大きいことを考慮したためである。なお、一般的に遠心ファンには、吸込み口が１個所で、吹き出し（吐き出し）方向が全半径方向となっているタイプも存在する。しかし、この実施の形態１のものは、吹き出し方向が１つだけのタイプである。
【０１１６】
図１８において、６０Ａは、第１冷却ファン６０のファンケース６０Ｃと一体に形成された吹出口、６１Ａは、第２冷却ファン６１のファンケース６１Ｃと一体に形成された吹出口である。吹出口６０Ａは、前記インバーター回路基板８０に向けられている。また、吹出口６１Ａは、前記前記操作基板４１の下方にあるホルダー４２の方向に向けられている。つまり２つの吹出口６０Ａ、６１Ａは、何れも共通な水平面（ＨＰ１）上に存在し、かつ右方向に向けられている。この水平面ＨＰ１は後述する第１の水平面である。
【０１１７】
前記ホルダー４２は、絶縁性のある材料、例えばプラスチック材料で形成されている。このホルダー４２は、入力操作部４０の全域と前記統合表示部３０、右側表示部３１Ｒ、左側表示部３１Ｌの範囲に対応した大きさを有し、左右方向に長く帯状に設けてある。
【０１１８】
前記第１冷却ファン６０と第２冷却ファン６１は、全く同じ構造、同じ形状、同じ「定格仕様」であり、平常な誘導加熱動作時は、同じ回転数で運転されることを想定している。しかしながら、本実施の形態１では、ＩＨ制御装置９０によって回転数を異ならせて、送風量を変化させている。例えば、ＩＨコイル１７Ｌ、１７Ｒに加える駆動電力を大きくして加熱能力を上げる場合や、前記統合表示部３０や入力操作部４０の温度が平常時よりも上昇していることが検知された場合、冷却効果を上げるために回転数を増加して、送風量を増加させる場合がある。また、後述する「うなり音」対策によって第１冷却ファン６０と第２冷却ファン６１は、互いに回転数を異ならせて運転する場合がある。
【０１１９】
定格仕様とは、例えば、定格電圧、使用電圧範囲、定格電流、定格回転数、最大風量、最大静圧、音圧レベル等である。使用電圧範囲の中で印加する電圧又は電圧印加時間（オンＤＵＴＹ時間）を変化させれば、回転数を変化させることができる。
これに対し、本実施の形態１では、ＰＷＭ制御（Ｐｕｌｓｅ  Ｗｉｄｔｈ  Ｍｏｄｕｌａｔｉｏｎ）方式を採用しており、入力信号（ＤＣレベル）の大きさに応じて、パルス幅のデュ−ティ・サイクル（パルス幅のＨとＬの比）を変え、第１冷却ファン６０のモータを制御している。このＰＷＭ制御は、第２冷却ファン６１でも採用している。
【０１２０】
前記第１冷却ファン６０と第２冷却ファン６１は、回転翼（図示せず）の周囲をファンケース６０Ｃ、６１Ｃで囲った構成であり、そのファンケースの下面には、円形の吸込口（図示せず）を設けている。
【０１２１】
前記第１冷却ファン６０と第２冷却ファン６１の、それぞれの前記吸込口（図示せず）の直下になる位置には、多数の丸孔又は楕円形の孔から構成される通気孔６４（図９参照）がある。この通気孔６４は、下ケース１６の底壁面に形成してある。この通気孔６４は、後述する下部ケース１０１の左側側壁面に形成した通気孔１６４に連通している。そのため、前記第１冷却ファン６０と第２冷却ファン６１は、その通気孔１６４を介して外部の空気を導入できる。
【０１２２】
図９において、１６５は凹部（吸気ダクト）であり、前記通気孔６４を下部ケース１０１の通気孔１６４に直接連通させるために設けている。この凹部１６５は、左側から一定の深さ（寸法）ＤＰ１だけ凹ませて形成してある。なお、この寸法ＤＰ１は９９ｍｍである。
【０１２３】
図９に示すように、前記第１冷却ファン６０の吹出口６０Ａの上下方向の中心点と、前記ヒートシンク８２の上下方向の中心点、及び後述する電源回路基板５５の上面に実装された電気部品８５の上下方向の中心点は、１つの水平線ＨＬ１の位置にある。言い換えると、第１冷却ファン６０の吹出口６０Ａから吹き出された冷却風ＲＦ１が、真っすぐに右側方向に進行すると、ヒートシンク８２と電気部品８５に到達するような位置関係になっている。この水平線ＨＬ１で確定される水平面を、以後、「第１の水平面」ＨＰ１と呼ぶ。
【０１２４】
前記電源回路基板５５には、商用交流電源９９からの交流電力が、後述するフィルター回路基板５４を介して供給される。そして、この電源回路基板５５において、交流から直流に変換する。そのため、交流から直流に変換するためのダイオード、トランス５７（図示せず）等の電気部品８５が実装されている。
【０１２５】
インバーター回路基板８０のヒートシンク８２の温度が異常に上がった場合、誘導加熱調理を制御するＩＨ制御装置９０は、前記ＩＨコイル１７Ｌ、１７Ｒの加熱量を低減させる。なお、この動作に加えて第１冷却ファン６０の単位時間あたりの送風量を、一時的に増加させるようにしても良い。ヒートシンク８２の温度は、サーミスタ等のような接触型の温度センサーＴＳ８、ＴＳ９によって検知している。
【０１２６】
第１冷却ファン６０と第２冷却ファン６１を、全く同じ構造、同じ形状、同じ定格仕様で揃えた場合、製造時の調達コストを安価にできる。
同一仕様の冷却ファンを並列配置し運転させると、うなり音が発生する可能性が高い。このため、この実施の形態１では、うなり音対策として、第１冷却ファン６０と第２冷却ファン６１の回転数は、異なる値になるような制御を行っている。
【０１２７】
図１８において、５２は、上部ケース１６の後部において左右に長く設置している金属製の仕切り板であり、上部ケース１６に固定されている。この仕切り板５２は、上部ケース１６の内部空間を、前後に区画するように垂直に伸びた壁となっている。なお、ここでいう「区画する」とは、空気の流通を完全に遮断するような厳密な遮蔽を意味していない。仕切り板５２の上端面を越えて、前記第１冷却ファン６０、第２冷却ファン６１からの冷却風が後方へ流れることを、ある程度抑制できる程度であれば良い。
【０１２８】
図１８において、５２Ａは、前記仕切り板５２の左半分に形成した排気窓、５３は、その排気窓５２Ａの前方側を覆うように設置した排気口板であり、多数の貫通孔５３Ａが形成され、仕切り板５２の排気窓５２Ａに向かう冷却風が通過するようになっている。なお、この排気窓５２Ａを通過した冷却風は、前記排気カバー１９を介して加熱調理器１の外部空間へ放出される。
【０１２９】
図１８において、ＬＦは、ＩＨコイル１７Ｌ、１７Ｒの設置空間ＣＫから排気される排気の範囲（横幅寸法）を示した排気口寸法である。この排気口寸法は、前記貫通孔５３Ａの形成範囲と、排気窓５２の横幅寸法によって定まる。排気窓５２の横幅寸法の方が貫通孔５３Ａの形成範囲よりも狭い場合（図１８に示した形態）では、その排気窓５２の横幅寸法によって排気範囲ＬＦが定まる。
【０１３０】
図１８において、５４は、上部ケース１６の後部の右隅部に配置したフィルター回路基板である。このフィルター回路基板では、商用電源９９からの電源の中のノイズを除去して出力端子側へ供給し、また逆にノイズを、入力端子側にある商用電源側へ流出（逆流）させないようにしており、抵抗とインダクタ（チョークコイル）、ライン間コンデンサー、リレー、電流ヒューズ等の電気部品（図示せず）を実装している。なお、商用電源９９にプラグを介して接続された電源ケーブル（図示せず）の末端部は、後述する下部ユニット２００の内部を経由して、このフィルター回路基板５４に接続されている。
【０１３１】
前記電源回路基板５５は、前記インバーター回路基板８０を挟んで前記第１冷却ファン６０と反対側（右側）にある。言い換えると、この電源回路基板５５は、前記インバーター回路基板８０とカバー７０との間に形成された第１風路Ｆ１の出口ＦＯの右にあるため、第１風路Ｆ１から出た直後の冷却風によって冷却される。
【０１３２】
図１８において、ＣＬ３は、左側のＩＨコイル１７Ｌの中心点を前後方向に通る中心線、ＣＬ４は、右側のＩＨコイル１７Ｒの中心点を前後方向に通る中心線である。
ＣＬ５は、２つのＩＨコイル１７Ｌ、１７Ｒの各中心点を左右方向に横切る中心線である。ＣＬ２は、前記第１冷却ファン６０と第２冷却ファン６１における、各回転翼（図示せず）の回転中心を前後方向に貫通する中心線である。この図１４から明らかなように、前記第１冷却ファン６０と第２冷却ファン６１は、前後方向の一直線上で並んでいる。
【０１３３】
図１８において、ＲＦ１は、第１冷却ファン６０から吹出された冷却風を示す。ＲＦ２は、第２冷却ファン６１から吹出された冷却風を示す。
【０１３４】
ＲＦ３は、第１風路Ｆ１の出口ＦＯから出たあとの冷却風を示す。また、ＲＦ４は、第２風路Ｆ２を通過したあとの冷却風を示す。なお、出口ＦＯから出たあとの冷却風ＲＦ３と第２風路Ｆ２を通過したあとの冷却風ＲＦ４は、その一部が途中で合流する。つまり、排気口板５３の貫通孔５３Ａに至る前に、冷却風ＲＦ１と冷却風ＲＦ２の一部分は合流する。
【０１３５】
図１８において、ＧＰ１は、仕切り板５２と上部ケース１６の後方垂直壁１６Ｂとの間に形成された空隙である。この空隙ＧＰ１の前後方向の幅は、３０ｍｍ〜５０ｍｍ程度である。
【０１３６】
（入力表示部）
次に図１４に戻り、前記入力操作部４０の主要部について説明する。
図１４において、４０は、トッププレート１５の前方側上面に形成された入力操作部であり、以下述べるように、使用者が指等で軽く触れた時の静電容量の変化を利用して入力できる方式の各種入力キーを、横方向に一直線状に配置している。
【０１３７】
入力操作部４０は、右操作部４０Ｒ、中央操作部４０Ｍ及び左操作部４０Ｌの３つを含んでいる。９８は、後述する商用電源９９を供給すること、及び遮断することができる主電源スイッチ９７の操作ボタン又は操作キー（タッチ入力式）である。この操作ボタン又は操作キー９８は、右操作部４０Ｒの右端部に隣接した位置に配置されている。なお、この操作ボタン又は操作キー９８は、入力操作部４０の範囲内（図１４参照）にあるという前提で以下説明する。
【０１３８】
前記主電源スイッチ９７は、図１８と図１９に示すように上部ユニット１００のフィルター基板５４に取り付けてある。商用電源９９は、電源回路基板５５、インバーター回路８１、下部ユニット２００の電源回路部（図１９では図示せず）に供給されている。
【０１３９】
図１４と図１６に示すように、前記右操作部４０Ｒには、合計５つのタッチ式入力キー４３Ｒ１〜４３Ｒ４、４４Ｒを配置してある。これら入力キー４３Ｒ１〜４３Ｒ４、４４Ｒは、以下に述べるように、１つ又は複数の入力機能が割り当てられている。
【０１４０】
４３Ｒ１は、右加熱部１７ＨＲでの加熱を選択する入力キーである。また、加熱動作を開始した右側のＩＨコイル１７Ｒの動作を、停止することができる。このため、最初に１回押した場合には、右加熱部１７ＨＲの選択機能を発揮し、その次に１回押した場合には、瞬時に加熱動作の停止指令を発する機能がある。このように、この入力キー４３Ｒ１は、１回タッチする毎に、後述するＩＨ制御装置９０に対して指令することができる内容が自動的に切り替わる。
【０１４１】
４２Ｒ２と４２Ｒ３は、誘導加熱時の火力（消費電力）を指定する１対の入力キーである。
左側の入力キー４２Ｒ２にタッチすると、その操作の度に、１段階ずつ火力が下げられる。例えば、３２００Ｗ（定格最大火力：火力レベル９）である場合、この入力キー４２Ｒ２に１回タッチすると、２５００Ｗ（火力レベル：８）になる。
【０１４２】
右側の入力キー４２Ｒ３にタッチすると、その操作の度に、１段階ずつ火力が上げられる。例えば、２５００Ｗ（火力レベル８）の火力である場合、この入力キー４２Ｒ３に１回タッチすると、３２００Ｗ（定格最大火力：火力レベル９）を選択できる。
【０１４３】
４３Ｒ４は、タイマー調理の制御メニューを選択する入力キーである。タイマー調理とは、ユーザーが調理時間を設定すると、その設定時間の間だけ誘導加熱動作が行える制御方法である。例えば、１０分間を指定してタイマー調理を開始した場合、１０分経過時に所定の表示が右側表示部３１Ｒで行われ、また後述する音声合成装置９５からも、音声で調理終了の報知が自動的に行われる。設定時間（例えば、１０分間）の経過時には自動的に誘導加熱が停止するが、設定時間経過前に延長操作をして、誘導加熱時間を延長することもできる。
【０１４４】
４４Ｒは、誘導加熱調理の「制御メニュー」を選択するタッチ式入力キーであり、タッチ操作する毎に複数の制御メニューの中から１つを選択できる。なお、「制御メニュー」とは、図２５に示しているような、例えば、湯沸し、煮込み、揚げ物（自動調理）等のように、誘導加熱源９の制御モード、言い換えると制御の種類である。つまり、湯沸しや煮込み、揚げ物等は、ＩＨコイル１７Ｒの駆動時間や、火力、火力を変化させる駆動パターン等が異なるのである。
【０１４５】
右加熱部１７ＨＲのための「制御メニュー」とは、誘導加熱して得られる最終的な調理物の名称や食材の名称とは異なる。例えば「ハンバーグ」や「天ぷら」は調理物の名称であり、ここでいう「制御メニュー」ではない。言い換えると、「制御メニュー」とは、調理を完成させるまでの加熱の種類、調理方法や条件等を総括的に表現したものとも言える。
【０１４６】
次に図１４と図１７を参照しながら、左操作部４０Ｌについて説明する。左操作部４０Ｌには、合計５つのタッチ式入力キー４３Ｌ１〜４３Ｌ４、４４Ｌを備えている。
【０１４７】
４３Ｌ１は、左加熱部１７ＨＬによる調理を選択する入力キーである。また、左側のＩＨコイル１７Ｌの加熱動作が開始された後は、その動作を随時停止させることができる。つまり、最初に１回押した場合には、左加熱部１７ＨＬを選択する機能を発揮し、誘導加熱が開始されてから次に１回押した場合には、瞬時にその加熱動作を停止できる。
【０１４８】
４３Ｌ２と４３Ｌ３は、前記右操作部４０Ｒの入力キー４３Ｒ２〜４３Ｒ３と同様に、左加熱部１７ＨＬにおける火力（消費電力）を指定する１対の入力キーである。前記右操作部４０Ｒの入力キー４３Ｒ２、４３Ｒ３と同様に、１回タッチする度に、規定されている火力値のデータテーブルの中で、１段階上げた火力を選択し、又は１段階下げた特定の火力を選択できる。
【０１４９】
４３Ｌ４は、タイマー調理を選択する入力キーである。この入力キー４３Ｌ４は、右操作部４０Ｒの入力キー４３Ｒ４と同様に、誘導加熱調理の時間を指定することができる。また、タイマー調理終了時には、入力キー４３Ｒ４と同様に、左側表示部３１Ｌにおいてタイマー調理の終了が表示され、音声合成装置９５によっても報知される。
【０１５０】
４４Ｌは、誘導加熱調理の「制御メニュー」を選択できるタッチ式入力キーである。前記右操作部４０Ｒの入力キー４４Ｒと同様に、複数の「制御メニュー」の中から１つの制御メニューを選択できる。なお、左側の入力キー４４Ｌで選択できる制御メニューは、右側の入力キー４４Ｒで選択できる制御メニューと全く同じである。なお、この左操作部４０Ｌに配置された合計５つのタッチ式入力キー４３Ｌ１〜４３Ｌ４、４４Ｌは、図１４と図１７から明らかなように、左右方向に１直線上に並んでいる。
【０１５１】
図１４と図１５において、前記中央操作部４０Ｍには、合計１０個のタッチ式入力キーを配置してある。これら入力キーは、１つ又は複数の入力機能が割り当てられている。
以下、１０個のタッチ式入力キーについて説明する。
【０１５２】
最も左側にある入力キー４３ＫＰは、加熱調理器１全体の各種動作や表示等を、ユーザーの希望通りに設定できるようにするためのものである。
【０１５３】
入力キー４３ＫＰを押すと、後述する統合制御装置ＭＣは「機能モード」に切り替わり、統合表示部３０の表示画面３０Ｄに以下のような「機能設定メニュー」を表示する。
（１）チャイルドロック設定（各種入力キーの操作無効化設定）
（２）換気扇連動モード設定
（３）お掃除ガイド設定（加熱室１１３と排気カバー１９の清掃時期自動報知機能設定）
（４）ピークカット設定（最大消費電力を、５７００Ｗ、４８００Ｗ及び４０００Ｗの３段階から１つ選択）
（５）音声ガイドの音声設定
（６）音声ガイドの音量設定
（７）加熱室１１３からの被調理物、調理器具等の出し忘れを防止する設定（音声合成装置９５と統合表示部３０での警報の要否）
（８）ＨＥＭＳ登録設定（家庭用電力制御装置による電力使用制限機器にする設定）
（９）タイマー調理の時間単位（１分単位設定を、５分や３０分単位へ変更）設定
【０１５４】
入力キー４３ＫＰを押して、統合表示画面を「機能モード」に切り替えた上で、前記中央操作部４０Ｍに配置された後述するタッチ式入力キー４３Ｍ１〜４３Ｍ３を操作すれば、加熱調理器１の「機能設定メニュー」に定めてある上記８種類の個別機能を、個々に変更することができる。
【０１５５】
統合表示部３０において、マイクロ波加熱源１８９やオーブン加熱源１８８の制御モードや制御条件（温度や火力、時間など）を選択している段階では、機能モードの切り替えをしないように、入力キー４３ＫＰの入力機能は無効にしてある。そのため、入力キー４３ＫＰに対応する発光部２７Ｍ１は、制御モードや制御条件の設定作業中には発光しない（図３９参照）。
【０１５６】
例えば、加熱調理器１のピークカット値の設定について述べる。メーカからの出荷時点のデフォルト値が、仮に５４００Ｗであったとしても、ユーザーの自宅に設置した際に、４８００Ｗ又は４０００Ｗの何れにも設定できる。このように、加熱調理器１の機能を、ユーザーの希望や使用環境（設置家庭の電力事情）等に合わせて変更することができる。
【０１５７】
４３ＭＣは、後述する「連携調理メニュー」の選択用入力キーであり、また、オーブン加熱源１８８とマイクロ波加熱源１８９によって、加熱室１１３において加熱調理することを選択する入力キーである。
【０１５８】
前記入力キー４３ＭＣが操作されると、前記統合表示部３０は、特別な表示画面構成に切り替わる。この点については、図３２、図３４〜図３８を参照して後で説明する。
【０１５９】
前記統合表示部３０の表示画面３０Ｄは、ハードウエア上は１枚の液晶表示画面であるが、図１５に示しているように、表示部駆動回路６３によって最大で３つの表示エリア３０Ｌ、３０Ｍ、３０Ｒに分けて表示される。
【０１６０】
３つの表示エリアの内、左側に位置する表示エリア３０Ｌを、以後、「第１エリア」という。また中央に位置する表示エリア３０Ｍを、以後、「第２エリア」という。右側に位置する表示エリア３０Ｒを、以後、「第３エリア」という。なお、このように１つの表示画面の中を、複数に区分して表示させる方法は、例えば日本の特許第５４２５１７１号公報や特開２０１７−１７２９４０号公報で提案されているため、詳細な説明は省略する。
【０１６１】
４３Ｍ１は、前記表示画面３０Ｄの第１エリア３０Ｌに表示された画面を切り替えるための、左右で１対の入力キーである。第１エリア３０Ｌに表示される情報は、統合制御装置ＭＣの表示プログラムに従って前記表示部駆動回路６３で選択される。
【０１６２】
左右に並んだ２つの入力キー４３Ｍ１の内、左側の入力キー４３Ｍ１が操作されると、第１エリア３０Ｌの表示画面は前方に移動して、後方側に表示されている情報が前後中央に表示されるイメージで表示画面が切り替わる。つまり、左側の入力キー４３Ｍ１が１回操作されると、統合制御装置ＭＣに記憶させてある表示情報群の中から、希望する表示情報の１つを選択できる。なお、表示画面が平面視で、実際に前方に移動する訳ではない。
【０１６３】
逆に、右側の入力キー４３Ｍ１が１回操作されると、第１エリア３０Ｌの表示画面は後方に移動し、代わりに別の情報が、今度は第１表示エリアの前後中央に表示されるイメージで、表示画面が切り替わる。つまり、右側の入力キー４３Ｍ１を操作しても、統合制御装置ＭＣの表示プログラムで規定されている「表示情報群」の中の１つが選択されるが、表示される情報の選択方向（選択順位）が逆となる。ここでいう「表示情報群」とは、第１エリア３０Ｌの場合、「制御メニュー群」である。
【０１６４】
このように、ユーザーは、右側の入力キー４３Ｍ１と左側の入力キー４３Ｍ１の何れかを操作すれば、表示情報群の中から、希望する情報を第１エリア３０Ｌの中央部に表示させることができる。
【０１６５】
４３Ｍ２は、前記表示画面３０Ｄの第２エリア３０Ｍに表示された画面を切り替える１対の入力キーである。この入力キー４３Ｍ２の何れか１つを操作すれば、前記入力キー４３Ｍ１と同様に、第２エリア３０Ｍの表示情報を１つずつ順次切り替えることができる。
【０１６６】
４３Ｍ３は、前記表示画面３０Ｄの第３エリア３０Ｒに表示された画面を切り替える１対の入力キーである。この入力キー４３Ｍ３の何れか１つを操作すれば、前記入力キー４３Ｍ１と同様に、第３エリア３０Ｒの表示情報を１つずつ順次切り替えることができる。
【０１６７】
４３ＭＳは、加熱室１１３を利用したマイクロ波加熱調理とオーブン加熱調理の動作開始を指令することができるタッチ式入力キーである。
４５ＭＴは、逆にマイクロ波加熱とオーブン加熱の動作を停止させることができるタッチ式入力キーである。なお、この中央操作部４０Ｍに配置された１０個の入力キーは、図１５からも明らかなように、左右方向に１直線上に並んでいる。
【０１６８】
主電源スイッチの操作キー９８を押して、加熱調理を開始する場合、右操作部４０Ｒにおいては、５つのタッチ式入力キー４３Ｒ１〜４３Ｒ４、４４Ｒは、常に入力機能が必要ではない。
【０１６９】
同様に、左操作部４０Ｌにおいても、５つのタッチ式入力キー４３Ｌ１〜４３Ｌ４、４４Ｌは、常に入力機能が必要ではない。中央操作部４０Ｍにおいても同じである。ユーザーが認識しないまま触れた場合等、不必要な入力を避けるために、統合制御装置ＭＣでは、加熱調理器１の起動直後から、調理条件の入力過程や、調理の進行度合い等に応じて、入力が必要な入力キーを除いて、その他の入力キーの入力機能は一時的に無効にし、入力を受け付けないようにしている。
【０１７０】
そこで、以上のような各入力キーの入力機能が有効であることを示すために、図１４〜図１７に示すように、３つの操作部４０Ｒ、４０Ｌ、４０Ｍ毎に、発光表示部２７Ｒ、２７Ｌ、２７Ｍを設けている。
【０１７１】
図１４と図１６に示しているように、右操作部４０Ｒにおいては、５つのタッチ式入力キー４３Ｒ１〜４３Ｒ４、４４Ｒの直ぐ後方に個別発光部２７Ｒ１〜２７Ｒ４を配置している。入力キー４３Ｒ２と４３Ｒ３は、１対であるので、個別発光部２７Ｒ２は、１つを共用している。
【０１７２】
個別発光部２７Ｒ１〜２７Ｒ４は、右操作部４０Ｒの下方に発光ダイオードを１つ又は複数個ずつ配置してあり、表示部駆動回路６３によって個々の個別発光部２７Ｒ１〜２７Ｒ４は発光と消灯が制御される。あるいは発光色を変化させるように制御される。
【０１７３】
例えば、右操作部４０Ｒの入力キー４３Ｒ１（図１６参照）が操作される前には、その入力キー４３Ｒ１の直ぐ後方に隣接している個別発光部２７Ｒ１は、青く発光している。これにより、操作入力を受け付けることができることを表示している。
【０１７４】
ユーザーが入力キー４３Ｒ１を操作し、統合制御装置ＭＣが当該入力を受け付けた場合には、個別発光部２７Ｒ１は、統一された色（赤色）で発光して、ユーザーに操作を受け付けていることを表示する。この表示のための制御は、統合制御装置ＭＣの指令に基づき、表示部駆動回路６３が行う。なお、１つの色で発光させず、例えば青色から赤色に発光色を変えて、ユーザーに操作を受け付けていることを表示するようにしても良い。これは、後で述べる個別発光部２７Ｍ１〜２７Ｍ６、２７Ｌ１〜２７Ｌ４についても言える。
【０１７５】
なお、入力キー４３Ｒ１が操作される前には、その入力キー４３Ｒ１の直ぐ後方に隣接している個別発光部２７Ｒ１を発光させず、操作を受け付けた時点で発光開始し、発光を継続する方式でも良い。また、操作入力が可能であることだけを事前（操作前の段階）に発光で示し、操作入力を受け付けたことは、光で表示させない方式にしても良い。さらには、操作入力が可能で入力待ちの状態では点滅させ、操作入力を受け付け段階で連続発光に変化させるような形態を採用しても良い。
【０１７６】
同様に、図１４と図１７に示しているように、左操作部４０Ｌにおいても、５つのタッチ式入力キー４３Ｌ１〜４３Ｌ４、４４Ｌの直ぐ後方に、個別発光部２７Ｌ１〜２７Ｌ４を配置している。入力キー４３Ｌ２と４３Ｌ３は、１対であるので、個別発光部２７Ｌ４は、１つを共用している。
【０１７７】
個別発光部２７Ｌ１〜２７Ｌ４は、左操作部４０Ｌの下方に発光ダイオードを１つ又は複数個ずつ配置してあり、表示部駆動回路６３によって個々の個別発光部２７Ｌ１〜２７Ｌ４は、統一された発光色での発光と消灯が制御される。さらには、操作入力が可能で入力待ちの状態では点滅させ、操作入力を受け付け段階で連続発光に変化させるような形態を採用しても良い。
【０１７８】
同様に、図１４と図１５に示しているように、中央操作部４０Ｍにおいても、１０個のタッチ式入力キー４３ＫＰ、４３ＭＣ、４３Ｍ１〜４３Ｍ３、４３ＭＳ、４３ＭＴの直ぐ後方に、個別発光部２７Ｍ１〜２７Ｍ６を配置している。
【０１７９】
個別発光部２７Ｍ１〜２７Ｍ６は、中央操作部４０Ｍの下方に発光ダイオードを１つ又は複数個ずつ配置してあり、表示部駆動回路６３によって個々の個別発光部２７Ｍ１〜２７Ｍ６は、統一された発光色での発光と消灯が制御される。さらには、操作入力が可能で入力待ちの状態では点滅させ、操作入力を受け付けた段階で連続発光に変化させるような形態を採用しても良い。図３９を参照して後で詳しく説明する。
【０１８０】
１対の入力キー４３Ｍ１は、１つの個別発光部２７Ｍ３を共用している。２つの入力キー４３Ｍ２と４３Ｍ３についても、それぞれ１対であるので、個別発光部２７Ｍ４と２７Ｍ５は、１つずつ共用している。以下の説明で、中央操作部４０Ｍにおける個別発光部を総称する場合には、符号は２７Ｍを用いる。
【０１８１】
右操作部４０Ｒの右端部に隣接した位置にある、前記主電源スイッチ９７の操作キー（又は操作ボタン）９８の真後ろにも個別発光部２７Ｒ５が配置してある。
【０１８２】
以上のような発光表示部２７Ｒ、２７Ｌ、２７Ｍの発光形態（連続発光、点滅、発光色等）は、ユーザーの無用な混乱、誤解を避けるため、３つの操作入力部で統一することが望ましい。
【０１８３】
各入力キーの入力機能が有効であることを示すために、入力キーの操作部自体を発光させる方法もあるが、その場合、入力キーの操作部真下に発光部を配置し、かつ当該操作部を、光透過性の材料で製造する必要もあり、入力キーの操作部の感度を確保する課題もあるので、構造やコスト面で課題が多い。そこで、この実施の形態１では、上記のように発光表示部２７Ｒ、２７Ｌ、２７Ｍを、入力キーの操作部を避けて、隣接した位置に設けている。ここでいう「隣接」とは、例えば入力キー４３Ｒ１と発光表示部２７Ｒの関係のように、ユーザーの視点から見て両者が接近しており、１対１の関係が瞬時に分かる位置関係をいう。そのため、例えば入力キー４３Ｒ１と発光表示部２７Ｒの間が、入力キー４３Ｒ１の表面を基準にして、上方に突出した壁等の構造物で仕切られている場合を除く。
【０１８４】
図１４において、右操作部４０Ｒと左操作部４０Ｌの後方位置には、誘導加熱調理時の火力段階を示すように火力表示部６７Ｌ、６７Ｒを設けている。
これら火力表示部６７Ｌ、６７Ｒは、右加熱部１７ＨＲと左加熱部１７ＨＬにおける火力段階を発光（赤色）によって示すものである。定格最小火力（火力レベル１：１５０Ｗ）〜定格最大火力（火力レベル９：３２００Ｗ）までの、９段階を光で示す。
【０１８５】
火力表示部６７Ｌ、６７Ｒは、右操作部４０Ｒと左操作部４０Ｌの下方空間に設置した複数の発光ダイオード（ＬＥＤ）によって構成されている。発光色は、火力の大きさによって変化させても良い。この実施の形態１では、例えば火力レベル１と２は、以下のように構成している。
（１）（最小）火力レベル１：赤色点灯１個、残り８個は青色点灯
（２）火力レベル２：赤色点灯２個、残り７個は青色点灯
なお、火力表示部６７Ｌ、６７Ｒの左端部には、最小火力レベル１よりも小さな火力で被加熱物を加熱する「保温モード」（図３４の「表示画面３Ａ」参照）で動作させた場合に、ＬＥＤを発光させて表示する保温表示部６７Ｈを設けている。
【０１８６】
前記左表示部３１Ｌには、左加熱部１７ＨＬの火力レベル値が、数字の１〜９で表示される。最小火力レベル１のときは「１」、最大火力レベル９のときは「９」が表示される。この左表示部３１Ｌでの火力表示は、火力表示部６７Ｌによって表示される火力段階と合致しており、同じタイミングで表示される。
【０１８７】
また、右表示部３１Ｒでも、右加熱部１７ＨＲの火力レベル値が、数字の１〜９で表示される。表示の条件は、左表示部３１Ｌの場合と全く同じである。
【０１８８】
図１４から分かるように、前記３つの発光表示部２７Ｌ、２７Ｍ、２７Ｒと、２つの火力表示部６７Ｌ、６７Ｒは、それぞれが左右方向に１直線上に並んでいる。しかも、前記３つの発光表示部２７Ｌ、２７Ｍ、２７Ｒと、２つの火力表示部６７Ｌ、６７Ｒは、左右方向に並行して並んでいる。
【０１８９】
このように、前記３つの発光表示部２７Ｌ、２７Ｍ、２７Ｒと、２つの火力表示部６７Ｌ、６７Ｒが、３つの入力操作部４０Ｌ、４０Ｍ、４０Ｒに対して、その後方において左右方向に１直線上に並んでいるため、操作性と視認性が良い。更に統合表示部３０と、左側表示部３１Ｌ及び右側表示部３１Ｒも、横方向に一直線上に並んでおり、加熱調理器１の前方側に立って操作するユーザーの立場から見て、全体の操作性と視認性が良いデザインとなっている。
【０１９０】
図１４において、６８は、前記統合表示部３０の後方に配置した加熱源表示部である。
この加熱源表示部６８は、中央操作部４０Ｍを使用して複数の加熱源を使用するため、実際に動作している加熱源をＬＥＤの光で表示するものである。
【０１９１】
加熱源表示部６８は、３つの表示部から構成されている。最も左端の表示部６８Ｌは、マイクロ波加熱源１８９を使用していることを示す表示部であり、手前側近傍には文字で「レンジ」という表示をし、マイクロ波加熱であることが容易に分かるようにしてある。
【０１９２】
中央の表示部６８Ｍは、加熱室１１３にて、上部ヒータ１６３Ａ又は下部ヒータ１６３Ｂの両方又は何れか一方を使用して「グリル調理」をしている場合を示す表示部である。手前側に「グリル」と記載し、グリル調理であることが容易に分かるようにしてある。
【０１９３】
最も右側の表示部６８Ｒは、加熱室１１３にて、上部ヒータ１６３Ａ又は下部ヒータ１６３Ｂの両方又は何れか一方を使用して「オーブン調理」をしている場合を示す表示部である。
【０１９４】
「オーブン調理」は、グリル調理とは異なり、加熱室１１３の中の温度を把握して上部ヒータ１６３Ａ、下部ヒータ１６３Ｂの通電制御に反映させる（フィードバックさせる）ものである。これらについては、後で詳しく説明する。最も右側の表示部６８Ｒ近傍には、「オーブン」という表示をし、オーブン調理であることが容易に分かるようにしてある。
【０１９５】
図１４において、６９は、前記加熱源表示部６８の直ぐ後方位置に設けた高温報知部である。この高温報知部６９は、統合制御装置ＭＣからの指令に基づきＬＥＤ発光部を発光させて、温度監視対象部分が高温であることを表示する。
統合制御装置ＭＣは、後述するように各種温度センサーからの温度検出信号を受ける温度検出回路９３や加熱室制御部１５９からの温度情報に基づき、高温報知を指令する。
【０１９６】
高温報知部６９は、図１３には示していないが、図１４に示しているように、温度監視対象部分として、左加熱部１７ＨＬと、加熱室１１３と、右加熱部１７ＨＲの３つを定めてあり、これら温度監視対象部分の状況を個別に表示する。そのため、例えば、左加熱部１７ＨＬで誘導加熱調理をした後、左加熱部１７ＨＬに対応しているトッププレート１５の中央から左側範囲が高温になっていることを報知し、ユーザーに注意喚起できる。
【０１９７】
図１３に戻り、４６Ｌ、４６Ｒは、外部に設置された換気装置（図示せず）に対して、運転開始用の指令信号となる赤外線信号を送信する窓である。この窓の下方には、赤外線発信部４８（図１９参照）が設置されている。なお、実際には、この窓４６Ｌ、４６Ｒは、トップテーブル１５の上方からは視認できないように、目立たないような表面シートで覆っている。そのシートは、当然ながら赤外線信号を透過させる材料から形成されている。
【０１９８】
図１３において、４９は、無線通信部（通信モジュール）であり、外部からの電波を受信し、また外部へ電波を送信するアンテナ（図示せず）と送受信回路（図示せず）を備えている。この無線通信部４９は、前記表示基板４１の右側端部の下方で、上部ケース１６の底面と少し間隔を保って設置してある。
【０１９９】
図１３において、ＣＬ１は、上部ユニット１００の左右の中心点を前後方向に通る中心線、ＡＬは、トッププレート１５が上部ユニット１００の上面で露出している範囲を示している。
【０２００】
次に、上部ユニット１００の制御手段について、図１９と図２０を参照しながら説明する。
この図１９と図２０では、一部構成については記載を省略しており、前記フィルター回路基板５４のフィルター回路は記載していない。
【０２０１】
図１９は、上部ユニット１００の制御手段と下部ユニット２００の制御手段を示している。図２０では、図１９の中の主要な制御手段だけを抽出して、制御指令信号の授受や、電力の供給関係等を、矢印によって示している。
【０２０２】
図１９において、９７は、使用者によって開閉操作される主電源スイッチで、２００Ｖの商用電源９９に電源コードと電源プラグ（図示せず）介して接続されている。９１は、前記主電源スイッチ９７を介して電気エネルギーが供給される電源回路、９２は、商用電源からの交流電力を直流に変換する直流電源変換部である。この電源回路９１が、前記電源回路基板５５の上に実装されている。
【０２０３】
ＭＣは、統合制御装置であり、メインコントローラ又はホストコンピュータの機能を有する。マイクロコンピューターを中心に構成されている制御装置である。この統合制御装置ＭＣは、前記電源回路９１から所定の定圧電流が供給される。またこの統合制御装置ＭＣは、前記操作基板４１の裏（下）面に実装されている（図１８参照）。
【０２０４】
前記統合制御装置ＭＣは、入力部と、出力部と、記憶部と、ＣＰＵ（演算制御部）の４つの部分から構成され、その記憶部には、３つの加熱源の通電制御プログラムが予め記憶（格納）されている。また、前記マイクロコンピューターの記憶部（ＲＯＭ、ＲＡＭ）とは別に、異常監視情報を記録する大容量の記憶装置（メインメモリー）ＭＭを内蔵している。
【０２０５】
９０は、誘導加熱時の制御を司るＩＨ制御装置であり、マイクロコンピューターを中心に構成されている。このＩＨ制御装置９０には、誘導加熱時の、各種調理メニューに対応した通電制御プログラムが予め記憶（格納）されている。また、異常監視情報を記録する記憶装置（図示せず）を内蔵している。
【０２０６】
なお、このＩＨ制御装置９０の機能の一部を第２のＩＨ制御装置９０Ａ（図示せず）に担当させても良い。例えば、前記インバーター回路基板８０の上に、マイクロコンピューターを実装して、当該マイクロコンピューターでインバーター回路８１Ｌ、８１Ｒの入力と出力制御を担当させても良い。
【０２０７】
誘導加熱調理やマイクロ波加熱調理等、全ての加熱調理動作中は、電気的な異常状態の有無の監視が、統合制御装置ＭＣによって集中して実施されている。
【０２０８】
９６は、リアルタイム・クロックとも呼ばれている時計回路であり、前記主電源スイッチ９７に繋がる電源回路９１とは別の専用電源（内蔵電池）ＢＴ１から電源が供給され、長期間に亘って駆動されるようになっている。これは例えば電波時計でも良く、常に統合制御装置ＭＣから求めがあれば、現在の日にちと正確な時刻を秒単位で知らせるものであり、この加熱調理器１の製造段階で正しい日時にセットされている。従って、加熱調理器１の主電源を切り、その後再度主電源を投入しても、この時計回路の時刻情報は影響受けず、常に最新の正しい時刻を統合制御装置ＭＣに伝える機能がある。このため、前記統合制御装置ＭＣの記憶装置ＭＭに記録される異常監視情報も、常に正確な時間が同時に記録されて保存されることになる。
【０２０９】
図１９において、７２は、電力制御部（「デマンド制御部」ともいう）である。この電力制御部７２は、統合制御装置ＭＣによる誘導加熱やマイクロ波加熱を行う指令信号を解析し、加熱調理器１の総電力消費量が、規定値又は使用者が個別に設定した上限値を超えないように監視する機能があり、また総電力消費量が、規定値又は任意設定値を超えないよう、誘導加熱やマイクロ波加熱時の火力を自動的に制限する機能がある。
【０２１０】
一般に、「デマンド制御装置」又は「デマンドコントロール装置」とは、デマンド（需要電力）の値を制御するものをいい、自動的に電力の使用状況をチェックし、設定した値を超過しそうな場合は、警報等で報知し、停止可能な機器の自動停止を設定しておけば、装置自体が決められたとおりに停止可能な電気機器を自動的に停止し、一定の時間が経過すればその電気機器を自動的に復帰させるものとして知られており、各家庭においても電力会社との契約電力管理に大きな威力を発揮すると言われている。
【０２１１】
この実施の形態１の電力制御部７２は、加熱調理器１自体に上記したような消費電力の抑制機能を持たせるために設けている。なお、電力制御部７２は、特別なハードウエアを設けず、前記統合制御装置ＭＣの中の制御機能として設けても良く、デマンド用の制御プログラムを統合制御装置ＭＣの中に最初から組込み、あるいはあとから追加したものでも実現できる。
【０２１２】
この実施の形態１の電力制御部７２は、加熱調理器１全体の最大消費電力を、３段階（５７００Ｗ、４８００Ｗ、４０００Ｗ）の中から１つだけ設定できる。なお、この設定は、入力操作部４０の中の特定のキーを複数個同時に押した場合に、統合表示部３０に表示される上記３段階の数値を見ながら、その入力操作部４０で設定できる。このような簡単な設定方法は、例えば、日本特許第６０１２７８０号公報で紹介されている。なお、図１４、図１５で説明したように、中央操作部４０Ｍの入力キー４３ＫＰを押すと、統合制御装置ＭＣは「機能モード」に切り替わり、統合表示部３０の表示画面３０Ｄには、「ピークカット設定」や「ＨＥＭＳ登録設定」をできる表示が行われるので、上記したような加熱調理器１の総電力消費量の抑制は簡単に行える。
【０２１３】
７３は、上部ユニット１００と下部ユニット２００との間で、各種制御信号を伝達するために設けた信号伝達部である。例えば、有線で信号を伝達できる信号線とコネクターが該当する。また、無線で信号を授受できるように例えば、赤外線通信部であっても良い。なお、信号伝達部７３は、前記統合制御装置ＭＣとＩＨ制御装置９０の間にも設けている。
【０２１４】
前記ＩＨ制御装置９０は、温度検出回路９３から温度情報を得て、上部ユニット１００の主要な部分が異常な高温度になっていないかどうかを監視している。例えば前記中央操作部４０Ｍには、前記した各種入力キー４３Ｍ１〜４３Ｍ３、４３ＭＳ、４３ＭＴ等に対応する電子部品や半導体部品を配置してあるが、それら部品類は比較的熱に弱いので、所定温度（例えば６０℃）を超えないように温度検出回路９３を通じて監視している。
【０２１５】
計測された温度が、前記所定温度を超えた時点で「異常予備状態」であるとＩＨ制御装置９０によって判定される。なお、異常予備状態は、検出温度が６０℃〜６５℃の範囲にある場合に限る。６５℃を超えると危険度高まり、制御装置９０は本当の異常状態と認定する。
【０２１６】
この異常予備状態では直ちに誘導加熱動作は停止せず、誘導加熱の火力を下げる制御を行う。しかし６５℃を超えた時点で異常状態とＩＨ制御装置９０によって判定され、直ちに誘導加熱動作を停止する。具体的には、例えば、駆動されているＩＨコイルが、右側のＩＨコイル１７Ｒである場合、当該ＩＨコイル１７Ｒに高周波電力を供給しているインバーター回路８１Ｒの電源供給を遮断する。そしてＩＨコイル１７Ｒや共振用コンデンサー等を含む誘導加熱回路９４Ｒの動作を停止させる。なお、９４Ｌは、左側のＩＨコイル１７Ｌ用の誘導加熱回路である。
【０２１７】
なお、上記した異常予備状態では誘導加熱の火力を維持したまま、上部ユニット１００のＩＨコイル設置空間ＣＫを冷却している第２冷却ファン６１のモータ６１Ｍの送風能力を上げることで改善しても良い。更に、誘導加熱の火力を下げる対策と併用しても良い。
【０２１８】
そして、少なくともこのような異常予備状態から緊急停止までの期間における誘導加熱時の主要な部分の電気的、物理的（一例として前記した中央表示部３０の温度）の変化状況を示す（異常監視）情報が、ＩＨ制御装置９０の記憶装置９０Ｒの中に格納される。
【０２１９】
なお、前記した異常予備状態では直ちに誘導加熱動作は停止せず、また第２冷却ファン６１のモータ６１Ｍの送風能力を上げることもせず（回転翼の回転数を変化させず）、ＩＨコイウル１７Ｌ、１７Ｒの火力を、強制的に下げることで改善するようにしても良い。
【０２２０】
前記ＩＨ制御装置９０の記憶装置に記憶される異常監視情報は、統合制御装置ＭＣから起動指令を受けた時点から調理を正常に終了するまで期間中に取得される。そのため、前記「制御メニュー」（例えば、左操作部４０Ｌの場合の、「湯沸し」、「煮込み」、「揚げ物」など）や、誘導加熱の火力の情報も、時系列で記録される。途中で異常状態が原因で緊急停止した場合は、その時点まで異常監視情報が前記記憶装置９０Ｒに保存されることになる。
【０２２１】
更に、この実施の形態１では、より広範囲にわたって加熱調理器１の動作を監視してデータを取得するため、主電源スイッチ９７をＯＮにしてから、上部ユニット１００と下部ユニット２００側における全ての加熱調理状態に関する監視情報を、統合制御装置ＭＣが取得している。前記加熱室制御部１５９とマイクロ波加熱制御部１３０から、信号伝達部７３を介して、異常有無の監視情報を統合制御装置ＭＣが取得する。
【０２２２】
前記インバーター回路基板８０の中には、右側のＩＨコイル１７Ｒ専用のインバーター回路８１Ｒと、左側のＩＨコイル１７Ｌ専用のインバーター回路８１Ｌが、１つずつ実装されている。
【０２２３】
そしてこれら２つのインバーター回路８１Ｌ、８１Ｒは、前記ＩＨ制御装置９０によって互いに独立して駆動されるようになっている。なお、これらインバーター回路を総称する場合、符号は「８１」を使用する。
【０２２４】
２つのインバーター回路８１Ｌ、８１Ｒの詳細は、図２２を参照しながら後で説明する。
【０２２５】
図１９において、９５は、電子的に作成した音声を合成する音声合成装置であり、使用者に対する操作の案内や、異常発生時の報知などをスピーカー９５Ｓから音声でその都度報知する。
【０２２６】
前記した温度検出回路９３は、少なくとも７個の温度センサーＴＳ３〜ＴＳ９に接続されている。具体的には、トッププレート１５の温度や、ＩＨコイル設置空間ＣＫの雰囲気温度、インバーター回路基板８０のヒートシンク８２の温度、統合表示部３０等の温度を検知するため、温度センサーＴＳ３〜ＴＳ９がある。温度検出回路９３は、前記温度センサーＴＳ３〜ＴＳ９から、それぞれ温度検知情報を受け取り、それら温度検出結果をＩＨ制御装置９０に送る。
【０２２７】
前記温度センサーＴＳ３〜ＴＳ９は、赤外線センサーのような非接触型、あるいはサーミスタのような接触型の何れであっても良く、それらを単独で、又は組み合わせて使用している。
【０２２８】
前記温度センサーＴＳ３〜ＴＳ９の内、２つの温度センサーＴＳ３、ＴＳ５は、赤外線センサーのような非接触型センサーであり、図１３に示しているように前記ＩＨコイル１７Ｌ、１７Ｒの、それぞれの空隙部に配置されて、トッププレート１５方向からの赤外線信号を受信する。つまり、これによって被加熱物である鍋やフタイパン等の底面の温度を計測できる。
【０２２９】
前記温度センサーＴＳ３〜ＴＳ９の内、２つの温度センサーＴＳ４、ＴＳ６は、接触型センサーとしてサーミスタを使用しており、図１３に示しているように前記ＩＨコイル１７Ｌ、１７Ｒの、それぞれの中心部の空洞の中に配置されている。これら温度センサーＴＳ４、ＴＳ６は、トッププレート１５の下面に直接接触し、又は熱伝導性のある介在物を介してトッププレート１５の下面に接触している。これにより、トッププレート１５の温度を計測できる。
【０２３０】
前記温度センサーＴＳ３〜ＴＳ９の内、１つの温度センサーＴＳ７（図１３参照）は、接触型センサーとしてサーミスタを使用しており、ホルダー４２の上面に設置されている。そして統合表示部３０や入力操作部４０の雰囲気温度を検知する。また２つの温度センサーＴＳ８、ＴＳ９は、サーミスタを使用したものであり、後述するヒートシンク８２の上面に取り付けてある。
【０２３１】
なお、下部ユニット２００側にも、下部ユニット２００の内部空間温度を検出するため、少なくとも２つの温度センサーＴＳ１、ＴＳ２を備えているが、詳細は後で説明する。
【０２３２】
６２は、冷却ファン駆動回路であり、前記第１冷却ファン６０と第２冷却ファン６１の駆動用モータ６０Ｍ、６１Ｍの駆動用電力を制御する。つまり、冷却ファン駆動回路６２による制御によって第１冷却ファン６０と第２冷却ファン６１との、送風能力が互いに独立して、それぞれ多段階に変更される。
【０２３３】
６３は、表示部駆動回路であり、前記統合表示部３０、左側表示部３１Ｌ、右側表示部３１Ｒの動作を制御でき、必要な情報を表示させる機能がある。
表示部駆動回路６３は、専用のマイクロコンピューターによって構成しても良い。またこの表示部駆動回路６３の機能を発揮する制御プログラム（ソフトウエア）は、統合制御装置ＭＣの中に組み込んでも良い。表示部駆動回路６３は、前記操作基板４１の上面に実装されている（図１８参照）。
【０２３４】
８４は、地震発生時の揺れを検知する感振機器であり、所定の震度（加速度）以上を感知した場合、振動感知信号を前記統合制御装置ＭＣに送り、統合制御装置ＭＣではその信号を受けて地震発生と判断し、使用中の全ての加熱手段の電源を瞬時に遮断する動作を行う。
【０２３５】
４９は、無線通信部４９であり、前記統合制御装置ＭＣからの指令を受けて情報を発信する。また、前記統合制御装置ＭＣからの指令を受けて外部からの情報を取得する。
【０２３６】
（下部ユニット２００）
次に下部ユニット２００について説明する。
図７は、図１の加熱調理器１を、図６のＹ−Ｙ線で切断した場合の縦断面図である。図８は、図１の加熱調理器１を、図６のＺ−Ｚ線で切断し、冷却風の流れを示した縦断面図である。図９は、図１の加熱調理器１を、図７のＷ−Ｗ線で切断した場合の縦断面図である。
【０２３７】
図７〜図９において、１０１は、下部ユニット２００の本体１１０の外殻を構成する下部ケース（下筐体）である。この下部ケース１０１は、１枚の亜鉛鋼板等の金属製薄板をプレス加工して形成されるか、または複数枚の金属製薄板をスポット溶接やネジ等で接合して形成される。実施の形態１では、以下説明する通り、３枚の金属製薄板から構成されている。
【０２３８】
１０１Ｈは、下部ケース１０１の後方と左右部分の３つの面を構成する胴部、１０１Ｕは、前記胴部の底面開口部を完全に閉鎖する平板状の底板である。１０１Ｃは傾斜部であり、加熱調理器１を厨房家具２に設置する際に、厨房家具２の設置口２Ａに当たらないよう、下方に行くに従って前方へ傾斜した壁面である。１０１Ｆは、下部ケース１０１の前面を構成する前板であり、全体が１枚の平らな板である。この前板１０１Ｆの前面は、前記ドア１１４の後面を密着させて、前板１０１Ｆとドア１１４の間に隙間からマイクロ波が漏洩しないようにしている。
【０２３９】
下部ユニット２００は、２つの独立した加熱源を備えている。その内の１つはマイクロ波加熱装置１２０のマイクロ波加熱源１８９である。もう１つはオーブン加熱装置１４０のオーブン加熱源１８８である。オーブン加熱源１８８は、加熱室（オーブン庫）１１３を、その外側から加熱するものであるが、加熱室１１３の内部から加熱するものでも良い。
【０２４０】
図７、図９、図１０は、マイクロ波加熱装置１２０の主要部分を示している。
前方側から、以下の順番で順次設置している。
最も前方側には、インバーター回路１２１Ａ（図１９参照）を実装したインバーター回路基板１２１（図９参照）を配置している。
【０２４１】
このインバーター回路基板１２１の後方には、マイクロ波の発生源となるマグネトロン１２２、当該マグネトロン１２２の発振部１２２Ａを包囲した導波管１２３を配置している。
【０２４２】
さらに、導波管１２３の後方には、導波管１２３に接続されているアンテナケース１２４、アンテナケースの中にあるアンテナ１２５を、それぞれ配置している。
アンテナケース１２４の後方には、マイクロ波加熱時にアンテナ１２５を回転又は回動させるモータ１２６を配置している。
【０２４３】
１２７は、マイクロ波加熱の出力や前記マグネトロン１２２に電力を供給する電源回路基板であり、前記フィルター回路５４からの商用電源を受ける電源回路部１２０Ｐ（図示せず）と、後述するマイクロ波加熱制御部１３０とを、実装している。
【０２４４】
図７図、図８において、１２８は、第３冷却ファンであり、前記インバーター回路基板１２１を収容した箱形形状のケースＡ１５０の真下に配置されている。ケースＡ１５０は、下面全体が開放され、底面が無い形状である。
１２９は、第４冷却ファンであり、前記マグネトロン１２２の放熱部１２２Ｈを載置した箱形形状のケースＢ１５１の真下に配置されている。放熱部１２２Ｈには、第４冷却ファン１２９からの冷却風が通過するための、数枚の放熱フィンが並列状に形成されている。ケースＢ１５１は、下面全体が開放され、底面が無い形状である。
【０２４５】
前記第３冷却ファン１２８と第４冷却ファン１２９は、例えば、軸流型ファンである。そして回転翼の中心部にある回転軸が鉛直（垂直）方向になるように、下部ケース１０１の底板１０１Ｕに支持されている。
【０２４６】
第３冷却ファン１２８と第４冷却ファン１２９を、全く同じ構造、同じ形状、同じ定格仕様で揃えた場合、製造時の調達コストを安価にできる。なお、同一仕様の冷却ファンを並列配置し運転させるとうなりが発生する可能性が高いため、うなり対策として、第３冷却ファン１２８と第４冷却ファン１２９の回転数は、異なる値にする制御を行う場合がある。
【０２４７】
前記ケースＡ１５０と、ケースＢ１５１は、前述したように底面全体が開口しており、その開口の内側に、前記第３冷却ファン１２８と第４冷却ファン１２９が、それぞれ横たわるように配置されている。
【０２４８】
図７において、ケースＡ１５０の内部に２列に設けた風向板１９９は、前記ケースＡ１５０の内側に一体又は別個に形成されたものである。この風向板１９９は、インバーター回路基板１２１と、後述する２つの連通口１３８Ａ、１３８Ｂに対して、前記第３冷却ファン１２８からの冷却風を効率良く流すために設置してある。
【０２４９】
１５２Ｆは、前方側の吸気口であり、下部ケース１０１の底板１０１Ｕに形成されている。この吸気口は、多数の小さな円形の貫通孔、または長方形や楕円形の貫通孔から構成されている。この吸気口１５２Ｆは、前記第３冷却ファン１２８用である。
【０２５０】
１５２Ｂは、後方側の吸気口であり、下部ケース１０１の底板１０１Ｕに形成されている。この吸気口は、多数の小さな円形の貫通孔、または長方形や楕円形の貫通孔から構成されている。この吸気口１５２Ｂは、前記第４冷却ファン１２９用である。
【０２５１】
１５３は、前記放熱部１２２Ｈの上部に設置されたダクトであり、放熱部１２２Ｈを通過した第４冷却ファン１２９からの冷却風ＲＦ６を、図１１に示すように下流側へ案内するものである。
【０２５２】
１５４は、ケースＣであり、電源回路基板１２７とマイクロ波加熱制御部１３０とを密封状態に収容している。このケース１５４は、電気絶縁性に富むプラスチック材料から形成されている。
ケースＣ１５４は、後方側の蓋１５４Ａと、前方側にある容器状又は箱形状の本体１５４Ｂと、の２者を重ね合わせて構成している。本体１５４Ｂの前面側に形成した大きな開口部を、前記蓋１５４Ａが塞いでいる。
【０２５３】
ケースＣ１５４は、前方側にある本体１５４に、電源回路基板１２７と、マイクロ波加熱制御部１３０を取り付けた基板（図示せず）を取り付けてある。保守点検時には、この蓋１５４Ａを開けて内部にある電源回路基板１２７や、マイクロ波加熱制御部１３０の各種点検や修理ができるようにしている。
【０２５４】
このケースＣ１５４は、加熱室１１３からの熱の影響を受けないように、加熱室１１３の背面からできるだけ離して設置されている。また前記底板１０１Ｕからも離して設置してあり、万一、下部ケース１０１内部に、上部ユニット１００側から水や調理液などの液体が浸入した場合でも、電気絶縁性を損なうことが無いようにしている。
【０２５５】
図７で説明したように、上部ケース１６の底壁１６Ｓと下部ケース１０１の底板１０１Ｕとの対向間隔が最も大きい空間が、前記空洞１０４である。
前記空洞１０４には、後述するマイクロ波加熱装置１２０の一部を構成する導波管１２３が、前記加熱室１１３の背後において左右方向に長く配置され、前記導波管１２３よりも後方には、マイクロ波加熱制御部１３０に電力を供給する回路部品を実装した電源回路基板１２７の収容用ケースＣ１５４が、左右方向に長く配置されている。
【０２５６】
図７で説明したように、下部ケース１０１の前方側に設けた金属板製の前方水平壁１０１Ｔは、下部ケース１０１の前板１０１Ｆ上端を後方に折り曲げて形成したものである。そして、下部ケース１０１側の支持金具１９８は、前記上部ケース１６に固定されている。
【０２５７】
図７と図８において、１３１は、マイクロ波加熱時の電波漏洩対策として設けているドア開閉検知機構である。
マイクロ波加熱装置の安全性を担保するため、ドア開閉検知機構１３１の搭載が法的に要求されている。この種の代表的なドア開閉検知機構１３１は、日本特許第４３７２０９９号公報、特開平１１−２１４１４７号公報等の特許文献で知られている。
【０２５８】
前記特許文献によれば、ドア開閉検知機構１３１として、ラッチスイッチ、ドアスイッチ、モニタースイッチの３種類のスイッチを内蔵させ、これらのスイッチをドアの開閉に連動して、時間差をつけて開閉検知することが提案されている。
【０２５９】
また特開平１１−２１４１４７公報では、第１インターロックスイッチと、第２インターロックスイッチとにより、インバーター回路の電源を開閉し、また、第１インターロックスイッチが短絡故障した時に、電源回路に挿入されているヒューズをＯＦＦ状態するため、モニタースイッチを設けることが提案されている。
【０２６０】
図７と図８には、この実施の形態１で採用しているドア開閉検知機構１３１の主要部分を示している。これら図において、１３２Ａは、ラッチスイッチ、１３２Ｂは、ドアスイッチである。図示していないが、前記ラッチスイッチ１３２Ａと、ドアスイッチ１３２Ｂの何れか一方、又は双方が異常によって開放されない場合、前記インバーター回路基板１２１に実装されたインバーター回路１２１Ａの電源を遮断するための、モニタースイッチ１３３（図示せず）も設けてある。
【０２６１】
前記ラッチスイッチ１３２Ａは、ドア１１４側に固定されて突出しているピン１３４で押されて、内蔵した接点が開閉される。前記ドアスイッチ１３２Ｂは、ドア１１４側に固定されて突出しているピン１３５に押され、内蔵した接点が開閉される。
【０２６２】
１３６Ａは、ドア１１４の動きをラッチスイッチ１３２Ａに伝える連動棒であり、常にドア側へ復帰するように圧縮バネでドア方向に付勢されている。
１３６Ｂは、ドア１１４の動きをドアスイッチ１３２Ｂに伝える連動棒であり、常にドア側へ復帰するように圧縮バネでドア方向に付勢されている。
【０２６３】
１３７は、前記ラッチスイッチ１３２Ａ、ドアスイッチ１３２Ｂ、モニタースイッチ１３３（図示せず）、連動棒１３６Ａ、１３６Ｂ等を、一括して取り付けてある支持板である。この支持板１３７は、下部ケース１０１に対して、複数個のネジによって固定されている。ドア開閉検知機構１３１は、このように支持板１３７の上に装着された各種スイッチを中心として構成されている。
【０２６４】
前記ラッチスイッチ１３２Ａやドアスイッチ１３２Ｂの製造過程における取付け位置にバラツキが発生した場合、各々のスイッチを動作させるタイミングが規定値から外れることが懸念させる。そこで、この実施の形態１では、前記支持板１３７に、後述するドア１１４の閉鎖検知部１３９を取り付け、この支持板１３７の全体を取外し可能にしている。具体的には、前記したように複数のネジで支持板１３７に下部ケース１０１を強固に固定している。製造時やアフターサービス時において、閉鎖検知部１３９の動作確認や調整、交換等を行える。
【０２６５】
図７図〜図９において、１３８Ａは、インバーター回路基板１２１を収容したケースＡ１５０の上部に形成した連通口、１３８Ｂは、ケースＡ１５０の上下中間部に形成した連通口である。
【０２６６】
前記連通口１３８Ａは、図９に示しているように第３冷却ファン１２８からの冷却風ＲＦ５の一部分を、後述する空間１４１に案内するものである。
【０２６７】
前記連通口１３８Ｂは、図９に示しているように第３冷却ファン１２８からの冷却風ＲＦ５の一部分を、後述する空間１４２に案内し、後述する赤外線式温度センサー１６０の冷却用に利用している。
【０２６８】
温度センサー１６０は、中空状のセンサーケースと、センサーケースの内部に収納されるセンサー基板と、このセンサー基板の表面に搭載される１つ又は複数個の赤外線検出素子と、この赤外線検出素子に臨んで前記センサーケースに取付け固定されるレンズと、を主な構成要素として構成させている。なお、温度センサー１６０を、加熱室１１３の複数個所に設けて広い範囲の温度検知ができるようにしても良く、また温度センサー１６０の方向を固定せず、自動的にある角度範囲で揺動させて、広い角度の温度を検知させる形態でも良い。例えば、日本の特許文献として特開２０１８−５４２５０公報には、複数の温度センサーを利用することが提案されている。  
【０２６９】
図９において、１６１は、前記温度センサー１６０を臨ませた検知窓であり、前記温度センサー１６０の外周面との間に、冷却風が通過するような間隙を形成しても良い。実施の形態１では、数ｍｍ程度の間隙が形成されている。
【０２７０】
前記加熱室１１３は、その全体がステンレス鋼板等の金属製薄板によって形成されている。１６２は、磁器や耐熱性プラスチックで形成された調理皿である。この調理皿１６２は、加熱室１１３の前面開口１１３Ａから出したり、入れたりできるような外形寸法に形成されている。
【０２７１】
図９において、ＨＶは、前記調理皿１６２の上面から加熱室１１３の天井面までの有効高さ寸法である。ＨＸは、調理皿１６２の上面から加熱室１１３の中央を上方向に凹ませた凹部１１３Ｔの天井面までの最大高さ寸法である。この実施の形態１では、前記有効高さ寸法ＨＶは、９４ｍｍ、最大高さ寸法ＨＸは１００ｍｍである。これは１例であって、本発明はこの寸法の構成に何ら限定されたものではない。
【０２７２】
図１０において、ＷＨは、加熱室１１３の内側横幅寸法である。加熱室１１３は、この内側横幅寸法で前方の開口１１３Ａまで形成してあるので、被調理物やフライパン等の調理器具が挿入できるかどうかを決定する間口寸法とも言える。この内側横幅寸法ＷＨは、３１０ｍｍである。
【０２７３】
１６３は、加熱室１１３を外部から加熱する電気輻射式のヒータであり、例えばシーズヒータ、または薄いマイカ製の支持板全体にヒータ線を巻き付けた形態の、マイカヒータである。ヒータ１６３は２つのヒータから構成されている。
１６３Ａは、加熱室１１３の天井面の上に密着又は近接して固定されている上部ヒータであり、１６３Ｂは、加熱室１１３の底面の下に密着又は近接して固定されている下部ヒータである。
【０２７４】
上部ヒータ１６３Ａは、最大火力１２００Ｗ〜最小火力５０Ｗまでの範囲で、多段階の火力を選択できる。また下部ヒータも、最大火力１２００Ｗ〜最小火力５０Ｗまでの範囲で、多段階の火力を選択できる。
【０２７５】
図９において、１６６Ｒは、前記加熱室１１３の右側壁面との間に、空隙ＧＰ５Ｒを形成するように垂直に設置された右側仕切板であり、金属製薄板から形成されている。
１６６Ｌは、前記加熱室１１３の左側壁面との間に、空隙ＧＰ５Ｌを形成するように垂直に設置された左側仕切板であり、金属製薄板から形成されている。
加熱室１１３の左側と右側にある前記空隙ＧＰ５Ｌ、ＧＰ５Ｒには、断熱材（図示せず）が挿入されており、加熱室１１３の熱伝導を抑制している。
【０２７６】
１６７は、前記上部ヒータ１６３Ａの上方全体を覆う上部遮熱板であり、金属製の薄板又は耐熱性プラスチックから形成されている。
ＧＰ６は、前記上部遮熱板１６７と上部ヒータ１６３Ａとの間に形成した空隙であり、大きさは数ｍｍ〜１０ｍｍ程度である。この空隙ＧＰ６は外部との空気の流通をしないように、密閉空間になっている。上部遮熱板１６７の周縁部は、前記右側仕切板１６６Ｒ及び左側仕切板１６６Ｌとの上端縁を間に挟んだ形で、加熱室１１３の天井面に密着状態に固定されている。
【０２７７】
１６８は、前記上部遮熱板１６７と上下対称形の縦断面形状を有する下部遮熱板である。この下部遮熱板は、下部ヒータ１６３Ｂの下方全体を覆っており、金属製の薄板又は耐熱性プラスチックから形成されている。
【０２７８】
ＧＰ７は、前記下部遮熱板１６８と下部ヒータ１６３Ｂとの間に形成した空隙であり、大きさは数ｍｍ〜１０ｍｍ程度である。この空隙は外部との空気の流通をしないように、密閉空間になっている。下部遮熱板１６８の周縁部は、前記右側仕切板１６６Ｒ及び左側仕切板１６６Ｌの下端縁を間に挟んだ形で、加熱室１１３の底壁面に密着状態に固定されている。
【０２７９】
１６９は、前記上部遮熱板１６７の上方全体を覆うように、その上部遮熱板１６７の周辺部に重ねてある上部ケースである。１７０は、前記下部遮熱板１６８の下方全体を覆うように、その下部遮熱板１６８の周辺部に重ねてある下部ケースである。
【０２８０】
上部ケース１６９と下部ケース１７０は、図９に示すように、縦断面形状が上下対称形状であり、金属製薄板又は耐熱性プラスチックで形成されている。ＧＰ８は、前記上部ケース１６９と上部遮熱板１６７との間に形成した空隙であり、大きさは数ｍｍ〜１０ｍｍ程度である。この空隙ＧＰ８は外部との空気の流通をしないように、密閉空間になっている。
【０２８１】
ＧＰ９は、前記下部ケース１７０と下部遮熱板１６８との間に形成した空隙であり、大きさは数ｍｍ〜１０ｍｍ程度である。この空隙ＧＰ９は外部との空気の流通をしないように、密閉空間になっている。
【０２８２】
前記空隙ＧＰ６の中には、シート又は板状の断熱材１７５Ａ（図示せず）を配置している。同じく空隙ＧＰ８の中には、シート又は板状の断熱材１７５Ｂ（図示せず）を配置している。
【０２８３】
前記空隙ＧＰ７の中には、シート又は板状の断熱材１７５Ｃ（図示せず）を配置している。同じくＧＰ９の中には、シート又は板状の断熱材１７５Ｄ（図示せず）を配置している。これらの各断熱材１７５Ａ〜１７５Ｄは、１層構造ではなく、複数層を重ねた形態にすると、更に断熱性能が向上する。なお、各断熱材１７５Ａ〜１７Ｄの平面的な大きさ（縦・横寸法）は、少なくとも上部ヒータ１６３と下部ヒータ１６３Ｂの、それぞれの設置範囲よりも大きい。
【０２８４】
図９において、１７１は、前記上部ケース１６９の上方に、冷却風ＲＦ５が流れる通路１７２を区画形成した仕切板である。前記仕切板１７１後方壁面上部には、連通口１７３が開口しており、この連通口１７３に前記排気ダクト１０２の入口端部が接続されている。
１７４は、加熱室１１３の天井面の後部に形成した連通口であり、この連通口１７４に前記排気ダクト１０２の入口部が接続されている。１０２Ｅは、冷却風の最終出口となる終端部である。
【０２８５】
図１０に示しているように、前記排気ダクト１０２は、上下に２つの独立した内部通路１０２Ａ、１０２Ｂを備えており、その内、上側にある内部通路１０２Ａには、前記インバーター回路基板１２１を冷却したあとの冷却風ＲＦ５が流れる。
また、もう一方の内部通路１０２Ｂには、前記加熱室１１３内部に導入されて温度の上がった冷却風ＲＦ６が流れる。
【０２８６】
風路の開口面積を絞った冷却風ＲＦ５の排出口により、冷却風ＲＦ５の風速は大きくなる。このため、排出口付近において冷却風ＲＦ６が、前記冷却風ＲＦ５によって誘引される。このような作用により、加熱室１１３内部の気体が、内部通路１０２Ｂに吸引される。
これにより、２つの冷却風ＲＦ５、ＲＦ６が、ともに前記排気口２０から加熱調理器１の外部へ効率良く排出される。なお、このような誘引構造を採用せず、排気ダクト１０２に入る前の上流段階で合流させる方式を採用しても良い。
【０２８７】
図１０において、１８０は、前記加熱室１１３の背面壁（後壁面）１１３Ｂに形成した大きな給電口、１８１は、この給電口１８０を外側から閉鎖するカバーであり、マイクロ波を透過させる耐熱性プラスチックや耐熱性ガラスから板状に形成されている。カバー１８１は、背面壁（後壁面）１１３Ｂの外側に固定されている。
【０２８８】
カバー１８１は、背面壁（後壁面）１１３Ｂに密着している。このカバー１８１の背面側全体を覆うように、前記アンテナケース１２４が前記加熱室１１３の背面壁１１３Ｂに固定されている。カバー１８１は、図１０に示しているようにアンテナケース１２４の前面開口部の内側に挿入されている。
【０２８９】
１２３は、前記カバー１８１の更に背面側に接続された導波管である。前記アンテナ駆動用のモータ１２６は、このように導波管１２３の背面側に、耐熱性シール材１８４を介して固定されている。
【０２９０】
１２６Ａは、アンテナ駆動用モータ１２６の回動軸であり、前後方向に向けて水平に設置されている。回動軸１２６Ａの自由端側（前方端部）には、前記アンテナ１２５が固定されている。なお、回動軸１２６Ａは、プラスチックやセラミック材から形成されているが、アンテナ１２５側から一定の範囲だけを金属製にし、そこからアンテナ駆動用モータ１２６まではプラスチック、セラミック等の耐熱性と絶縁性に富む材料で形成しても良い。
【０２９１】
１８５は、前記回動軸１２６Ａを中心として、その周囲に所定の寸法で形成されている電波封印室である。この電波封印室は、いわゆるチョーク室構造になっている。また更に効果的なマイクロ波漏洩防止のために、チョーク構造物よりもアンテナ駆動用モータ１２６に近い側に、電波吸収体（図示せず）を配置し、前記回転軸１２６Ａの周囲からのマイクロ波漏洩防止を図っても良い。なお、マイクロ波加熱装置におけるチョーク構造は、日本の特許文献として、例えば特開２０１１−１７４６６９号公報、特開２０１０−２５５９７８号公報、特開昭６３−１７２８２８号公報（４分の１波長のチョーク室と電波吸収体の併用）等があるので、詳しい説明は省略する。
【０２９２】
図１０において、ＬＡは、加熱室１１３の背面壁（後壁面）１１３Ｂを起点にして、前記アンテナ駆動用モータ１２６の最後尾までの寸法を示している。以後、この寸法を「突出寸法」と呼ぶ。この突出寸法ＬＡを小さくすることが望ましいが、現実には上述したように、アンテナケース１２４、電波封印室１８５の寸法も必要であり、アンテナ駆動用モータ１２６の外形寸法を小さくしても、限界がある。この寸法ＬＡは７０ｍｍである。
【０２９３】
図１０において、ＧＰ１０は、前記アンテナ駆動モータ１２６の背面から下部ケース１０１の傾斜部１０１Ｃまでの間の空隙であり、モータ１２６の上端では６９ｍｍ、逆に下端と下部ケース１０１Ｃとの空隙は、５３ｍｍ程度である。この空隙ＧＰ１０の中に、前記ケースＣ１５４を配置することは寸法上無理であるため、この実施の形態１では、前記ケースＣ１５４を、前記アンテナ駆動モータ１２６の真後ろ（背後）から右方向にずらして配置している。
これにより、マイクロ波加熱装置１２０を加熱室１１３の背後の狭い空間に内蔵させることが可能となった。
【０２９４】
次に、ドア１１４の内部構造について説明する。
図１０において、１９０は、ドア１１４の外殻を構成する金属製又はプラスチック製のフレームであり、前方側から見ると額縁状に形成されている。１９２は、内枠であり、金属製板から形成されている。この内枠１９２の中央部には、覗き窓１９２Ｗとなる開口が形成されている。
【０２９５】
１９１は、前記内枠１９２の前方側全体を覆うように、当該内枠１９２と前記フレーム１９０との間に外周縁部を固定されたカバーであり、加熱室１１３を覗けるように透明な耐熱性プラスチックやガラス等で形成してある。
【０２９６】
１９３は、前記覗き窓１９２Ｗに対応する部分に、マイクロ波が透過しない寸法の、無数の小孔を形成した内側シール枠である。この内側シール枠は、全体が金属製薄板をプレス成形して形成され、外周縁部には、加熱室１１３側に入口（スリット）を形成したチョーク室１９４を形成している。
【０２９７】
１９５は、金属製の薄板からなるシール板である。このシール板１９５の外周縁部は、図１０に示すように内側シール枠１９３側に一連に曲がっている。前記チョーク室１９４は、このシール板１９５の外周縁部と前記内側シール枠１９３で囲まれた空間で、前記チョーク室１９４を形成している。
【０２９８】
ドア１１４を完全に閉じた状態では、前記シール板１９５の外周縁部と前記内側シール枠１９３の両者が、前記下部ケース１０１の前板１０１Ｆ表面に接触した状態となる。そのため、加熱室１１３内部に供給されたマイクロ波が、このドア１１４と加熱室１１３の前面の開口１１３Ａから漏洩しない。
【０２９９】
１９６は、前記内枠１９２の覗き窓１９２Ｗに対応する部分の内側に設けた透明なシール板であり、耐熱性ガラスで製造されている。１９７は、前記ドア１１４の上面に沿って、少なくともドア１１４の横幅と同等な横幅寸法を有する金属製の上部遮蔽板である。この上部遮蔽板１９７は、ドア１１４の上面に近接して庇状に設けてあり、かつ下部ケース１０１に電気的に繋がるよう金属製ネジ等の固定具で下部ケース１０１に固定されている。
【０３００】
前記ドア１１４は、その下部が下部ケース１０１にヒンジ部（図示せず）によって支持されているため、取っ手部１１５を持って手前に引けばドア１１４を開けることができる。
このような開放の初期においてドア１１４と下部ケース１０１との重合部が、瞬間的に空隙が生じてマイクロ波の一部分が漏洩する懸念があるが、この実施の形態１では、前記上部遮蔽板１９７によって、そのような不要なマイクロ波の漏洩をドア１１４の上方で抑制できる。
【０３０１】
図１２において、２０１は、前記加熱室１１３の右側壁面の前方部に形成した導入口であり、マイクロ波が漏洩しないような口径の小さい多数の孔から形成されている。この導入口２０１を加熱室１１３の右側壁面の前方部に設けた理由は、ドア１１４の内側付近へ前記冷却風ＲＦ６の一部を供給し、ドア１１４の覗き窓１９２Ｗの曇りを抑制するためである。
前記導入口２０１には、マグネトロン１２２の放熱部１２２Ｈを冷却した後の冷却風ＲＦ６が、空隙ＧＰ５Ｒによって案内される。
【０３０２】
導入口２０１よりも冷却風ＲＦ６の流れで上流側には、前記温度センサー１６０があり、その温度センサー１６０の部分で、一部の冷却風ＲＦ６は、加熱室１１３の内部へ吹き出されるので、導入口２０１に至る冷却風ＲＦ６の量は、少ない。しかし、この導入口２０１から空気を入れている目的は、前記ドア１１４の内側にあるシール板１９６の「曇り抑制」であり、少ない風量で何ら問題はない。なお、この温度センサー１６０の周囲にある狭い間隙から空気を供給することを採用しなくとも良い。
【０３０３】
次に、再び図１９に示すブロック図を参照しながら、下部ユニット２００における各種制御手段の詳細について説明する。
マイクロ波加熱制御部１３０は、前記インバーター回路基板１２１のインバーター回路１２１Ａや前記マグネトロン１２２、アンテナ駆動用モータ１２６、及び２つの冷却ファン１２８、１２９に供給される電力を制御し、それらの動作の開始、停止や動作条件等を制御するものである。
【０３０４】
このマイクロ波加熱制御部１３０の電源回路は、前記電源回路基板５５に実装されている電源回路９１と別に用意されており、マイクロ波加熱装置１２０の専用回路である。なお、電源回路９１から電源を供給しても良い。
マイクロ波加熱制御部１３０の電源回路は、電源回路基板１２７の上に実装されている。この電源回路基板１２７の上には、交流電源を直流に変換する各種電気部品（ダイオード等）が実装され、ケースＣ１５４の中に密封状態に収容されている（図７参照）。
【０３０５】
マイクロ波加熱制御部１３０は、前記電力制御部７２からの指令信号を受信した場合、その指令信号に応じて、マイクロ波加熱装置１２０の総電力消費量を減らすように動作し、マグネトロン１２２の出力を下げるような指令信号を、インバーター回路１２１Ａへ送信する機能がある。
【０３０６】
前記マイクロ波加熱制御部１３０には、マグネトロン１２２の放熱部１２２Ｈの温度を検出する温度センサーＴＳ１を備えている。マイクロ波加熱調理が終わっても、マグネトロン１２２の放熱部１２２Ｈの温度が規定値よりも高い場合には、温度が下がるまで第４冷却ファン１２９の運転を継続させるための指令信号を当該第４冷却ファン１２９に対して発信する。
【０３０７】
１３９は、ドア１１４の閉鎖検知部である。この閉鎖検知部１３９は、ラッチスイッチ１３２Ａ、第２ドアスイッチ１３２Ｂ、モニタースイッチ１３３のいずれかまたは２つ以上の開閉状況を各回路に流れる電流または開閉信号によって検知するものである。
【０３０８】
この閉鎖検知部１３９を構成する回路基板は、前記支持板１３７に取り付けてあるので、支持板１３７を取り外して検査したり、設置したまま計測したりして、正常に動作するものであるかどうかの検査ができる（図７参照）。
【０３０９】
１５８は、加熱室１１３の中に置かれた食品や調理器具等の温度を検出する非接触温度計測部（赤外線温度計測部）であり、前記温度センサー１６０と、この温度センサーからの計測信号を解析して温度情報に変換する回路（図示せず）等から構成されている。
【０３１０】
加熱室制御部１５９は、前記上部ヒータ１６３Ａと下部ヒータ１６３Ｂに供給される電力を制御し、それらの動作の開始、停止や動作条件（火力、すなわち発熱量）等を制御するものである。この加熱室制御部１５９の制御回路は、制御回路基板（図示せず）に実装されている。
【０３１１】
加熱室制御部１５９は、前記電力制御部７２からの指令信号を受信した場合、その指令信号に応じて、上部ヒータ１６３Ａと下部ヒータ１６３Ｂの総電力消費量を減らすように動作し、上部ヒータ１６３Ａと下部ヒータ１６３の出力を下げるような指令信号を送信する機能がある。なお、上部ヒータ１６３Ａと下部ヒータ１６３の出力を下げるために単位時間あたりの通電率を変化させて実質的な火力を変化させることも行う。
【０３１２】
次に加熱調理器１のＩＨコイル１７Ｌ、１７Ｒの駆動回路の構成例について説明する。図２２の説明上、1つのＩＨコイル１７Ｒだけを示した回路の例で説明する。
【０３１３】
加熱調理器１では、駆動回路７４により高周波電力が各ＩＨコイル１７Ｌ、１７Ｒに供給されることで、誘導加熱動作が行われる。
前記駆動回路７４は、ＩＨコイル毎に備える。図２２では、ＩＨコイル１７Ｒの駆動回路７４の構成例を示す図である。左側のＩＨコイル１７Ｌでも駆動回路は同一であってもよいし、異なっていてもよい。
【０３１４】
駆動回路７４は、図２２に示すように、直流電源回路７５、インバーター回路８１Ｒ、共振コンデンサー７６、入力電流検出部７７ａおよび出力電流検出部７７ｂを備える。
入力電流検出部７７ａと出力電流検出部７７ｂの電流検出データは、ＩＨ制御装置９０へ送られる。
【０３１５】
入力電流検出部７７ａは、交流電源９９から直流電源回路２２へ入力される電流、すなわち駆動回路７４へ入力される電流を検出し、検出した値すなわち入力電流値を示す電圧信号をＩＨ制御装置９０へ出力する。９９は、商用交流電源である。
【０３１６】
直流電源回路７５は、ダイオードブリッジ７８ａ、リアクタ７８ｂ、平滑コンデンサー７８ｃと、を備え、交流電源９９から入力される交流電圧を直流電圧に変換して、インバーター回路８１Ｒへ出力する。
【０３１７】
インバーター回路８１Ｒは、スイッチング素子としてのＩＧＢＴ７９ａ、７９ｂが直流電源回路７５の出力に直列に接続された、いわゆるハーフブリッジ型のインバーターである。インバーター回路８１Ｒでは、フライホイールダイオードとしてダイオード７９ｃ、７９ｄがそれぞれＩＧＢＴ７９ａ、７９ｂと並列に接続されている。
インバーター８１Ｒは、直流電源回路７５から出力される直流電力を２０ｋＨｚ〜８０ｋＨｚ程度の高周波の交流電力、いわゆる高周波電力に変換して、ＩＨコイル１７Ｒと共振コンデンサー７６とからなる共振回路に供給する。
【０３１８】
共振コンデンサー７６を含む共振回路は、ＩＨコイル１７Ｒのインダクタンスおよび共振コンデンサー７６の容量等に応じた共振周波数を有する。
【０３１９】
このように構成することで、ＩＨコイル１７Ｒには数十Ａ程度の高周波電流が流れ、流れる高周波電流により発生する高周波磁束によってＩＨコイル１７Ｒの直上のトッププレート１５上にある被加熱物Ｎが誘導加熱される。
【０３２０】
ＩＧＢＴ７９ａ、７９ｂは、例えばシリコン系からなる半導体で構成されているが、炭化珪素、あるいは窒化ガリウム系材料などのワイドバンドギャップ半導体を用いた構成でも良い。
【０３２１】
スイッチング素子としてのＩＧＢＴ７９ａ、７９ｂに、ワイドバンドギャップ半導体を用いることで、スイッチング素子としてのＩＧＢＴ７９ａ、７９ｂの通電損失を減らすことができる。またスイッチング周波数すなわち駆動周波数を高周波にしても、すなわち高速にスイッチングしても放熱が良好となる。このため、スイッチング素子（ＩＧＢＴ）７９ａ、７９ｂを取り付けたヒートシンク８２の放熱フィンを小型にすることができ、駆動部の小型化および低コスト化を実現することができる。
【０３２２】
出力電流検出部７７ｂは、ＩＨコイル１７Ｒと共振コンデンサー７６とからなる共振回路に接続されている。出力電流検出部７７ｂは、例えば、ＩＨコイル１７Ｒに流れる電流、すなわち駆動回路７４から出力される電流を検出し、検出した値に相当する電圧信号をＩＨ制御装置９０に出力する。本構成ではハーフブリッジ型のインバーターで説明したが、ＩＨコイル１７Ｒを駆動する回路は、フルブリッジ型のインバーターでも良い。また、図２２で説明した回路は、電流共振型であったが、電圧共振型を採用しても良い。
【０３２３】
無線通信部４９は、図１３でも説明したが、家庭内の家電機器類の電力使用量や運転情報等を統合的に管理している家庭内制御機器（図示せず）と無線通信を行うための無線通信手段であり、無線信号を送受信することができる。前記家庭内制御機器は、インターネット等の公衆無線通信網を介して、スマートホンと呼ばれるような携帯用情報端末やタブレット型端末機器等にも接続できる。なお、家庭内制御機器の１例として、ＨＥＭＳコントローラと呼ばれる電力管理装置がある。この実施の形態１では、図１４、図１５で説明したように、中央操作部４０Ｍの入力キー４３ＫＰを押して、統合制御装置ＭＣを「機能モード」に切り替え、「ＨＥＭＳ登録設定」が統合表示画面３０を見ながら実行できる機能がある。
【０３２４】
前記無線通信部４９は、統合制御装置ＭＣと配線により接続されているが、配線が長いほどノイズの影響を受けやすいため、無線通信部４９と統合制御装置ＭＣは近くに配置し、無線通信部４９と統合制御装置ＭＣを接続する配線を短くすることが望ましい。
【０３２５】
前記したノイズの影響を考えて、この実施の形態１では、無線通信部４９は、入力操作部４０の右端部に設置してある。具体的には、無線通信部４９は操作基板４１の右端部に設置してある。また、統合制御装置ＭＣは、入力操作部４０の左右中央部に設置してある（図１４参照）
【０３２６】
無線通信部４９は、内部に無線信号を送信または受信、または送受信するアンテナ部を有しており、より無線信号を送受信しやすくするため、無線通信部４９のアンテナ部がトッププレート１５の直下となるように配置することが望ましい。
【０３２７】
（中央操作部の制御メニュー）
次に、中央操作部４０Ｍによって統合表示部３０に表示され、選択できる制御メニューについて、図２３を参照しながら説明する。
【０３２８】
前述したように、左操作部４０Ｌと右操作部４０Ｒで選択できる「制御メニュー」は、図２５に示しているような、例えば、湯沸し、煮込み、揚げ物（自動調理）等である。
しかしながら、中央操作部４０Ｍによって選択できる制御メニューは、図２３に示しているように１１種類ある。これら１１種類の制御メニューを総称して、中央操作部４０Ｍの「制御メニュー群」という場合がある。
【０３２９】
中央操作部４０Ｍによって選択できる制御メニューは、マイクロ波加熱源１８９とオーブン加熱源１８８の一方又は双方を使用する。このため、鍋等の被加熱物を介して間接的に食材が加熱される誘導加熱の制御メニューとは基本的に異なる。
【０３３０】
中央操作部４０Ｍによって選択できる「制御メニュー」とは、マイクロ波加熱源１８９又はオーブン加熱源１８８で加熱して得られる最終的な調理の名称や食材の名称とは異なる。例えば「ハンバーグ」や「天ぷら」は加熱調理された食品の名称であり、ここでいう「制御メニュー」ではない。
「制御メニュー」とは、調理を完成させるまでの加熱の種類、方法や条件等を考えて、大きく分類したものとも言えるため、制御メニューの名称は、例えば「あたため」や「オーブン（調理）」などのように概念的、総括的である。
【０３３１】
図２３を参照しながら中央操作部４０Ｍによって選択できる制御メニューについて、以下詳しく説明する。
図２３の「左表示エリア」とは、統合表示部３０の第１エリア（表示エリア）３０Ｌを意味している。「中央表示エリア」とは、同じく第２エリア３０Ｍのことであり、「右表示エリア」とは、同じく第３エリア３０Ｒを意味している。
【０３３２】
中央操作部４０Ｍの入力キー４３ＭＣが操作されると、前記統合表示部３０の第１エリア３０Ｌには、図２３の左表示エリアの「あたため」という制御メニューが必ず最初に表示される。この「あたため」という制御メニューがデフォルト設定してあるからである。
【０３３３】
図２３の「左表示エリア」から明らかなように、「あたため」以外には、「レンジ手動」や「葉菜下ゆで」、「ＲＧ調理」「グリル」、「オーブン」など合計１１個の制御メニューがある。但し、図２３の「左表示エリア」の最下段に記載の「中央ヒータ」は、上記上部ユニット１００では対応していないので、実際には表示されない。この「中央ヒータ」とは、上部ユニット１００において、右加熱部１７ＨＲと左加熱部１７ＨＬの間に、別の誘導加熱部を増設した場合に対応するものである。また「ＲＧ」とは、レンジグリルの略称である。
【０３３４】
図２３の「中央表示エリア」に記載された内容は、統合表示部３０の第２エリア（表示エリア）３０Ｍに表示される内容を示している。「中央表示エリア」のデフォルト設定の内容は、その「中央表示エリア」の右の列に列挙している。
【０３３５】
図２３の「右表示エリア」に記載された内容は、統合表示部３０の第３エリア（表示エリア）３０Ｒに表示される内容を示している。「右表示エリア」のデフォルト設定の内容は、その「右表示エリア」の右の列に列挙している。空白の部分は、何も表示されないことを意味している。
【０３３６】
以上のようなルールで、制御メニューのデータベースが作成されている。
このため、中央操作部４０Ｍの入力キー４３ＭＣが操作されると、前記統合表示部３０の第１エリア３０Ｌには、「あたため」、第２エリア３０Ｍには、「８０℃」、第３エリア３０Ｒには、制御条件は何も表示がされないことになっている。そこで、この実施例では、第３エリア３０Ｒに、加熱調理に参考となる情報（以下、「案内情報３０Ｐ」という）が表示される。これについては、後で図３５等を参照しながら説明する。
【０３３７】
中央操作部４０Ｍの「制御メニュー群」の中から、ユーザーが１つの「制御メニュー」を第１エリアの中央部に表示すると、この制御メニューに対応する制御条件（温度や火力、時間など）が、第２エリア３０Ｍと第３エリア３０Ｒに同時に表示される。その後に加熱動作開始を指令する入力キー４３ＭＳがユーザーによって操作されると、マイクロ波加熱源１８９やオーブン加熱源１８８による加熱動作が開始される。
【０３３８】
図２３に示した制御メニューの具体的な内容、制御条件、付加情報等の詳細なデータと表示プログラム等は、統合制御装置ＭＣの記憶部に格納されている。
以下、主な制御メニューについて説明する。
【０３３９】
（１）あたため：マイクロ波加熱源１８９を使用して食品を加熱することをいう。食品の再加熱の場合も、この「あたため」が適する。デフォルト設定で「８０℃」となっているので、食品が加熱されて８０℃になった時点で自動的にマイクロ波照射は停止する。なお、「８０℃」は、目標温度であり、この温度は加熱開始前にユーザーが調節できる。図２３に示すように、０℃〜９０℃の範囲では５℃刻みで設定できる。冷凍品の加熱では−１０〜０℃の範囲において、２℃刻みで設定可能である。なお、マイクロ波加熱出力は、５００Ｗで固定されている。
【０３４０】
（２）レンジ手動：マイクロ波加熱源１８９を使用して食品を加熱することをいうが、加熱時間を設定して行うものである。また、マイクロ波加熱出力も、５００Ｗ、２００Ｗ、１００Ｗの３段階から選べる。加熱時間もデフォルト値は１分間であるが、５００Ｗ出力では、１０秒から１５分間までの間で設定できる。
【０３４１】
（３）葉菜下ゆで：マイクロ波加熱源１８９を使用して食品、特に、葉を食用とする野菜、例えば、ほうれん草、白菜などの葉菜類を茹でることに適するものである。マイクロ波加熱出力値は表示されず、第２エリアには、デフォルト表示として「標準」と表示される。非接触温度計測部（赤外線温度計測部）１５８が温度上昇を計測し、自動的に加熱を停止する。
【０３４２】
（４）根菜下ゆで：マイクロ波加熱源１８９を使用して食品、特に、根や地下茎等を食べるじゃが芋などの根菜類を茹でることに適するものである。マイクロ波加熱出力値は表示されず、第２エリアには、デフォルト表示として「標準」と表示される。なお、火力値は、加熱調理器１側で事前に決めているので、火力を調整する場合には、第２エリアのデフォルト表示の「標準」を、「弱め」や「強め」等に変える（選択する）必要がある。
【０３４３】
（５）肉解凍：冷凍した各種の肉類を解凍する場合に適する制御メニューである。
（６）ＲＧ調理：加熱室１１３を使用した調理に適するものであり、マイクロ波加熱とオーブン加熱を組み合わせて加熱調理するものである。なお、マイクロ波加熱を先に行い、ある程度食品を加熱してから、上部ヒータ１６３Ａや下部ヒータ１６３Ｂで加熱するパターンと、この逆の順序で加熱するパターン、及びマイクロ波加熱とヒータ加熱を同時に行うパターンの３種類がある。マイクロ波加熱時の火力値（ワット）は、表示されず、ユーザーは第２エリア３０Ｍの表示を見て、「弱め」、「強め」等の何れか１つを選択して加熱強度を選択できる。
【０３４４】
（７）ＲＧ再調理：加熱室１１３を使用して、調理済の食品を再度加熱する場合に適するものである。
（８）ＲＧ手動：加熱室１１３を使用した調理に適するものであり、マイクロ波加熱とオーブン加熱を組み合わせて加熱調理するものである。なお、マイクロ波加熱を先に行い、ある程度食品を加熱してから、上部ヒータ１６３Ａや下部ヒータ１６３Ｂで加熱するパターンと、この逆の順序で加熱するパターン、及びマイクロ波加熱とヒータ加熱を同時に行うパターンの３種類がある。
【０３４５】
（９）グリル：加熱室１１３を使用して、食品を加熱するものであり、加熱源としては、上部ヒータ１６３Ａと下部ヒータ１６３Ｂの一方又は両方が使用される。前述したように加熱室１１３の温度管理は行わず、また食品の温度上昇を検知して加熱動作を停止するという制御も行わない。上部ヒータ１６３Ａと下部ヒータ１６３Ｂの火力は、加熱調理器１側の加熱室制御部１５９で事前に決めている。代表的な適用調理としては、焼き魚がある。因みに、上部ヒータ１６３Ａの定格火力は、１０００Ｗであり、下部ヒータ１６３Ｂの定格火力も１０００Ｗである。
（１０）オーブン：加熱室１１３を使用して、食品を加熱するものであり、加熱源としては、上部ヒータ１６３Ａと下部ヒータ１６３Ｂの一方又は両方が使用される。加熱室１１３の温度は、温度計測部１５８によって計測され、設定した目標温度になるように加熱室制御部１５９により通電制御が行われる。図２３に示すように、デフォルト温度は１８０℃であるので、ユーザーは必要であれば、この目標温度を変更できる。なお、「グリル」のところで説明したように、上部ヒータ１６３Ａの定格火力は、１０００Ｗであり、下部ヒータ１６３Ｂの定格火力も１０００Ｗである。そして、これら上部ヒータ１６３Ａと下部ヒータ１６３Ｂに対する通電率を加熱室制御部１５９で制御し、それら２つのヒータ１６３Ａ、１６３Ｂの発熱量を制御している。
【０３４６】
（加熱調理器の動作）
次に、上記の構成からなる加熱調理器１の動作の概要を、図２４〜図３０を中心に説明する。
【０３４７】
図２４は、加熱調理器１の調理開始前の制御動作の全体を説明するためのフローチャートである。
図２５は、加熱調理器１における誘導加熱調理時の制御動作を説明するためのフローチャートである。
【０３４８】
図２６は、加熱調理器１で、誘導加熱調理中にマイクロ波加熱を行う場合の制御動作を説明するためのフローチャートである。図２７は、図１の加熱調理器１の制御動作を説明するためのフローチャートである。図２８は、加熱調理器１の制御動作を説明するためのフローチャートである。図２９は、加熱調理器１の制御動作を説明するためのフローチャートである。図３０は、加熱調理器１の冷却ファンと、加熱調理の種類との対応関係を示す一覧表である。
【０３４９】
図２４について説明する。
電源投入から調理準備開始までの基本動作プログラムが、統合制御装置ＭＣの内部にある記憶装置ＭＭに格納されている。
ビルトイン型の加熱調理器１では、電源プラグ１０６Ａは厨房家具２の設置時から常に商用（交流）電源９９に接続されているので、使用者は、主電源スイッチ９７の操作ボタン９８（図１９参照）を押して電源を投入する（図２４のステップＳＴ１）。
【０３５０】
すると電源回路基板５５の中の直流電源変換部９２を介して所定の低い電源電圧が統合制御装置ＭＣに供給され、統合制御装置ＭＣは起動される。統合制御装置ＭＣ自身の制御プログラムにより自己の異常有無の診断を開始する。
【０３５１】
そして誘導加熱源９を集中制御するＩＨ制御装置９０、加熱室制御部１５９及びマイクロ波加熱制御部１３０の異常有無をチェックする。
【０３５２】
上部ユニット１００の温度検出回路９３には、トッププレート１５の温度、インバーター回路８１Ｌ、８１Ｒ、統合表示部３０の近傍等の温度を検知するために合計７個の温度センサーＴＳ３〜ＴＳ９を接続しているので、それら温度センサーの検出温度は、前記温度検出回路９３に伝達される。これによって、ＩＨ制御装置９０は、異常の有無を判定できる（ＳＴ２）。
【０３５３】
また、加熱室制御部１５９とマイクロ波加熱制御部１３０においても、温度センサーＴＳ１、ＴＳ２からの検出温度を取得して異常有無を判定できる。
【０３５４】
ステップＳＴ２で「外部に起動情報送信」とあるが、これは無線通信部４９から、キッチン等の居住空間にある「統合情報管理装置」又は「統合電力制御装置」（ＨＥＭＳコントローラ）等と呼ばれる「家庭内制御機器」（図示せず）に、加熱調理器１の運転開始の予告を行うことをいう。これについては、あとで説明する。
【０３５５】
ＩＨ制御装置９０には、上部ユニット１００に内蔵した主要な構成部分の温度情報が集まるので、ＩＨ制御装置９０は、調理開始前の異常監視制御として、異常加熱判定処理を行う。例えば、温度センサーＴＳ７が検出した温度が、統合表示部３０における液晶表示画面３０Ｄ等の電子素子の耐熱温度（例えば７０℃）よりも高い場合、ＩＨ制御装置９０は異常高温と判定する。そして、統合制御装置ＭＣに異常を報知し、運転開始できないことを表示したり、報知したりする等の処理を実行する。
【０３５６】
異常が発見されない場合、ＩＨ制御装置９０は、統合制御装置ＭＣに信号送信する。すると、統合表示部３０が起動され、「異常がないので、調理を開始できること」旨を表示する（ＳＴ３）。なお、この初期時点での表示画面は、図３２を参照して後で説明する。
これと同時に、音声合成装置９５によって、統合表示部３０で表示した内容と同様な内容を音声で報知する（ＳＴ３）。
【０３５７】
ステップＳＴ３では、無線通信部４９は、前記「家庭内制御機器」にアクセスし、健康管理に有益な調理メニュー、レシピ情報等の情報を、事前に使用者が設定していた範囲で取得する。例えば、事前にこの加熱調理器１の使用者が、携帯情報端末機器等を使ってインターネット回線経由で「家庭内制御機器」に送信していた情報も、この統合表示部３０の起動時に取得できる。なお、何らかの情報を取得した場合には、上部ユニット１００の入力操作部４０の近くに設けた専用の注意情報ランプ（図示せず）を点灯させて使用者へ報知する。
【０３５８】
次に上記のように異常判定が完了したあと、統合制御装置ＭＣは、統合表示部３０と音声合成装置９５によって、加熱手段の選択を促すための報知と、音声ガイドを行う（ＳＴ４）。
【０３５９】
そして、下部ユニット２００の加熱源の選択が行われたかどうかを、入力操作部４０にある中央操作部４０Ｍの操作情報からＩＨ制御装置９０が判定する（ＳＴ５）。
【０３６０】
一定の猶予時間（例えば３０秒間）内に選択が行われなかった場合、あるいは、ステップＳＴ４の直ぐ後で、使用者が左操作部４０Ｌ又は右操作部４０Ｒの、少なくとも何れか１つを操作した場合、上部ユニットＳＴ６の加熱源、すなわちＩＨコイル１７Ｌ、１７Ｒだけが選択されたものと判断する（ステップＳＴ６で、「Ｙｅｓ」）。
【０３６１】
以上のようにステップＳＴ６が「Ｙｅｓ」であった場合には、次のステップＳＴ１０に進む。以後の誘導加熱の制御ステップについては、あとで図２５を参照しながら説明する。
【０３６２】
一方、ステップＳＴ５において、下部ユニット２００の加熱源の選択が行われた場合、統合制御装置ＭＣは、下部ユニット２００が備えている２つの加熱源のメニュー選択ステップＳＴ８に進む。なお、このステップＳＴ５は、中央操作部４０Ｍを操作した場合である。
【０３６３】
ステップＳＴ８では、図２４に示しているように、４つのメニューが前記統合表示部３０に一覧状態で表示される。又は一定の順番で順次表示される。
【０３６４】
図１８のステップＳＴ８の段階で表示されるメニューが、下部ユニット２００の加熱源を基準にして、以下の４つのメニュー選択部が表示される。
（１）上部ヒータ１６３Ａと下部ヒータ１６３Ｂの少なくとも何れか一方を使用する調理のメニュー（ＳＴ９Ａ）。図２３で示した制御メニューの「グリル」や「オーブン」が該当する。
（２）上記（１）に加え、マイクロ波加熱装置１２０を併用する調理メニュー（ＳＴ９Ｂ）。これは、図２３で示した制御メニューの「ＲＧ調理」が該当する。
（３）マイクロ波加熱装置１２０を使用する調理メニュー（ＳＴ９Ｃ）。これは、図２３で示した制御メニューの「レンジ手動」や「葉菜下ゆで」等が該当する。
（４）上部ヒータ１６３Ａと下部ヒータ１６３Ｂの少なくとも何れか一方と、マイクロ波加熱装置１２０の少なくとも何れか一方と、上部ユニット１００の誘導加熱源（ＩＨコイル１７Ｌ、１７Ｒ）を組わせて使用する調理メニュー（以下、これを「連携調理メニュー」という）（ＳＴ９Ｄ）。これは、図２３の第１エリア３０Ｌで示した制御メニューの中には含まれていない。
【０３６５】
なお、ステップＳＴ１０の段階から破線にてステップＳＴ９Ｄに進むルートが示されているが、このように上部ユニット１００の加熱源を選択しようと操作を進めたあとで、途中から連携調理の方が良いと分かった場合には、前記ステップＳＴ５に戻ることなく、連携調理のメニューを選択できるようにしても良い。また、これと同様に、途中から連携調理に進めることができるよう別の機会で連携調理を選択できるようにしている。これについては、次の図２５で説明する。
【０３６６】
図２５は、誘導加熱のメニューを選択したステップ（ＳＴ１１）以後の、統合制御装置ＭＣの動作ステップを示したものである。
【０３６７】
次に、誘導加熱時の制御動作について図２５を参照しながら説明する。
なお、以下は右加熱部１７ＨＲを使用する例で説明する。
右側にある入力キー４３Ｒ１に触れると、ＩＨ制御装置９０は加熱準備動作を使用者が指令したと判定する。
【０３６８】
ＩＨコイル１７Ｒの上方に被加熱物（金属製の鍋やフライパン等）が載置されているか否か、または被加熱物の底部面積が所定値より大きいか否かが推定され、この推定結果がＩＨ制御装置９０に伝達され、標準の径の鍋に適する加熱処理にするか大径鍋に適する加熱処理にするか等が決定される（ステップＭＳ１）。
適合鍋であるが大径鍋である場合、あるいは加熱不適合等の場合は、標準鍋とは別の処理になる。
【０３６９】
ＩＨ制御装置９０からの指令を受けて、統合制御装置ＭＣは、統合表示部３０の表示画面３０Ｄに対し、希望する調理の「制御メニュー」を選択するように促す表示をする（ＭＳ２）。
【０３７０】
使用者が調理の「制御メニュー」や火力、調理時間などを右操作部４０Ｒで選択、入力した場合（ＭＳ３）、本格的に右加熱部１７ＨＲにおいて誘導加熱動作が開始される（ＭＳ４）。
統合表示部３０に表示される「制御メニュー」としては、「高速加熱」、「揚げ物」、「湯沸し」、「予熱」、「炊飯」、「茹で」、「湯沸し＋保温」、「連携加熱」という８つである。但し、操作性を簡略化するため、後述する「機能設定」で上記８つの制御メニューの一部又は全部の選択をできないように設定しても良い。
【０３７１】
使用者がこれら８つの制御メニューの中の何れか一つを選択した場合、それら制御メニューに対応した制御条件がＩＨ制御装置９０の内蔵プログラムによって自動的に選択され、ＩＨコイル１７Ｒの通電量（火力）、通電時間などが設定される。調理メニューによっては使用者に任意の火力や通電時間等を設定するように促す表示を表示部に行う（ＭＳ５）。
【０３７２】
以上のような表示を行ってから一定の時間（例えば、１５秒又は３０秒）内に、使用者がキー４３Ｒ１を操作して使用中止しない限り、その時間経過後、ＩＨ制御装置９０は誘導加熱回路９４Ｒのインバーター回路８１Ｒを駆動し、誘導加熱を開始する（ＭＳ６）。
【０３７３】
「大径鍋」の場合も基本的には上記ステップＭＳ１〜ＭＳ７と同様であるが、制御メニューとしては、図２５に示した８つの制御メニューの一部は選択できない。「高速加熱メニュー」は、左側にある大径のＩＨコイル１７Ｌを使って、「通常鍋」又は「大径鍋」だけの場合しか加熱できない。なお小型鍋とはこの実施の形態１では鍋底面の直径が１０ｃｍ未満のものをいい、誘導加熱に適さないものとして検知され、誘導加熱できない。
【０３７４】
次に、誘導加熱とマイクロ波加熱などのように、異なる種類の加熱源を２つ以上同時に使用した場合の、統合電力制御動作について図２６〜図２８を参照しながら説明する。なお、これら図２６〜図２８で説明する例は、前記した「連携調理」の場合ではない。
【０３７５】
図２６に示した例は、最初に上部ユニット１００で誘導加熱調理を行っている期間中に、使用者が下部ユニット２００の加熱室１１３を使って、マイクロ波加熱を行おうとした場合である。なお、誘導加熱調理を行っている期間中に、上部ヒータ１６３Ａと下部ヒータ１６３Ｂの両方又は何れか一方を使用して、オーブン調理やグリル調理等を行う場合でも、この図２６で説明したような基本的な（加熱調理器１全体での）総電力制御が、統合制御装置ＭＣと電力制御部７２によって行われる。
【０３７６】
誘導加熱調理を行っている期間中に、使用者が下部ユニット２００の加熱室１１３を使って、マイクロ波加熱を行おうとすると、最初に入力操作部４０の中央操作部４０Ｍで、下部ユニット２００の加熱源を選択する方法がある。
しかしながら、簡単に行う方法はそのままドア１１４を開けることである。つまり、この実施の形態１では、上部ユニット１００が運転されている場合（主電源スイッチ９７がＯＮ状態である場合）は、そのまま下部ユニット２００による調理を開始できる。従って。上部ユニット１００のような主電源スイッチ９７を入れる操作は必要ではない。
【０３７７】
ドア１１４を開けると、ドア開閉検知機構１３１の主要部分で説明したように、ドア１１４の開閉に応じて開閉されるラッチスイッチ１３２Ａとドアスイッチ１３２Ｂがあるので、前記主電源スイッチ９７を投入した段階で、前記ラッチスイッチ１３２Ａとドアスイッチ１３２Ｂの双方又は何れか一方の開放を、統合制御装置ＭＣが適当な手段（センサーやスイッチ等で）監視していれば良い。
【０３７８】
図２６において、上記したように加熱室１１３のドア１１４が開放されたことを示す信号を受信した場合、統合制御装置ＭＣは、使用者に対して音声ガイドを行う（ステップＳ２）。音声ガイドの内容は、例えば、「加熱を開始するためには、スタートボタンを押して下さい」等である。
【０３７９】
マイクロ波加熱のデフォルト設定では、目標温度８０℃であるので、ドア１１４を閉めて、そのまま加熱開始しても被調理物温度が８０℃になったと検知された段階で自動的に停止する。なお、８０℃を変更（例えば７５℃）する場合には、温度条件を変更してから入力キー４３ＭＳ（図１５参照）を押せば良い。
【０３８０】
使用者が、「加熱開始」という指示を中央操作部４０Ｍの入力キー４３ＭＳで行った場合、マグネトロン１２２で定まっている定格消費電力値に、第３冷却ファン１２８、第４冷却ファン１２９等の消費電力も反映して事前に分かっている消費電力値を使用し、統合制御装置ＭＣはステップＳ３において総電力規制値を超過するかどうかの判定を行う。
【０３８１】
例えば、先に開始している誘導加熱調理の火力値や第１冷却ファン６０、第２冷却ファン６１の消費電力量もデータとして統合制御装置ＭＣは保有しているので、上部ユニット１００の消費電力とマイクロ波加熱装置１２０の消費電力の合計値が算定できる。なお、統合制御装置ＭＣが、中央操作部４０Ｍの操作があった段階で、インバーター回路８１の消費電力データを取得しても良い。
【０３８２】
ステップＳ３が「Ｙｅｓ」の場合には、稼働しているＩＨコイル１７Ｒの出力を下げるか、マイクロ波加熱の火力の何れかを下げる必要ある。ステップＳ３では、誘導加熱の制御メニューと調理の工程から、その時点の誘導加熱の調理の優先度を判定する。例えば、上部ユニット１００で炊飯（特に、「沸騰工程」）を行っている場合には、その炊飯（沸騰工程）を優先し、上部ユニット１００の加熱源の火力を削減しない。
【０３８３】
また、上部ユニット１００で「揚げ物」を行っている場合には、その揚げ物は、食材の投入等に合わせて食用油の温度が過度に低下しないように自動的に火力を増加させる制御を行っているので、このような場合も、上部ユニット１００の加熱源の火力を削減しない。
【０３８４】
ステップＳ５で、誘導加熱が優先すると判定された場合、マイクロ波加熱の電力消費量を減らすため、マイクロ波定格出力が仮に５００Ｗ（消費電力が９００Ｗ）であった場合、消費電力を一時的に下げて、例えば出力３００Ｗにする。そして、このような制限を行うことを使用者に報知する。報知は、統合表示部３０と音声合成装置９５によって行う（Ｓ６）。
【０３８５】
そして、統合制御装置ＭＣは、マイクロ波加熱制御部１３０に指令信号を出し、マイクロ波加熱を低火力で開始する（Ｓ７）。
加熱室１１３の中に置かれた食品や調理器具等の温度を検出する非接触温度計測部（赤外線温度計測部）１５８を有しているので、食品が加熱されて、目標温度に至ったかどうかを、マイクロ波加熱制御部１３０は監視している（Ｓ８）。
【０３８６】
目標温度に到達しない場合には、上部ユニット１００の誘導加熱動作が終了したかどうかの判定をする（Ｓ９）。目標温度に至るまでは上記ステップＳ８、Ｓ９が繰り返し行われる。
【０３８７】
目標温度に至った場合には、マイクロ波加熱制御部１３０から統合制御装置ＭＣに信号を出る。すると次のステップＳ１２に進み、マイクロ波加熱が終了した旨を報知する。
【０３８８】
誘導加熱が終了した場合、ステップＳ１０に進み、マイクロ波加熱制御部１３０に対して指令を出し、初期に使用者が意図した設定火力に復帰させてマイクロ波加熱を継続させる（Ｓ１０）。そして、被加熱物の温度の監視を継続させる（Ｓ１１）。
【０３８９】
そして、目標温度に至った場合には、マイクロ波加熱制御部１３０から統合制御装置ＭＣは信号受け、ステップＳ１２に進み、マイクロ波加熱が終了した旨を報知する。
【０３９０】
図２６に示した例は、マイクロ波加熱調理と誘導加熱調理の２者の間の電力優先度は、誘導加熱調理で実行している制御メニュー（例えば、「揚げ物」）と調理の工程（例えば、炊飯の「沸騰工程」）から、その時点で誘導加熱との優先度を判定するという前提であった。
【０３９１】
従って、マイクロ波加熱調理と誘導加熱調理の２者の間の電力優先度を、常にマイクロ波加熱側に設定しておいた場合には、「加熱開始」という指示を中央操作部４０Ｍの入力キー４３ＭＳで行う前に、例えば、統合表示部３０において警告メッセージが表示され、さらに、音声合成装置９５からも警報メッセージが出る。また、その後マイクロ波加熱を開始しても、上記した例のように出力値が強制的に下げられるということはない。
【０３９２】
加熱調理器１全体の中での、誘導加熱源９と、オーブン加熱源１８８及びマイクロ波加熱源１８９の電力優先度は、後述する「機能設定」の中で設定しておくことができ、一度設定すれば、主電源スイッチ９７を切っても、統合制御装置ＭＣに設定条件が記憶され、次の加熱調理以降にも引き継がれる。
【０３９３】
この図２６に示した例では、被加熱物の温度を監視し、目標温度になった場合に、マイクロ波加熱を終了させていた。しかし、マイクロ波の照射時間を計測し、設定した時間が経過したときに調理を終了させる制御方法もあるので、次に図２７を説明する。
【０３９４】
図２７は、マイクロ波の照射時間で調理を終了させる制御方法を採用している場合の例である。
ステップＳ６までは図２６と同じなので説明は省略する。
【０３９５】
マイクロ波加熱制御部１３０は、ステップ７でマイクロ波加熱を開始する場合、マグネトロン１２２の出力を、ある値まで下げた場合の加熱時間の補正（延長）を算出する。そして、ステップＳ８では、その延長後の時間を「設定時間１」と決めて（Ｓ８）、ステップ９、ステップ８を繰り返す。
【０３９６】
その過程で、上部ユニット１００の誘導加熱が終了した場合、加熱開始（ステップＳ７）からの経過時間も考慮し、再度運転所要時間（設定時間２）を計算し直す。
【０３９７】
そして、設定時間２を経過した場合、マイクロ波加熱を終了し、これを報知する（Ｓ１２）。なお、この設定時間２が経過するまでの間、非接触温度計測部（赤外線温度計測部）１５８による温度監視を併用しても良い。
【０３９８】
次に図２８と図２９について説明する。
図２８と図２９は、加熱調理器１の制御動作を説明するためのフローチャートである。この図２８と図２９に示した例は、最初に上部ユニット１００で誘導加熱調理を行っている期間中に、使用者が下部ユニット２００の加熱室１１３を使って、マイクロ波加熱を行おうとした場合である。この場合でも、図２６で説明したような基本的な（加熱調理器１全体での）総電力制御が、統合制御装置ＭＣと電力制御部７２によって行われる。
【０３９９】
図２８と図２９では、図２６、図２７とは異なり、統合制御装置ＭＣとマイクロ波加熱装置１２０、ＩＨコイル１７Ｌ、１７Ｒやインバーター回路８１等からなる誘導加熱装置と、の３者の間の信号の授受も示している。
【０４００】
図２８と図２９において、Ｌ１〜Ｌ１０は、各動作信号や指令信号等の発生タイミングを示している。上部ユニット１００で、主電源スイッチ９７を入れると、起動信号が統合制御装置ＭＣに送信される（Ｌ１）。
【０４０１】
その後、入力操作部４０においてＩＨコイル１７Ｌ、１７Ｒの火力や制御メニュー等（図２５のステップＭＳ２、ＭＳ３参照）を決定すると、その内容を示す情報が統合制御装置ＭＣ経由に送信される（Ｌ２）。つまり、誘導加熱時の最大火力や運転時間等の条件を示す情報を、統合制御装置ＭＣからＩＨ制御装置９０が受ける。そして入力操作部４０から誘導加熱開始指令があれば、ＩＨ制御装置９０は、誘導加熱回路８５Ｌ、８５Ｒによって加熱動作を開始させる。
【０４０２】
このようにして誘導加熱調理が開始された場合で、マイクロ波加熱も開始されるケースについて説明する。なお、誘導加熱は、左側のＩＨコイル１７Ｌの最大火力３２００Ｗで開始されたものと仮定する。
【０４０３】
使用者がドア１１４を開けると、図２６で説明したようにラッチスイッチ１３２Ａとドアスイッチ１３２Ｂの双方又は何れか一方が開放するので、これを監視しているセンサー（図示せず）から、ドア１１４の開放を示す信号が統合制御装置ＭＣに送信される（Ｌ３）。
【０４０４】
使用者が、中央操作部４０Ｍで火力を入力した場合には、統合制御装置ＭＣは、マイクロ波加熱制御部１３０に運転開始の指令信号を出す。そして次のステップＳ３に進む。
又は、使用者が単に「加熱開始」という指示を中央操作部４０Ｍで行った場合、統合制御装置ＭＣは、マイクロ波加熱制御部１３０に運転開始の指令信号を出す。
【０４０５】
マイクロ波加熱制御部１３０側で何の異常もなければ、統合制御装置ＭＣに対して、マイクロ波加熱制御部１３０から調理開始の「予告信号」が発信される（Ｌ４）。例えば、マイクロ波出力５００Ｗの場合では、マイクロ波加熱装置全体の定格消費電力が１０００Ｗである場合には、この図２８のように、１０００Ｗを使用する情報を含んだ「予告信号」になる。
【０４０６】
次に統合制御装置ＭＣからの情報を受けて電力制御部７２は、マグネトロン１２２で定まっている定格消費電力値に、第３冷却ファン１２８、第４冷却ファン１２９等の消費電力も反映して事前に分かっている消費電力値を使用して、マイクロ波加熱と誘導加熱を同時に行った場合の、消費電力の合計値を求め、この合計値が総電力規制値を超過するかどうかの判定を行う（図２６、図２７のステップＳ３と同じ）。そして結果を、統合制御装置ＭＣへ送信する。
【０４０７】
なお、別の方法として、下部ユニット２００の誘導加熱源１８９とオーブン加熱源１８８の総電力量の上限値を決め（例えば、２０００Ｗ）、下部ユニット２００と上部ユニット１００（誘導加熱源９）を同時に使用した場合に、総電力規制値を超過するかどうかの判定を行うことでも良い。
【０４０８】
ステップＳ３が「Ｙｅｓ」の場合には、稼働しているＩＨコイル１７Ｒの出力を下げるか、マイクロ波加熱の火力の何れかを下げる必要ある。次のステップＳ４では、統合制御装置ＭＣは、誘導加熱の制御メニューと加熱工程から、その時の誘導加熱の調理の優先度を判定する。
【０４０９】
この図２８の例では、マイクロ波加熱が優先すると設定されている場合であるから、マイクロ波加熱の火力を削減しない。
【０４１０】
ステップＳ５で、マイクロ波加熱が優先すると判定された場合、誘導加熱の電力消費量を減らすため、マイクロ波加熱制御部１３０に対して、ＩＨコイル１７Ｒの目標火力を下げる制御を指令し、消費電力を一時的に下げる。このような制限を行うことを使用者に報知する。報知動作は、統合表示部３０と音声合成装置９５によって行う。
【０４１１】
そして、マイクロ波加熱制御部１３０は、マイクロ波加熱を低い火力に変更するようにインバーター回路８１Ｒに指令する（Ｌ５）。
【０４１２】
インバーター回路８１Ｒ側での電力削減処理が終わると、マイクロ波加熱制御部１３０は、入力電流検出部７７ａと出力電流検出部７７ｂの電流値から、電力削減されたことを判別する。そして電力削減完了した旨を統合制御装置ＭＣへ送信する（Ｌ６）。この送信を受けて、統合制御装置ＭＣは、マイクロ波加熱装置１２０に対して加熱動作開始の許可信号を送信する（Ｌ７）。
【０４１３】
インバーター回路１２１Ａには、上部ユニット１００のインバーター回路８１Ｒで使用している入力電流検出部７７ａや出力電流検出部７７ｂのような、電流検出部（図示せず）がある。
【０４１４】
そのため、マイクロ波加熱が終了した場合、インバーター回路１２１Ａの電流検出値から、マイクロ波加熱制御部１３０は加熱動作終了したことを判別し、加熱動作を統合制御装置ＭＣに特定の信号で通知する（Ｌ８）。また、マイクロ波加熱は、タイマー設定によってある時間だけ行われる場合もあり、その場合は、その時間経過をマイクロ波加熱制御部１３０が検知して、加熱動作終了したことを通知する（Ｌ８）。
【０４１５】
統合制御装置ＭＣはマイクロ波加熱が終了したあと、使用者が最初に希望した設定火力に復帰させるようにマイクロ波加熱制御部１３０に対し、指令信号を出す（Ｌ９）。そして火力を最初の目標レベルまで上げて誘導加熱を継続させる（Ｓ１０）
【０４１６】
そして、設定した調理時間や目標温度に至った場合には、マイクロ波加熱制御部１３０は、誘導加熱を終了させる。そして運転終了した旨を統合制御装置ＭＣに報知する（Ｌ１０）。
【０４１７】
（誘導加熱調理の基本動作）
次に、本実施の形態１に係る加熱調理器１において、誘導加熱を行う場合の、各部分の基本動作について説明する。
【０４１８】
入力操作部４０において、誘導加熱調理の開始が指令されると、ＩＨ制御装置９０は、指定された加熱部に対応する誘導加熱回路８５、８５Ｒに対して駆動指令を出し、ＩＨコイル１７Ｌ、１７Ｒのインバーター回路８１Ｌ、８１Ｒを駆動する。
【０４１９】
冷却ファン駆動回路６２に対してＩＨ制御装置９０から運転指令信号が出される。
インバーター回路８１Ｌ、８１Ｒの駆動開始と同時、又は少し遅れたタイミングで、前記第１冷却ファン６０と、第２冷却ファン６１の運転を開始する。
【０４２０】
第１冷却ファン６０と第２冷却ファン６１の送風能力は固定したものでなくとも良い。例えば、ヒートシンク８２の温度センサーＴＳ８と、統合表示部３０の近傍の温度を検知する温度センサーＴＳの温度に応じて、弱運転から強運転の間で自動的に送風能力を変更しても良い。
【０４２１】
一般的に冷却ファンを、弱運転から強運転に変更すると、ファンの風切り音が大きくなるため、ノイズとなる懸念がある。そこで、２つの温度センサーＴＳ７、ＴＳ８による検出温度と、冷却ファン６０、６１の運転強度を、事前の送風試験等のデータから、対応表（データテーブル）にして決定しておき、この対応表をＩＨ制御装置９０の記憶装置９０Ｒに記憶させておく。そしてそのデータテーブルに従ってＩＨ制御装置９０が、随時第１冷却ファン６０と第２冷却ファン６１の運転条件を、変更するようにしても良い。
【０４２２】
第１冷却ファン６０が運転されると、第１冷却ファン６０の真下の位置にある通気孔６４から空気が吸引される。吹出口６０Ａから図１８に矢印で示すように冷却風ＲＦ１が第１風路Ｆ１に押し込まれる。
【０４２３】
第２冷却ファン６０が運転されると、第２冷却ファン６０の真下の位置にある通気孔６４から空気が吸引される。吹出口６１Ａから図１８に矢印で示すように冷却風ＲＦ２が第２風路Ｆ２に押し込まれる。
【０４２４】
第１冷却ファン６０の真下の位置にある通気孔６４と、第２冷却ファン６０の真下の位置にある通気孔６４とは、上部ケース１６の底面において隣接して個々に設けているが、多数の小孔群を設けて、その小孔群を共用しても良い。
【０４２５】
インバーター回路基板８０の上面には、ダイオード７９ｃ（図２２参照）や、その他電気部品が実装されているが、それらは前記冷却風ＲＦ１により冷却される。
【０４２６】
１つのＩＨコイル１７Ｌには、２つのＩＧＢＴ７９ａ、７９ｂを使用している。これら２つのＩＧＢＴを総称して、電力制御用スイッチング素子８３と呼んでいる。
また、もう１つのＩＨコイル１７Ｌにも、同様に電力制御用スイッチング素子８３を使用している。
【０４２７】
それら２つの電力制御用スイッチング素子８３は、誘導加熱動作時に発熱するが、前記冷却風ＲＦ１によって連続的に冷却される。
【０４２８】
前記冷却風ＲＦ３は、入力操作部４０に配置された入力操作を受ける各種スイッチ、液晶表示画面、表示部駆動回路６３等の部品を冷却しながら、右側方向に進む。
【０４２９】
冷却風ＲＦ１は、カバー７０の出口ＦＯを出た段階で、上方に方向を変えるものがあるが、前方側から合流する冷却風ＲＦ２の勢いもあるため、冷却風ＲＦ３のようにカバー７０の上を左側に反転して進行するものと、冷却風ＲＦ４に示すようにフィルター回路基板５４の方向に進行するものに大きく分かれる。
【０４３０】
冷却風ＲＦ３は、右側のＩＨコイル１７Ｒの下方を流れて、その後左側のＩＨコイル１７Ｌの真下まで流れる。この過程においてそれら２つのＩＨコイル１７Ｒ、１７Ｌを冷却する。一般にこの種のＩＨコイルは、誘導加熱動作時に２５０℃〜３００℃付近まで温度が上昇する。そこで、上記のように２つの冷却風ＲＦ１、ＲＦ２を合わせた冷却風ＲＦ３で冷却する。
【０４３１】
図１３、図１８で説明したように、排気窓５２Ａは、左右の中心線ＣＬ１から左側の範囲に、符号ＬＦで示す長さだけに存在している。そのため、冷却風ＲＦ４は前記フィルター回路基板５４を通過した後は左側方向に進行し、貫通孔５３Ａを通過し、排気窓５２Ａから排出される。
【０４３２】
ＩＨコイル１７Ｌ、１７Ｒを冷却した冷却風ＲＦ３も、最終的な排気口となる排気窓５２Ａの方向に向きを変えて進み、貫通孔５３Ａを通過し、排気窓５２Ａから排出される。
これによって上部ケース１６内部を流れる冷却風ＲＦ３、ＲＦ４は、排気口２０に到達する。そして排気カバー１９から室内へ放出される。
【０４３３】
排気窓５２Ａを、前記フィルター回路基板５４から離れた位置だけに設置しているため、運転中に排気カバー１９の上に、鍋等から溢れた調理液や水（以下、これらを「異物」という）が流れた場合でも、当該異物が前記排気口２０を通過して前記フィルター回路基板５４まで至ることを防止できる。このため、漏電や故障の原因になることを防げる。なお、前述したように前記フィルター回路基板５４と空隙ＧＰ１との間は、前記排気窓５２Ａの部分を除き、仕切板５２によって分離されている。なお、ここでいう「分離」とは、空気の流通を完全に遮断できるような分離ではなく、上方から滴加又は流下した異物の侵入が阻止できる程度の分離をいう。
【０４３４】
（マイクロ波加熱調理の基本動作）
次に、本実施の形態１に係る加熱調理器１において、マイクロ波加熱を行った場合の、各部分の基本動作について説明する。
【０４３５】
前記主電源スイッチ９７をＯＮにした場合、上部ユニット１００において実際に誘導加熱調理を実行していなくても、そのままマイクロ波調理を開始できる。しかし、主電源スイッチ９７を一旦ＯＦＦにした場合には、マイクロ波加熱調理を開始するためには、最初に主電源スイッチ９７を入れる必要がある。
【０４３６】
安全上、前記主電源スイッチ９７は、マイクロ波加熱、オーブン（加熱室１１３）加熱及び誘導加熱の何れかを使用が終了した最後のタイミングから、一定時間（例えば、３０分）後に自動的にリセットされて開放される。または、トッププレート１５や加熱室１１３等の温度が全て規定値以下に下がった場合に、主電源スイッチ９７は、自動的に開放される。このような安全対策を採用している。
【０４３７】
次に、ドア１１４を開けて、食品等の被調理物を加熱室１１３に入れ、ドア１１４を占めた後で、入力操作部４０の中央操作部４０Ｍにおいて、入力キー４３ＭＳ（図１５参照）によってマイクロ波加熱調理の開始が指令されると、統合制御装置ＭＣは、マイクロ波加熱制御部１３０に対して駆動指令を出し、第３冷却ファン１２８、第４冷却ファン１２９の運転を開始させる。
【０４３８】
マイクロ波加熱制御部１３０は、マグネトロン１２２のインバーター回路１２１Ａを駆動して、発振部１２２Ａからマイクロ波を放射させる。なお、ここでいうマイクロ波とは、２４５０ＭＨ±５０ＭＨｚの電波のことである。
【０４３９】
発生したマイクロ波は、導波管１２３からアンテナケース１２４の中に導かれる。アンテナ１２５の駆動用モータ１２６は、マイクロ波が発振されたタイミングで運転開始しているので、アンテナケース１２４の中に導入されたマイクロ波は、回転するアンテナ１２５と、回転軸１２６Ａの作用により、加熱室１１３の内部に均等に伝搬させることができる。なお、この種のアンテナと回転軸１２６Ａの作用は、例えば日本特許第４８３６９６５号及び特許第５６７４９１４号によって詳細に説明されているので、詳しい説明は省略する。
【０４４０】
第３冷却ファン１２８が運転されると、下部ケース１０１の底板１０１Ｕに形成した吸気口Ｆ１５２Ｆから空気がケースＡ１５０の内部に吸引され、冷却風ＲＦ５となる。そして冷却風ＲＦ５は、最初にインバーター回路基板１２１を冷却し、当該回路基板に実装している各種電気部品を冷却する。
【０４４１】
冷却風ＲＦ５は、次にケースＡ１５０の上下２個所に設けた連通口Ｂ１３８Ｂと連通口Ａ１３８Ａの中を通過し、連通口Ｂ１３８Ｂを通過した冷却風ＲＦ５は、温度センサー１６０の背面に当る。
【０４４２】
温度センサー１６０は、右側仕切板１６６Ａの取付孔の中に設置してある。温度センサー１６０の外殻ケースと取付孔の口縁との間には、数ｍｍ以下の微小な間隙が存在する。この間隙を、前記冷却風ＲＦ５が通過して、温度センサー１６０の検知窓１６１から加熱室１１３内部へ吹き出される。
【０４４３】
一方、インバーター回路基板１２１を冷却した冷却風ＲＦ５の大部分は、連通口Ａ１３８Ａの方から通路１７２へ案内される。つまり、加熱室１１３の上方を覆っている上部ケース１６９と、仕切板１７１との間に形成された通路１７２へ案内される。この通路は、加熱室１１３の上方にある上部ヒータ１６３Ａが３００℃を超えるような高温になっても、その高熱を上部ユニット１００側へ伝わらないようにする効果がある。
【０４４４】
連通口Ａ１３８Ａから連通口１７３の位置を平面的に見ると、通路１７２を斜め後方に横切った位置に連通口１７３がある。つまり、最も遠い位置に連通口がある。
このため、通路１７２の全体の空気は連通口１７３に案内され、連通口１７３を通過して後方に水平に伸びる排気ダクト１０２の中に導入される（図１０参照）。
【０４４５】
冷却風ＲＦ５は、排気ダクト１０２を出た段階で、下側から上昇してくる冷却風ＲＦ６と合流して、排気口２０から室内へ放出される。
【０４４６】
次に、第４冷却ファン１２９による冷却風ＲＦ６の流れについて説明する。
第４冷却ファン１２９が運転されると、図８に示したように下部ケース１０１の底板１０１Ｕに形成した吸気口Ｂ１５２Ｂから空気がケースＡ１５１の内部に吸引され、冷却風ＲＦ６となる。そして冷却風ＲＦ６は、最初にマグネトロン１２２の放熱部１２２Ｈを冷却し、当該放熱部１２２Ｈを通過してダクト１５３の中に至る。
【０４４７】
冷却風ＲＦ６は、次にダクト１５３から加熱室１１３の右側に隣接している空隙ＧＰ５Ｒに入り、前方側へ進む。そして図１２に示したように導入口２０１から加熱室１１３の中に導入される。
【０４４８】
前記導入口２０１は、加熱室１１３の開口１１３Ａに近い位置にあるため、冷却風ＲＦ６の一部は、ドア１１４の内側にも到達し、シール板１９６の加熱室１１３側に生ずる曇りを解消させる。
【０４４９】
加熱室１１３の中に導入された冷却風ＲＦ６は、加熱室１１３の内部で食品等の被加熱物から発生する水蒸気や煙等を排出する目的がある。具体的には、冷却風ＲＦ６は、図１０に示しているように加熱室１１３の前部から後方に移動し、最終的には後部の天井部に形成された連通口１７４に至る。
【０４５０】
冷却風ＲＦ６は、連通口１７４から後方に水平に伸びる排気ダクト１０２の中に導入される。そして冷却風ＲＦ６は、排気ダクト１０２を出た段階で、冷却風ＲＦ５の上昇気流に誘引されるように合流して、排気口２０から室内へ放出される。
【０４５１】
冷却風ＲＦ５と冷却風ＲＦ６の最初の風量が同等であった場合でも、この実施の形態１のような経路の違いによって、冷却風ＲＦ５の方がダクト１０２から放出される際、風速が早かった。そのため、下方から放出された冷却風ＲＦ５を誘引する作用がある。
【０４５２】
冷却風ＲＦ５、ＲＦ６を排気ダクト１０２から強制的に放出するため、排気ダクト１０２の途中に排気ファンを設けても良い。この実施の形態１では、そのような排気ファンを省略しているので、コスト的に安価で実現でき、また上部ユニット１００内部への部品配置を考える上で有利である。
【０４５３】
（オーブン加熱調理の基本動作）
次に、本実施の形態１に係る加熱調理器１において、オーブン加熱装置１４０の基本動作について説明する。
【０４５４】
前記主電源スイッチ９７をＯＮにした場合、統合制御装置ＭＣは、何らかの調理が開始されるものと推定して予備起動する。このため、上部ユニット１００において実際に誘導加熱調理やマイクロ波加熱調理を実行していなくても、そのままオーブン加熱調理を開始できる。しかし、主電源スイッチ９７を一旦ＯＦＦにした場合には、オーブン加熱調理を開始するためには、最初に主電源スイッチ９７を入れる必要がある。
【０４５５】
次に、ドア１１４を開けて、食品等の被調理物を加熱室１１３に入れ、その後入力操作部４０の中央操作部４０Ｍにおいて、加熱室１１３を使用した調理の制御メニューを選択する。例えば、魚や肉を焼き上げる調理の場合には、加熱時間や火力を設定する。但し、自動的に焼き上げる制御メニューを選択した場合には、火力は加熱室制御部１５９によって自動で設定される。なお、この制御メニューを選択することについては、この後の図３２〜図３８で説明する。
【０４５６】
加熱室制御部１５９は、統合制御装置ＭＣからの指令信号を受けて、上部ヒータ１６３Ａと下部ヒータ１６３Ｂの通電の有無、通電の時間帯、通電パターン（間欠加熱）、火力等を制御する。
【０４５７】
温度センサーＴＳ２は、加熱室１１３の中の温度を赤外線信号で検知し、検知温度データを前記加熱室制御部１５９に送信する。加熱室制御部１５９は、目標温度と検出された温度との差を見て、上部ヒータ１６３Ａと下部ヒータ１６３Ｂの双方、又は何れか一方の通電を制御する。
【０４５８】
また、タイマー調理の制御方法が中央操作部４０Ｍで入力された場合、設定時間だけ上部ヒータ１６３Ａと下部ヒータ１６３Ｂの双方、又は何れか一方の通電が行われる。つまり、加熱室制御部１５９は、温度センサーＴＳ２の検知温度データに従って、通電時間を制限しない。
【０４５９】
ドア１１４を閉めた後で、入力操作部４０の中央操作部４０Ｍ（入力キー４３ＭＳ）において、オーブン（加熱室１１３）加熱調理の開始が指令されると、統合制御装置ＭＣは、マイクロ波加熱制御部１３０に対して駆動指令を出し、第３冷却ファン１２８と第４冷却ファン１２９の運転を開始する。なお、加熱室制御部１５９から直接第３冷却ファン１２８と第４冷却ファン１２９に駆動指令信号を出すようにしても良い。
【０４６０】
第３冷却ファン１２８が運転されると、下部ケース１０１の底板１０１Ｕに形成した吸気口Ｆ１５２Ｆから空気がケースＡ１５０の内部に吸引される。しかし、マイクロ波加熱調理の場合と異なり、インバーター回路基板１２１の発熱はない。そのため冷却風ＲＦ５は、インバーター回路１２１基板を冷却することなく、連通口Ｂ１３８Ｂと連通口Ａ１３８Ａの中に、それぞれ入る。
【０４６１】
そして、連通口Ａ１３８Ａの中を通過した冷却風ＲＦ５は、温度センサー１６０の外殻ケースと取付孔の口縁との間の間隙から検知窓１６１を経て、加熱室１１３内部へ吹き出される。
【０４６２】
一方、連通口Ａ１３８Ａを通過した冷却風ＲＦ５は、通路１７２へ案内される。そして、上部ケース１６９を冷却しながら連通口１７３に至り、その後は排気ダクト１０２の中に導入される（図１０参照）。
【０４６３】
一方、第４冷却ファン１２９による冷却風ＲＦ６は、マグネトロン１２２の放熱部１２２を通過し、ダクト１５３の中に至る。しかし、マグネトロン１２２は駆動されていないので、発熱していない。そのため、冷却風ＲＦ６は殆ど温度上昇せずに空隙ＧＰ５Ｒに入る。
【０４６４】
そして冷却風ＲＦ６は、図１２に示したように導入口２０１から加熱室１１３の中に導入される。そのため、ドア１１４の内側部分に冷却風ＲＦ６が到達する。
【０４６５】
加熱室１１３の中においた食品等の被調理物は、上部ヒータ１６３Ａ又は下部ヒータ１６３Ｂの輻射熱により水蒸気や油煙等を発生する場合がある。そのような水蒸気、油煙等は、図１０に示しているように加熱室１１３の前部から後方に移動する冷却風ＲＦ６によって連通口１７４まで運ばれる。
【０４６６】
その後、冷却風ＲＦ６は、連通口１７４から後方に水平に伸びる排気ダクト１０２の中に導入される。そして、冷却風ＲＦ６は排気ダクト１０２を出た段階で、上方へ上昇していく冷却風ＲＦ５に誘引されながら、排気口２０を通過して室内へ放出される。
【０４６７】
以上説明した実施の形態１では、主電源スイッチ９７をＯＮにしたあと、統合制御装置ＭＣが、ある段階まで加熱調理器１の全体の状況し、その後、仮に左操作部４０Ｌ又は右操作部４０Ｒが操作された場合には、以後の誘導加熱制御を制御装置９０に委ねていた。しかしながら、統合制御装置ＭＣが制御する範囲を、ＩＨ制御装置９０との間で変更しても良い。
【０４６８】
また、同様に統合制御装置ＭＣが制御する範囲を、加熱室制御部１５９やマイクロ波加熱制御部１３０との間で変更しても良い。
【０４６９】
例えば、誘導加熱、マイクロ波加熱又はオーブン（加熱室）加熱の何れかの調理メニューの選択がされた以後は、ＩＨ制御装置９０、加熱室制御部１５９又はマイクロ波加熱制御部１３０の何れかで基本的に加熱に関する制御動作をすることでも良い。
【０４７０】
その場合、入力操作部４０にて新たな入力が行われた場合（加熱停止を含む）には、一旦は統合制御装置ＭＣにて制御するが、入力が行われない場合には、そのままＩＨ制御装置９０、加熱室制御部１５９又はマイクロ波加熱制御部１３０の何れかで調理を実行させることで良い。
【０４７１】
具体的な例について、図３１を参照して以下説明する。
図３１は、加熱調理器１において、誘導加熱調理の１種である揚げ物調理（自動）を行った場合の、ＩＨ制御装置９０の動作を説明したフローチャートである。
【０４７２】
誘導加熱調理の調理メニューにおいて、「揚げ物（自動調理）」が選択された場合、鍋の中に入れた食用油の温度は、温度検出回路９３によって監視され、自動的にＩＨコイル１７Ｌ、１７Ｒの火力は制御される。
【０４７３】
揚げ物調理（自動）の制御メニューを使用者が選択すると、ＩＨ制御装置９０は、図３１に示すように、予熱工程、揚げ物調理工程、火力アップ工程を順次実行する。また前記統合表示部３０の表示画面３０Ｄには、必要な情報、参考情報（例えば、予熱に要する予想時間など）を示す情報が文字や図形等で現れる。また電力制御部７２によって電力が制限（抑制）されない優先調理である旨も、表示される。
【０４７４】
このため、この揚げ物調理中には、マイクロ波加熱やオーブン加熱の使用があっても、電力が優先的に確保されることが使用者に認識できる。
【０４７５】
予熱工程では、使用者が設定した目標の油温度が１８０℃である場合、予熱工程では所定の火力値（最大１５００Ｗ）で、インバーター回路８１Ｒ（又は８１Ｌ）が駆動開始され、急速に油の温度は室温（例えば２０℃）から目標温度Ｔ１の１８０℃まで上昇する。
【０４７６】
この温度上昇は、前記した温度検出回路９３によってリアルタイムで監視されているので、目標温度Ｔ１（第１の温度）の１８０℃になったことが温度検出回路９３によって検出されると、ＩＨ制御装置９０は、誘導加熱量、つまりインバーター出力を調節して、目標温度をそのまま維持しようとする（このような温度検出情報に基づいて、目標温度に近づけようと高周波火力を自動的に調節する動作を以下、「温度フィードバック制御」という）。
【０４７７】
その後、統合制御装置ＭＣへ表示要請指令を出し、音声合成装置９５を介して使用者に「油の温度が適温になりました。具材を投入してください」というような音声ガイドを行う。
【０４７８】
使用者が具材、例えば冷凍されていたコロッケを油の中に入れると、その油は冷たい具材によってその投入時点から急速に冷やされるので、図３１に示すように温度が急降下する。しかし、温度検出回路９３はこのような温度降下の動きを監視しているので、直ちにインバーター回路８１Ｒ（８１Ｌ）の火力を所定の火力１５００Ｗ又は１８００Ｗに上げて駆動するので、油の温度は再び上昇する（温度フィードバック制御）。このようにしてして再び目標温度Ｔ１に至った段階で直ちに（または所定時間経過したら）揚げ物工程から火力アップ工程に移行する。
【０４７９】
火力アップ工程では、前記目標温度Ｔ１よりも高い第２の温度Ｔ２の２２５℃と、これより更に高い上限温度（第３の温度）Ｔ３の２３０℃間に油の温度が維持されるように制御装置９０はインバーター回路８１Ｒ（８１Ｌ）を制御する。
【０４８０】
図３１に示すように火力値は９００Ｗ程度で間欠駆動される。この第３の温度Ｔ３になった以降の工程を「揚げ物仕上げ工程」と呼び、揚げ物をカラッと仕上げるために重要な工程である。このような火力アップ工程で十分な火力を投入して調理しないと、揚げ物がうまくできないことになる。なお、揚げ物工程は所定の時間内に制限されていないので、使用者が入力キー４４Ｒ（又は入力キー４５Ｌ）を押下すれば、揚げ物調理は全て終了する。
【０４８１】
図３１に示すように（自動）揚げ物調理の制御メニューにおいて、前記揚げ物調理工程から火力アップ工程までを「優先調理メニューの実行時間帯」と定義しており、この実行時間帯には、他の加熱源の開始や運転条件変更によって、電力の削減が行われないようにしている。つまり、この誘導加熱のＩＨ制御装置９０は、実行中の調理メニューが、前記「優先調理メニューの実行時間帯」にあるかどうかを常に把握し、もしその実行時間帯にある場合には、その旨を外部に報知する機能を有している。
【０４８２】
以上の説明で明らかなように、特定の加熱工程に入った場合には、その都度統合制御装置ＭＣがＩＨ制御装置９０に対して制御信号を発することなく、加熱工程の進捗は、全てそのＩＨ制御装置９０の制御に委ねている。
【０４８３】
次に、統合表示部３０と、中央操作部４０Ｍ、右操作部４０Ｒ及び左操作部４０Ｌの各種入力キーとの関係について図３２〜図３８を参照して説明する。
【０４８４】
図３２は、統合表示部３０の表示内容の変化を示す説明図である。図３３は、誘導加熱調理の開始の前後における左操作部４０Ｌと左側表示部３１Ｌの平面図である。図３４は、統合表示部３０と左側表示部３１Ｌの表示内容の変化を示す説明図である。図３５は、統合表示部３０の表示内容の変化を示す説明図１である。図３６は、統合表示部３０の表示内容の変化を示す説明図２である。図３７は、統合表示部３０の表示内容の変化を示す説明図３である。図３８は、統合表示部３０の表示内容の変化を示す説明図４である。
【０４８５】
図３２について説明する。主電源スイッチ９７をＯＦＦにしている状態では、統合表示部３０は起動されていないので、何も情報を表示していない。
主電源スイッチ９７をＯＮにした状態では、統合制御装置ＭＣは、前述したように異常有無等の自己診断を行ったあとで、図３２の表示画面１を統合表示部３０で表示する。
【０４８６】
図３２の表示画面１において、３０Ａは、電源が入っていることを報知した表示文である。３０Ｂは、インターネット経由で専用のレシピ掲載サイトに誘導するための二次元情報（二次元コード）である。３０Ｃは、その二次元コードの意味を説明した文章である。この二次元情報３０Ｃと、前記表示文３０Ａは、この発明でいう「待機時共通情報」３０Ｎの１種である。
【０４８７】
図３２の表示画面１が表示されたあと、自動的に表示画面２Ａ又は２Ｂが表示される場合がある。表示画面２Ａにおいて、「突沸注意」は、注意表示の１つである。この「突沸」とは、例えばカレーやシチューのような被調理物を加熱している場合、その被調理物の内部が沸点以上の過熱状態になっていて、突発的に激しい沸騰を起こす現象をいう。熱せられた液体から蒸気が噴き出すことに伴い、熱い液滴が飛散して危険な場合がある。突沸が発生するタイミング、原因は、外部からの異物の混入又は衝撃であると言われている。そのため、この表示画面２に表示しているように、被調理物を入れた金属鍋等をトッププレート１５の上に置いて誘導加熱する際に、その被調理物をかき混ぜる際の注意喚起を、注意表示している。この注意表示している情報は、この発明でいう「待機時共通情報」３０Ｎの１種である
【０４８８】
表示画面２Ｂにおいて、３０Ｅは、加熱室１１３の内部が高温度になっていて、不用意に接触しないように警告した注意表示である。加熱室１１３でオーブン調理を実施したあとで、まだ加熱室１１３が十分冷え切っていないことを統合制御装置ＭＣが検知した場合、この表示画面２の状態に自動的に切り替わる。なお、表示画面２Ａと２Ｂは、同時に表示できないが、数秒間隔で交互に表示することにより、突沸と高温報知の両方について注意喚起するようにしても良い。なお、音声合成装置９５によって、表示画面２Ａと２Ｂの注意喚起を音声でも並行して行っても良い。
【０４８９】
図３２の表示画面１〜表示画面２Ａ、２Ｂによって明らかなように、これら表示は、表示画面３０Ｄの全体を利用して行っている。つまり、前述した第１エリア３０Ｌ〜第３エリア３０Ｒの何れかで部分的に表示するのではなく、できるだけ広い表示面積を確保するため、第１エリア３０Ｌ〜第３エリア３０Ｒの３つを識別できないように一体化表示をして、ユーザーには統合表示部３０の全体で表示しているように見せている。
【０４９０】
前記表示画面１〜表示画面２Ａ、２Ｂは、図２４の動作ステップでいうと、ＳＴ３の段階である。
この表示画面１〜表示画面２Ａ、２Ｂの表示時点から一定時間、例えば１０秒経過すると、加熱源（加熱手段）の選択を促す表示内容に変化する（図２４の動作ステップＳＴ４）。
【０４９１】
そこで、次に上部ユニット１００において、誘導加熱する場合について説明する。図２４の動作ステップでいうと、ＳＴ６の段階である。
【０４９２】
図３３は、左加熱源１７ＨＬのための左側表示部３１Ｌと左操作部４０Ｌを平面的に見た図である。左加熱部１７ＨＬによる調理を選択するための入力キー４３Ｌ１を押さない前は、図３３（Ａ）に示した状態である。
【０４９３】
入力キー４３Ｌ１を押すと、統合制御装置ＭＣは、左加熱源１７ＨＬをユーザーが選択したことを検知し、図３３（Ｂ）に示しているように、個別発光部２７Ｌ３を発光させ、操作入力を受け付けたことを表示する。
【０４９４】
タイマー調理を選択する入力キー４３Ｌ４も入力待ちの状況であるため、個別発光部２７Ｌ１を点滅させる。また、制御メニューの選択も入力待ちの状況であるため、入力キー４４Ｌの真後ろにある個別発光部２７Ｌ２を点滅させる。図３３（Ｂ）で、星印の図形は、発光表示部２７によって点灯したこと又は点滅していることを示すものである。
【０４９５】
誘導加熱調理時の火力段階を示す火力表示部６７Ｌは、デフォルト火力が「３」に設定してあれば、火力３を示すまで火力表示部６７Ｌの発光部を左側から連続して発光させ（又は青色を赤色に変更させ）、ユーザーに火力の大きさを表示する。
【０４９６】
ユーザーがデフォルト設定の火力ではない火力に変更する場合、入力キー４３Ｌ２又は４３Ｌ３を押せば、１回押す毎に１段階火力が小さくなり、または大きくなり、それに応じて火力表示部６７Ｌの発光部（又は赤色発光部）の範囲が左側から右に拡大し、又は左側へ縮小して、火力の調節状態をユーザーに表示する。
【０４９７】
次に図３４について説明する。
図３４は、加熱調理器１の左操作部４０Ｌと左側表示部３１Ｌの動作説明図である。
図３４において、左側に描いた（Ａ）〜（Ｃ）の図は、左操作部４０Ｌと左側表示部３１Ｌの模式図であり、操作開始前の状態を示したものは、図３４（Ａ）である。
【０４９８】
図３３で説明したように、入力キー４３Ｌ１を操作すると、図３４（Ｂ）に示しているように、発光表示部２７Ｌ３が発光する。
図３４（Ｂ）の状態では、発光表示部２７Ｌ４も点灯しており、入力キー４３Ｌ２と４３Ｌ３の双方とも入力機能は有効であることが分かる。そこで、この左側の入力キー４３Ｌ２を２回押すと火力が下がる。なお、火力の増減は、直ぐ後方にある火力表示部６７Ｌの発光状態で分かる。
【０４９９】
更に火力レベル１の段階で、入力キー４３Ｌ２を１回押すと火力レベル１の下まで指定されたことになるが、統合制御装置ＭＣでは、「保温」の制御モードを指定したと判断し、図３４の表示画面３Ａを、統合表示部３０の表示画面３０Ｄで表示する。
【０５００】
表示画面３０Ｄは、表示画面３Ａから分かるように、第１エリア３０Ｌに「鍋等の容器の図」を表示し、第２エリア３０Ｍと第３エリア３０Ｒは結合されて、横長の広い表示エリアになっており、その第２エリア３０Ｍと第３エリア３０Ｒの結合されたスペースに、「保温（左ＩＨ）」という文字を表示し、保温の温度は約８０℃であることを表示している。そして、スープなどにお薦めの制御メニューであることを説明文３０Ｆで示している。なお、この表示画面３Ａの段階では、左側表示部３１Ｌには何も表示されない。
【０５０１】
次に、図３４（Ｂ）の状態で、入力キー４４Ｌを押すと、押す度に、制御メニュー群の中から１つの制御メニューが選択されて、表示画面３Ｂのように表示される。表示画面３Ｂの例では「揚げ物」が選択されたことを示している。この図３４（Ｂ）の状態で、一定時間経過すると、左加熱部１７ＨＬの制御メニューは「揚げ物」で確定し、ＩＨコイル１７Ｌの駆動が開始される。
【０５０２】
表示画面３Ｂのケースでは、デフォルト温度は１８０℃に設定されているので、左側表示部３１Ｌには、図３４に示すように「揚げ物  １８０℃」という文字が表示される。
この「１８０℃」という温度は、食用油をＩＨコイル１７Ｌで加熱して、１８０℃近傍に維持するということであり、その１８０℃に到達した際には、音声合成装置９５によって音声で報知され、それに加えて、この統合表示部３０によって「予熱温度に到達」したことが表示され、食材の投入等が促される。
【０５０３】
仮に、この揚げ物の予熱（目標）温度を、変更したい場合には、入力キー４３Ｌ２によって温度を下げたり、入力キー４３Ｌ３によって温度を上げたりすることができる。
【０５０４】
表示画面３０Ｄは、表示画面３Ｂから分かるように、第２エリア３０Ｍと第３エリア３０Ｒは結合されて、横長の広い表示エリアになっており、その第２エリア３０Ｍと第３エリア３０Ｒの結合されたスペースに、予熱の開始と、予熱動作中は、加熱調理器１の傍から離れないことの注意文３０Ｇを表示している。
【０５０５】
次に、図３４（Ｂ）の状態で、入力キー４４Ｌを押して、別の制御メニューとして「適温」を選択すると、表示画面３Ｃのように表示される。この表示画面３Ｃに示しているように、「適温」という制御メニューは、鍋等を設定温度（デフォルト温度は、１８０℃）に温めることと、玉子焼きなどにお薦めの制御モードである。このような意味が理解できるように推奨文３０Ｈで示される。なお、この表示画面３Ｃの段階では、左側表示部３１Ｌには「予熱  １８０℃」という文字情報が表示される。
【０５０６】
次に図３５について説明する。
図３５は、加熱調理器１の中央操作部４０Ｍを操作した場合の、統合表示部３０の表示動作を説明した模式図である。
図３５において、表示画面４ＳＴが、統合制御装置ＭＣによって定められたデフォルト表示画面である。
【０５０７】
図１５で説明したように、入力キー４３ＭＣを操作すると、図３５の表示画面４ＳＴが統合表示部３０に表示される。
表示画面４ＳＴから明らかなように、第１エリア３０Ｌの前後方向の中央には、「あたため」という制御メニューの名称を示す特定文３０Ｊが大きく表示される。
【０５０８】
第１エリア３０Ｌの中央に表示された「あたため」の特定文３０Ｊの後方には、「オーブン」という文字が、また逆に前方側には「レンジ手動」という文字が、少し小さく表示される。
そして、ユーザーが制御メニューを選択する場合、次の候補は「オーブン」と「レンジ手動」であることが分かる。仮にこの段階で、第１エリア３１Ｌに対応した位置にある（左側）入力キー４３Ｍ１を１回押すと、「あたため」という文字（特定文３０Ｊ）は「レンジ手動」に変わる。
また、第１エリア３１Ｌに対応した位置にある（右側）入力キー４３Ｍ１を１回押すと、「あたため」という文字は「オーブン」に変わる。
【０５０９】
図３５において、デフォルト表示の画面である表示画面４ＳＴは、第２エリア３０Ｍに「８０℃」という目標温度情報３０Ｔが表示される。この目標温度でマイクロ波加熱した場合には、食品の温度が８０℃であると、温度センサーＴＳ１によって検知された際に、マイクロ波加熱は自動的に停止される。
【０５１０】
この第２エリア３０Ｍの目標温度（８０℃）を上げて８５℃にするためには、第２エリア３０Ｍの直前位置にある、右側の入力キー４３Ｍ２を１回操作する。逆に温度を下げて７５℃にしたい場合には、左側の入力キー４３Ｍ２を１回操作すれば良い。
【０５１１】
第２エリア３０Ｍの目標温度（８０℃）の数字の上には、山型の記号３０ＵＰが表示されている。また、同じく８０℃の数字の下には、下方に尖った（Ｖ字形状の）記号３０ＤＮが表示されている。
【０５１２】
この記号３０ＵＰと、統合表示部３０の（右側の）入力キー４３Ｍ２の形状を類似させているので、温度や火力等を上げる場合には、右側の入力キー４３Ｍ２を操作すれば良いことがユーザーには理解しやすい。
【０５１３】
逆に、３０ＤＮと統合表示部３０の（左側の）入力キー４３Ｍ２の形状を類似させているので、温度や火力等を下げる場合には、左側の入力キー４３Ｍ２を操作すれば良いことがユーザーには理解しやすい。この対応ルールは、第３エリア３０Ｒの表示と左右１対の入力キー４３Ｍ３との関係でも適用される。このように、ユーザーの入力操作時における操作ミス（入力キーの間違い）を避ける工夫を採用している。
【０５１４】
図３５において、３０Ｋは、加熱源がマイクロ波加熱源１８９であることを文字で表示した加熱源表示部である。なお、３０Ｐは、前記したように、おかず等の温めにお薦めの制御メニューであることを示した参考情報である。なお、この参考情報の内容は、別の付加情報３０Ｑであっても良く、２種類以上の情報を表示画面３０Ｄで、数秒間ずつ交互に表示しても良い。
【０５１５】
次に図３６について説明する。
図３６は、加熱調理器１の中央操作部４０Ｍを操作した場合の、統合表示部３０の表示動作を説明した別の模式図である。
図３６において、制御メニューを「レンジ手動」にした場合の、表示画面５ＳＴが、統合制御装置ＭＣによって定められたデフォルト表示画面である。
【０５１６】
図１５と図３５で説明したように、入力キー４３ＭＣを操作すると、図３５の表示画面４ＳＴが統合表示部３０に表示される。その次に、中央操作部４０Ｍの左側の入力キー４３Ｍ１を何回操作した場合、特定文３０Ｊは、「レンジ手動」に変化し、この図３６の表示画面５ＳＴが統合表示部３０に表示される。
【０５１７】
表示画面５ＳＴから明らかなように、第１エリア３０Ｌの前後方向の中央には「レンジ手動」という制御メニューの特定文３０Ｊが大きく表示される。
【０５１８】
図３６の表示画面５ＳＴにおいて、第２エリア３０Ｍには「５００Ｗ」というマイクロ波出力値（ワット値）情報３０Ｘが表示される。また、隣接した第３エリア３０Ｒには、「１分００秒」というマイクロ波加熱時間情報３０ＭＹが表示される。この表示画面５ＳＴから分かるように、この「レンジ手動」の制御メニューでは、最初からマイクロ波加熱源１８９を使用することが分かっているので、図３５に示したような（マイクロ波加熱源１８９であることを文字で表示した）加熱源表示部３０Ｋは、表示しないで良い。
【０５１９】
この表示画面５ＳＴの第２エリア３０Ｍのマイクロ波出力値（ワット値）５００Ｗを、１段階下げて２００Ｗにしたい場合には、左側の入力キー４３Ｍ２を１回操作すれば良い。
【０５２０】
同様に、第２エリア３０Ｒの加熱時間を長くして１分１０秒にするためには、第３エリア３０Ｍの直前位置にある、右側の入力キー４３Ｍ３を１回操作する。逆に加熱時間を１段階短くして５０秒にしたい場合には、左側の入力キー４３Ｍ３を１回操作すれば良い。
【０５２１】
図３６の表示画面５ＳＴにおいて、第２エリア３０Ｍの出力（５００Ｗ）の数字の上には、前記山型の記号３０ＵＰが表示されていない。また、同じく５００Ｗの数字の下には、下方に尖った（Ｖ字形状の）記号３０ＤＮが表示されている。
【０５２２】
図３６における表示画面５ＤＮＮは、最小火力（１００Ｗ）と最短時間（１０秒間）を示したものであり、第１エリア３０Ｌの表示内容は省略している。
この表示画面５ＤＮＮの最小火力（１００Ｗ）の上側だけに、前記記号３０ＵＰが表示されており、この火力より大きな火力しか選択できないことを示している。また、同じく、最短時間（１０秒）の数字の上側だけに記号３０ＵＰが表示されており、記号３０ＤＮは表示されていない。つまり、ここでも記号３０ＵＰによって、これより短い時間の選択は出来ないことを示している。
【０５２３】
次に図３７について説明する。
図３７は、加熱調理器１の中央操作部４０Ｍを操作した場合の、統合表示部３０の表示動作を説明した更に別の模式図である。
図３６で示した表示画面の状態で、第１エリア３０Ｌに対応した左側の入力キー４３Ｍ１を１回操作すると、図３７に示したように、制御メニューは「レンジ手動」から「葉菜下ゆで」に変更できる。
【０５２４】
図３７の、表示画面６ＳＴがデフォルト表示画面である。第１エリア３０Ｌには制御メニューの特定文（名称）３０Ｊである「葉菜下ゆで」が大きく表示される。
第２エリア３０Ｍには、マイクロ波出力レベルを示す情報３０Ｖが「標準」と表示され、このまま調理スタートすると５００Ｗで加熱されることになる。なお、この「標準」という場合のマイクロ波出力値は、５００Ｗの場合もあるが、これ以外であっても良い。つまり、マイクロ波加熱源９を使用する場合の、火力レベルの「標準」とは、個々の制御メニューで異なり、常に同じ出力（例えば、５００Ｗ）ではない。
【０５２５】
図３７の第１エリア３０Ｌには、図３５で説明したように、加熱源がマイクロ波加熱源１８９であることを文字で表示した加熱源表示部３０Ｋを表示する。なお、３０Ｐは、前記したように、おかず等の温めにお薦めの制御モードであることを示した推奨文である。なお、この推奨文の内容は、別の付加情報３０Ｑであっても良く、２種類以上の情報を表示画面３０Ｄで、数秒間ずつ交互に表示しても良い。
【０５２６】
次に図３８について説明する。
図３８は、加熱調理器１の中央操作部４０Ｍを操作した場合の、統合表示部３０の表示動作を説明した更に別の模式図である。
図３８は、「ＲＧ調理」という制御メニューを選択する場面を示したものである。
ＲＧ調理とは、前述したが、加熱室１１３を使用して、マイクロ波加熱とオーブン加熱を組み合わせて加熱調理する「レンジグリル調理」のことである。マイクロ波加熱を先に行い、ある程度食品を加熱してから、上部ヒータ１６３Ａや下部ヒータ１６３Ｂで加熱するパターンと、この逆の順序で加熱するパターン、及びマイクロ波加熱とヒータ加熱を同時に行うパターンの３種類がある。なお、ここでいう「同時」とは、加熱開始と終了の両方のタイミングが同じであるという意味ではなく、加熱動作が重なる時間帯のある場合も含む。
【０５２７】
図３８に示した表示画面７ＳＴ１では、最初にマイクロ波加熱源１８９とオーブン加熱源１８８の両方を同時に駆動して１分間加熱し、その後、オーブン加熱源１８８だけで５分間加熱するという加熱制御（時間制御）パターンであることが分かる。
なお、「レンジ＆グリル」の用語を使用せず、短縮形の「ＲＧ」を使用しているのは、第１の表示エリア３０Ｌに表示できる文字数を最小限にするためものである。より多くの文字数を表示させようとすると、第１エリア３０Ｌの専有面積が増えてしまうからである。
【０５２８】
この図３８に示す表示の例では、第２エリア３０Ｍには加熱時間の情報３０Ｓが分単位で表示され、またその後のグリル調理の加熱時間情報３０ＧＹも、分単位で表示される。
これら第１エリア３０Ｌに示された加熱時間情報３０Ｓと、第３エリア３０Ｒの加熱時間情報３０ＧＹは、中央操作部４０Ｍの入力キー４３Ｍ２、４３Ｍ３によって、適宜変更できる。
【０５２９】
図３８において、表示画面７ＳＴ２は、最初にマイクロ波加熱源１８９単独で、１分間加熱（マイクロ波出力５００Ｗ）し、その後、オーブン加熱源１８８だけで５分間加熱するという加熱制御（時間制御）パターンの場合である。この表示画面７ＳＴ２は、デフォルト表示画面である。
【０５３０】
次に図３９について説明する。
図３９は、図３７に示した表示画面６ＳＴの表示内容と、中央操作部４０Ｍとの動作を説明した平面模式図である。
【０５３１】
図３９に示しているように、中央操作部４０Ｍにおいて、個別発光部２７Ｍ１〜２７Ｍ６を配置しており、主電源スイッチ９７を投入した段階では、表示部駆動回路６３によって個々の個別発光部２７Ｍ１〜２７Ｍ４は、統一された発光色で発光する。
【０５３２】
その後、さらには、制御メニューの選択用入力キー４３ＭＣを操作すると、第１エリア３０Ｌには、図３７に示した表示画面６ＳＴがデフォルトで表示される。
この表示段階では、第１エリア３０Ｌと第２エリア３０Ｍに対応している合計４つの入力キー４３Ｍ１〜４３Ｍ２は、何れも入力を受け付けることができる。そのため、それら４つの入力キー４３Ｍ１〜４３Ｍ２に対応する２つの個別発光部２７Ｍ３、２７Ｍ４は、発光を継続する。
【０５３３】
一方、図３９に示しているように表示画面６ＳＴや表示画面６ＵＰ１、６ＤＮ１等が表示された後は、スタート用の入力キー４３ＭＳと対応している個別発光部２７Ｍ６は、図３９に示しているように、連続発光から点滅に変化する。そして、入力キー４３ＭＳの存在を光で強調する。ユーザーがこの入力キー４３ＭＳにタッチすれば、加熱調理動作が開始される。
【０５３４】
このように、この実施の形態１では、メニュー選択部となる入力キー４３Ｍ１と、スタート選択部となる入力キー４３ＭＳの、それぞれの入力機能が有効である場合に第１の発光形態（連続発光）で個々の発光部２７Ｍ１〜２７Ｍ６を発光させる発光手段（表示部駆動回路６３）を備え、
前記統合制御部ＭＣは、前記参考情報３０Ｐを表示させた場合、前記スタート選択部（入力キー４３ＭＳ）に対応している発光部２７Ｍ６だけを、第２の発光形態（点滅）で発光させる構成である。
【０５３５】
上記構成であるため、加熱調理の開始指令を待っている状態が、前記発光部２７Ｍ６の点滅によってユーザーは容易に識別できる。なお、発光部２７Ｍ６は、マイクロ波加熱とオーブン加熱の動作を停止させることができるタッチ式入力キー４３ＭＴにも対応しているので、発光部２７Ｍ６が発光している場合には、入力キー４３ＭＴも入力機能は有効であり、タッチ操作すれば、加熱停止の指令を発信できる。
【０５３６】
なお、主電源スイッチ９７を投入した段階では、表示部駆動回路６３によって、スタート選択部となる入力キー４３ＭＳに対応した発光部２７Ｍ６だけを、最初から点滅させるようにしても良い。また、その他の発光部２７Ｍ１〜２７Ｍ４は、連続発光をさせ、スタート選択部の入力キー４３ＭＳとは異なる形態で発光させても良い。
【０５３７】
以上の説明から明らかなように、この実施の形態１の複合型加熱調理器は、第１の発明を以下の形態で実施していた。すなわち、
加熱室１１３内で被調理物を加熱するマイクロ波加熱源１８９と、
前記加熱室１１３内を加熱するオーブン加熱源１８８と、
ユーザーの操作を受け付ける入力操作部４０と、
前記マイクロ波加熱源１８９と前記オーブン加熱源１８８に共用され、表示画面３０Ｄを有する統合表示部３０と、
前記マイクロ波加熱源１８９と前記オーブン加熱源１８８を制御する制御部（ＩＨ制御部９０、統合制御装置ＭＣ）と、を備え、
前記入力操作部４０には、制御メニュー群の中から特定の制御メニュー（例えば、「あたため」）を選択するための入力キー４３Ｍ１と、前記第マイクロ波加熱源１８９と前記オーブン加熱源１８８の加熱動作指令できるスタート用の入力キー４３ＭＳと、を有し、
前記制御部は、前記入力キー４３Ｍ１が押下されたと判断すると、１つの制御メニュー（例えば、「あたため」）と、当該制御メニューに適用される１つ以上の「制御条件」情報（これは、加熱強度情報（火力値を含む）又は目標温度情報３０Ｔ（例えば、８０℃）の両者又は何れか一方との組み合わせを示す情報を含む）を、前記表示画面３０Ｄ（第１エリア３０Ｌ、第２エリア３０Ｍ）に表示させ、前記制御部は、前記制御メニュー又は前記制御条件に対応した加熱調理の参考情報３０Ｐ（推奨文）を表示させ、この状態で前記スタート用入力４３ＭＳキーが押された場合、当該制御メニュー（例えば、「あたため」）の実行を開始することを特徴とする構成である。
【０５３８】
この構成によれば、１つの加熱調理器において、マイクロ波加熱とオーブン加熱の両方が実施でき、幅広い調理に対応できる利便性が高い加熱調理器となる。
しかも、マイクロ波加熱源１８９とオーブン加熱源１８８に共用される統合表示部３０の表示画面３０Ｄにおいて、マイクロ波加熱を行う場合の１つの制御メニューの選定において、その特定の制御メニュー（例えば、「あたため」）を選択して調理開始をスタートさせる前に、その制御メニューと１つ以上の「制御条件」との組み合せに対応した、参考情報３０Ｐ（推奨文）が表示されるので、ユーザーによる制御メニューの確定作業を支援できる。このため、複合型加熱調理器であっても使い勝手が良い加熱調理器とすることができる。
【０５３９】
以上の説明から明らかなように、この実施の形態１の複合型加熱調理器は、第２の発明を以下の形態で実施していた。すなわち、
被加熱物が載置されるトッププレート１５を上面に有した本体１１０と、
前記本体１１０の内部に設置され、前記トッププレート１５を介して前記被加熱物を加熱する誘導加熱源９と、
前記本体１１０の内部で前記誘導加熱源９よりも下方に設置され、ドア１１４によって前面開口部が開閉自在に閉鎖される加熱室１１３と、
前記加熱室１１３にマイクロ波を供給するマイクロ波加熱源１８９と、
前記加熱室１１３を加熱するオーブン加熱源１８８と、
前記本体１１０の上面前方部に左右方向に長く設置された入力操作部４０と、
前記入力操作部４０の指令を受けて、前記誘導加熱源９と、マイクロ波加熱源１８９と、前記オーブン加熱源１８８とを制御する制御装置（統合制御装置ＭＣ、ＩＨ制御装置９０、加熱室制御部１５９、マイクロ波加熱制御部１３０）と、を備え、
前記誘導加熱源９は、前記トッププレート１５の左側部分にある左加熱部１７ＨＬと、前記トッププレート１５の右側部分にある右加熱部１７ＨＲと、を有し、
前記入力操作部４０は、中央部に前記マイクロ波加熱源１８９とオーブン加熱源１８８用の中央操作部４０Ｍを配置し、この中央操作部４０Ｍの左側に前記左加熱部用の左操作部４０Ｌを、また当該中央操作部の右側に前記右加熱部用の右操作部４０Ｒを配置し、
前記中央操作部４０Ｍに隣接した位置には、前記誘導加熱源９と、前記マイクロ波加熱源１８９と、前記オーブン加熱源１８８のための、加熱動作開始前の共通情報を表示し、かつ前記マイクロ波加熱源１８９と前記オーブン加熱源１８８のための、複数の制御メニュー（例えば、「オーブン」と「あたため」）とが同時に表示可能な表示画面を有する統合表示部３０を配置し、
前記制御手段は、電源が供給されると、
（１）前記表示画面に、前記加熱動作開始前の共通情報（表示画面２Ａ、２Ｂ）を表示し、
（２）前記中央操作部４０Ｍと、前記右操作部４０Ｒと、前記左操作部４０Ｌによって、前記誘導加熱源９と、マイクロ波加熱源１８９と、前記オーブン加熱源１８８の選択を待つ入力待機状態（図２４の、ステップＳＴ４〜ＳＴ６）になることを特徴とする構成である。
【０５４０】
この構成によれば、１つの加熱調理器において、誘導加熱と、マイクロ波加熱とオーブン加熱の３種類が実施でき、より幅広い調理に対応できる利便性が高い加熱調理器となる。
【０５４１】
しかも、マイクロ波加熱源１８９とオーブン加熱源１８８と、誘導加熱源９による加熱動作開始前の共通情報を、表示画面２Ａ、２Ｂ（図３２参照）に示したように統合表示部３０の表示画面３０Ｄにおいて表示する。その後、それら３つの加熱源１８８の選択を待つ入力待機状態（図２４の、ステップＳＴ４〜ＳＴ６）になるので、ユーザーによる加熱動作開始前に、安全性や使用方法等の利便性の高い共通情報をユーザーに伝達でき、その後の入力操作の負担を軽減できる。このため、複合型加熱調理器であっても使い勝手が良い加熱調理器とすることができる。
【０５４２】
以上の説明から明らかなように、この実施の形態１の複合型加熱調理器は、以下の特徴的な構成を実施していた。すなわち、
加熱室１１３と、
マイクロ波加熱源１８９と、
前記加熱室１１３内を加熱するオーブン加熱源１８８と、
入力操作部４０と、
前記マイクロ波加熱源１８９と前記オーブン加熱源１８８に共用され、表示画面３０Ｄを有する統合表示部３０と、
前記マイクロ波加熱源１８９と前記オーブン加熱源１８８及び前記統合表示部３０を制御する制御部（統合制御装置ＭＣ、加熱室制御部１５９及びマイクロ波加熱制御部１３０）と、を備え、
前記入力操作部４０には、制御メニュー群の中からマイクロ波加熱源を使用する第１の（特定の）制御メニュー（例えば、「あたため」）と、オーブン加熱源を使用する第２の（特定の）制御メニュー（例えば、「オーブン」）を選択するためのメニュー選択手段（入力キー４３Ｍ１）を有し、
前記制御部は、前記表示画面３０Ｄにおいて、前記第１の制御メニュー（例えば、「あたため」）を前記表示画面３０Ｄに表示させた場合、前記マイクロ波加熱源を識別できる表示３０Ｋと、当該制御メニュー（例えば、「あたため」）に適用される加熱強度情報又は目標温度情報３０Ｔ（例えば、８０℃）の両者又は何れか一方との組み合わせ（１つ以上の「制御条件」）を示す情報を、対応させて表示（例えば、図３５の表示画面４ＳＴ）させることを特徴とする構成である。
【０５４３】
この構成によれば、１つの加熱調理器において、マイクロ波加熱とオーブン加熱の２種類が実施でき、幅広い調理に対応できる利便性が高い加熱調理器となる。
しかも、2種類の加熱源に共用される統合表示部では、前記表示画面３０Ｄにおいて、前記制御メニュー群の中から前記第１の制御メニュー（例えば、「あたため」）を前記表示画面３０Ｄに表示させた場合、マイクロ波加熱源１８９を識別できる表示３０Ｋと、当該第１の制御メニュー（例えば、「あたため」）に適用される目標温度情報３０Ｔ（例えば、８０℃）の組み合わせ示す情報を表示させるので、ユーザーによる加熱源の動作開始前に、制御メニューに関係する加熱源と目標温度等の制御条件を確認でき、ユーザーの入力操作の負担を軽減できる。このため、複合型加熱調理器であっても使い勝手が良い加熱調理器とすることができる。
【０５４４】
以上の各発明の他、この実施の形態１の複合型加熱調理器は、特徴的な形態を備えていたので、以下のような利点もある。
特徴１．
被加熱物を加熱する誘導加熱源９を有し、厨房家具２に支持される上部ユニット１００と、
前記上部ユニット１００に取り付けられ、加熱室１１３を内蔵した下部ユニット２００と、を備え、
前記下部ユニット２００には、前記加熱室１１３にマイクロ波を供給するマイクロ波加熱装置１２０と、前記加熱室１１３を加熱するオーブン加熱装置１４０と、を配置し、
前記上部ユニット１００には、前記誘導加熱源９、前記マイクロ波加熱装置１２０及び前記オーブン加熱装置１４０の３者を集中して制御する統合制御装置ＭＣを備え、
前記上部ユニット１００には、前記統合制御装置ＭＣによって制御される誘導加熱回路９４Ｌ、９４Ｒと、商用電源９９からの電力を受けるフィルター回路を実装したフィルター回路基板５４と、このフィルター回路基板５４からの電力を受ける（第１の）インバーター回路８１を実装したインバーター回路基板８０と、を有し、
前記下部ユニット２００には、前記マイクロ波加熱装置１２０のマイクロ波加熱制御部１３０と、前記オーブン加熱装置１４０の加熱室制御部１５９と、前記フィルター回路基板５４からの電力を受ける（第２の）インバーター回路基板１２１Ａとを配置し、
前記上部ユニット１００のフィルター回路から、前記マイクロ波加熱装置の制御部１３０と、前記オーブン加熱装置１４０の、それぞれの加熱源用電力を供給する構成である。
【０５４５】
従ってこの特徴１の構成によれば、上部ユニット１００と下部ユニット２００に、３種類の加熱源を備えていることにより、従来よりも幅広い複合調理を行うことができる。
また、統合制御装置ＭＣのよる集中制御により、上部ユニット１００と下部ユニット２００にそれぞれ配置したインバーター回路基板を連携させることができ、また上部ユニットのフィルター回路から加熱用電力を３つの加熱源に分配し、商用電源側にノイズの還流も低減できる複合型加熱調理器を提供できる。
【０５４６】
特徴２．
被加熱物を加熱する誘導加熱源９を有し、厨房家具２に支持される上部ユニット１００と、
前記上部ユニット１００に取り付けられ、加熱室１１３を内蔵した下部ユニット２００と、を備え、
前記下部ユニット２００には、前記加熱室１１３にマイクロ波を供給するマイクロ波加熱装置１２０と、前記加熱室１１３を加熱するオーブン加熱装置１４０と、を配置し、
前記上部ユニット１００には、前記誘導加熱源１７、前記マイクロ波加熱装置１２０及び前記オーブン加熱装置１４０の３者を集中して制御する統合制御装置ＭＣを備え、
前記上部ユニット１００には、前記統合制御装置ＭＣによって制御される誘導加熱回路９４Ｌ、９４Ｒと、商用電源９９からの電力を受ける電源回路基板５５と、（第１の）インバーター回路８１を実装したインバーター回路基板８０と、を有し、
前記下部ユニット２００には、前記マイクロ波加熱装置１２０のマイクロ波加熱制御部１３０と、前記オーブン加熱装置１４０の加熱室制御部１５９と、（第２の）インバーター回路基板１２１とを配置し、
前記電源回路基板５５は、前記（第１の）インバーター回路８１を冷却する冷却ファン６０の冷却風通路（第１風路Ｆ１）の下流側に配置されており、
前記マイクロ波加熱装置の制御部１３０と、前記オーブン加熱装置１４０は、前記上部ユニット１００のフィルター回路基板５４から、それぞれの加熱源用電力を供給する構成である。
【０５４７】
従ってこの構成によれば、上部ユニット１００と下部ユニット２００に、３種類の加熱源を備えていることにより、従来よりも幅広い複合調理を行うことができる。
また、統合制御装置ＭＣによる集中制御により、上部ユニット１００と下部ユニット２００にそれぞれ配置したインバーター回路基板８０、１２１を連携させることができる。
更に、フィルター回路基板５４から分岐させて３つの加熱源に加熱用の電力を分配する構成とし、かつ第１冷却ファン６０の冷却風通路（第１風路Ｆ１）の下流側にフィルター回路基板５４が配置されているため、フィルター回路基板５４の過熱も防止できる。
【０５４８】
特徴３．
さらに、この実施の形態１の加熱調理器は、以下の構成であった。すなわち、
被加熱物を加熱する誘導加熱源１７を有し、厨房家具２に支持される上部ユニット１００と、
前記上部ユニット１００に取り付けられ、加熱室１１３を内蔵した下部ユニット２００と、を備え、
前記下部ユニット２００には、前記加熱室１１３にマイクロ波を供給するマイクロ波加熱装置１２０と、前記加熱室１１３を加熱するオーブン加熱装置１４０と、を配置し、
前記上部ユニット１００には、前記誘導加熱源１７、前記マイクロ波加熱装置１２０及び前記オーブン加熱装置１４０の３者を集中して制御する統合制御装置ＭＣを備え、
前記上部ユニット１００には、前記統合制御装置ＭＣによって制御される誘導加熱回路９４Ｌ、９４Ｒと、商用電源９９からの電力を受ける電源回路基板５５と、（第１の）インバーター回路８１を実装したインバーター回路基板８０と、を有し、
前記下部ユニット２００には、前記マイクロ波加熱装置１２０のマイクロ波加熱制御部１３０と、前記オーブン加熱装置１４０の加熱室制御部１５９と、（第２の）インバーター回路基板１２１とを配置し、
前記電源回路基板５５は、前記（第１の）インバーター回路８１を冷却する冷却ファン６０の冷却風通路（第１風路Ｆ１）の下流側に配置されており、
前記マイクロ波加熱装置の制御部１３０と、前記オーブン加熱装置１４０は、前記上部ユニット１００のフィルター回路基板５４の下流側（非商用電源側）に設けた電源回路基板５５から、それぞれの制御用の低電圧の電力を供給する構成である。
【０５４９】
従ってこの構成によれば、上部ユニット１００と下部ユニット２００に、３種類の加熱源を備えていることにより、従来よりも幅広い複合調理を行うことができる。
また、総合制御装置ＭＣによる集中制御により、上部ユニット１００と下部ユニット２００にそれぞれ配置したインバーター回路基板８０、１２１を連携させることができる。
更に、電源回路基板５５から３つの加熱源の制御装置９０、１３０，１５９に対して、規定の低電圧の電力を分配する構成とし、かつ第１冷却ファン６０の冷却風通路（第１風路Ｆ１）の下流側に電源回路基板５５が配置されているため、電源回路基板５５の過熱も防止でき、制御装置９０等に安定した電源を供給できる。
【０５５０】
特徴４．
この実施の形態１の加熱調理器は、厨房家具の中に設置されるものであって、
被加熱物が載置されるトッププレート１５を介して前記被加熱物を加熱する第１の加熱源（誘導加熱源）９を有し、前記厨房家具２に支持される上部ユニット１００と、
前記上部ユニット１００の下方に設置され、ドア１１４によって前面開口部が開閉自在に閉鎖される加熱室１１３を備えた下部ユニット２００と、を備え、
前記下部ユニット２００には、前記加熱室１１３にマイクロ波を供給するマイクロ波加熱装置１２０と、前記加熱室を加熱するオーブン加熱装置１４０と、前記マイクロ波加熱装置を冷却するための冷却ファン１２８、１２９と、を備え、
前記マイクロ波加熱装置１２０のマイクロ波発生源１２２は、前記加熱室１１３の、左右何れか１つの側壁面に沿って配置され、かつマイクロ波発生源１２２の発振部１２２Ａが当該加熱室１１３の背面側に突出するように横向きに設置され、
前記加熱室１１３の背面側には、当該加熱室１１３の内部に通ずる給電口１８０と、前記マイクロ波発生源１２２からのマイクロ波が導入されるアンテナケース１２４と、を設け、
前記アンテナケース１２４内には、前記マイクロ波発生源１２２から発振されたマイクロ波を、前記給電口１８０を介して前記加熱室１１３内の空間へ伝搬させるための、回動されるアンテナ１２５を配置した構成である。
【０５５１】
この構成のため、加熱室１１３の１つの側壁面（右側面）から背面側の空間に、マイクロ波加熱装置１２０のマグネトロン１２２とアンテナケース１２４と、を一連にした形態で設置でき、狭い内部空間の下部ユニット２００の中にこれら装置を内蔵させることができる。
【０５５２】
特徴５．
この実施の形態１の加熱調理器は、厨房家具の中に設置されるものであって、
被加熱物が載置されるトッププレート１５を介して前記被加熱物を加熱する誘導加熱源９を有し、前記厨房家具２に支持される上部ユニット１００と、
前記上部ユニット１００の下方に設置され、ドア１１４によって前面開口部が開閉自在に閉鎖される加熱室１１３を備えた下部ユニット２００と、を備え、
前記下部ユニット２００には、前記上部ユニット１００から電力の供給を受け、前記加熱室１１３にマイクロ波を供給するマイクロ波加熱装置１２０と、前記加熱室１１３を加熱するオーブン加熱装置１４０と、前記マイクロ波加熱装置１２０を冷却するため冷却ファン１２８、１２９と、を備え、
前記マイクロ波加熱装置１２０のマイクロ波発生源１２２は、前記加熱室１１３の１つの右側壁面又は左側壁面に沿って配置され、かつマイクロ波発生源１２２の発振部１２２Ａが当該加熱室１１３の背面側に突出するように横向きに設置され、
前記加熱室１１３の背面側には、前記マイクロ波発生源１２２からのマイクロ波が導入されるアンテナケース１２４を設け、
前記アンテナケース１２４内には、前記マイクロ波発生源１２２から発振されたマイクロ波を、前記加熱室１１３の背面に設けた給電口１８０を介して当該加熱室１１３内の空間へ伝搬させるための、回動されるアンテナ１２５を配置し、
前記誘導加熱源１７、前記マイクロ波加熱装１２０、前記オーブン加熱装置１４０及び前記冷却ファン１２８、１２９は、前記上部ユニット１００側にある統合制御装置ＭＣによって運転が制御されることを特徴とする構成である。
【０５５３】
この構成のため、加熱室１１３の１つの側壁面（右側面）から背面側の空間に、マイクロ波加熱装置１２０のマイクロ波発振器（マグネトロン１２２）とアンテナケース１２４と、を一連にした形態で設置でき、狭い内部空間の下部ユニット２００の中にこれら装置を内蔵させることができる。
【０５５４】
さらに前記誘導加熱源１７を制御する統合制御装置ＭＣは、前記マイクロ波加熱装置１２０、オーブン加熱装置１４０、第３冷却ファン１２８及び第４冷却ファン１２９も、集中して制御しているので、各加熱源の連携が確実に実行されるビルトイン式複合型加熱調理器１を提供できる。
【０５５５】
特徴６．
この実施の形態１の加熱調理器は、厨房家具の中に設置されるものであって、
被加熱物が載置されるトッププレート１５を介して前記被加熱物を加熱する誘導加熱源９を有し、前記厨房家具２に支持される上部ユニット１００と、
前記上部ユニット１００の下方に設置され、ドア１１４によって前面開口部が開閉自在に閉鎖される加熱室１１３を備えた下部ユニット２００と、を備え、
前記下部ユニット２００には、前記上部ユニット１００から電力の供給を受け、前記加熱室１１３にマイクロ波を供給するマイクロ波加熱装置１２０と、前記加熱室１１３を加熱するオーブン加熱装置１４０と、を備え、
前記マイクロ波加熱装置１２０は、マイクロ波加熱制御部１３０と、マイクロ波発生源１２２と、前記マイクロ波発生源１２２に高周波電力を供給する第１のインバーター回路基板１２１と、を備え、
前記オーブン加熱装置１４０は、加熱室制御部１５９を備え、
前記マイクロ波発生源１２２と前記第１のインバーター回路基板１２１とは、前記加熱室１１３の１つの側壁面に沿って、かつ前後方向に離れて配置され、
前記第１のインバーター回路基板１２１の下方と、前記マイクロ波発生源１２２の放熱部１２２Ｈの下方には、前記下部ユニット２００の外部から、それぞれ空気を吸引し、当該空気を前記第１のインバーター回路基板１２１と前記放熱部１２２Ｈに個別に供給する前方側冷却ファン１２８と、後方側冷却ファン１２９とを、それぞれ配置した構成である。
【０５５６】
この構成のため、加熱室１１３の１つの側壁面（右側面）にマイクロ波加熱装置１２０のマイクロ波発振器（マグネトロン１２２）とインバーター回路基板１２１と、を狭い内部空間の下部ユニット２００の中に内蔵させることができる。
【０５５７】
その他特徴点．
実施の形態１の構成においては、以下の通り各種の実用的効果、メリットが期待できる。
（１）マイクロ波加熱装置１２０を構成するケースＡ１５０とケースＢ１５１を、図７に示しているように前後方向に一直線上に並べ、かつ互いに接触するように隣接すると、２つの独立した冷却風ＲＦ５、ＲＦ６を案内する構造が簡単に、かつコンパクトに実現できる。
（２）第３冷却ファン１２８と第４冷却ファン１２９を、図７に示しているように前後方向に一直線上に並べ、かつ隣接させると、２つの独立した冷却風ＲＦ５、ＲＦ６を案内する構造が簡単に、かつコンパクトに実現できる。
（３）マイクロ波加熱装置１２０を構成するケースＡ１５０とケースＢ１５１、マグネトロン１２２、ドア１１４の閉鎖検知部１３９のラッチスイッチ１３２Ａ、ドアスイッチ１３２Ｂ等の重要な部品を、加熱室１１３の右側側方に集約させているので、これら部品の点検や修理が必要になった場合、下部ケース１０１の右側だけで対応でき、便利である。例えば、下部ケース１０１の右側外殻を構成している側方垂直壁１０１Ｒを取り外せば、上記各部品の全体が露出し、保守点検等の作業性を容易に行える
【０５５８】
実施の形態２．
図４０は、実施の形態２に係るビルトイン式複合型加熱調理器を示すもので、加熱調理器の全体を説明するブロック図である。図４１は、図４０の加熱調理器において、中央操作部と各種表示部の配置を説明するための前方部分の平面図１である。図４２は、図４０の加熱調理器において、中央操作部と各種表示部の配置を説明するための前方部分の平面図２である。図４３は、図４０の加熱調理器において、中央操作部と各種表示部の配置を説明するための前方部分の平面図３である。図４４は、図４０の加熱調理器において、中央操作部の構成を示すブロック図である。図４５は、実施の形態２の変形例を示したもので、中央操作部と各種表示部の配置を説明するための前方部分の平面図である。なお、図１〜図３９に説明した実施の形態１の構成と同一又は相当部分は、同じ符号を付けている。
【０５５９】
図４０において、破線で示す矢印は、制御用の指令信号を示している。
この本発明の実施の形態２を示す加熱調理器１では、マイクロコンピューターを主体にした制御装置が、合計６つある。この点が実施の形態１と大きく異なる個所である。
【０５６０】
前記した６つの制御装置の中で、加熱調理器１の全体の制御を司るものが統合制御装置ＭＣである。この統合制御装置ＭＣからの指令を受けて、誘導加熱調理を制御するのは、ＩＨ制御装置９０である。またマイクロ波加熱源１８９とオーブン加熱源１８８の双方を制御するのが、制御装置１０５である。この制御装置１０５は、実施の形態１で説明した加熱室制御部１５９とマイクロ波加熱制御部１３０を集合させたものである。
【０５６１】
前記した２つの制御装置９０、１０５は、統合制御装置ＭＣに指令に従って規定の制御を行い、処理結果を統合制御装置ＭＣへ返信するため、スレーブ（ＳＬＡＶＥ）マイコンと呼ばれる場合がある。この場合、前記統合制御装置ＭＣは、マスターマイコンと呼ばれる。
【０５６２】
前記した６つの制御装置の中の残りの３つについて以下説明する。
まず１つ目は、入力操作部４０において、右操作部４０Ｒに配置された右側のタッチキー群の入力と、表示部３１Ｒの表示を処理する右側入力制御装置２３である。この右側入力制御装置２３は、更に中央操作部４０Ｍのタッチキー群の入力と統合表示部３０の表示を処理する。
【０５６３】
２つ目は、左操作部４０Ｌに配置された、左側のタッチキー群の入力と表示部３１Ｌの表示を処理する左側入力制御装置２４である。
３つ目は、電源スイッチ制御装置２８である。
電源スイッチ制御装置２８は、入力操作部４０に配置された主電源スイッチ９７の操作ボタン（操作部）９８の操作を検知して電源のＯＮ−ＯＦＦを決めるものである。
【０５６４】
図４０において、１０６Ａは、商用（交流）電源９９に接続されたプラグである。電圧２００Ｖ、５０Ｈｚ又は６０Ｈｚの電力は、電源コード１０６を介してフィルター回路基板５４まで導かれる。なお、フィルター回路基板５４は、上部ユニット１００に内蔵されている。
【０５６５】
フィルター回路基板５４には、加熱調理器１の主電源をＯＮ−ＯＦＦするメインリレー１０７と、サブリレー（図示せず）を有している。図４０には、メインリレーだけを模式的に記載している。
【０５６６】
前記メインリレー１０７は、加熱調理器１の全体の制御を司る統合制御装置ＭＣから、所定のリレー制御信号を受けて開閉動作が実行される。なお、サブリレーは、後述するように、電源スイッチ制御手段２８からのリレー制御信号を受けて開閉動作が実行される。電源スイッチ制御手段２８は、主電源スイッチ９７の操作ボタン９８の操作を検知して電源のＯＮ−ＯＦＦを決める機能を有している。これらメインリレー１０７とサブリレーによって主電源スイッチ９７が構成されている。
【０５６７】
前記統合制御装置ＭＣは、前記ＩＨ制御装置９０と、制御装置１０５、右側入力制御装置２３、左側入力制御装置２４及び電源スイッチ制御装置２８からの動作情報を常に取得し、それらを統合して制御する。
【０５６８】
前記統合制御装置ＭＣは、前記中央操作部４０Ｍと、統合表示部３０の表示動作と、音声合成装置９５及び無線通信部４９を制御するものである。この統合制御装置ＭＣと、右側入力制御装置２３及び電源スイッチ制御装置２８は、入力操作部４０を構成する中央操作基板３２に取り付けられている。
【０５６９】
前記中央操作基板３２は、実施の形態１で説明した操作基板４１と類似するものであり、後述する各種の電子部品類と、統合制御装置ＭＣ、前記右側入力制御装置２３及び電源スイッチ制御装置２８等を実装している。この中央操作基板３２は、電気絶縁性に富むプラスチック材料で形成されている。
【０５７０】
５５は、フィルター回路５４から、商用電源の電力が供給される電源回路基板であり、図４０に示すように、整流回路３３を経由して電力が印加される電源回路Ａ３４と、整流回路３５を経由して電力が印加される電源回路Ｂ３６、とを備えている。この２つの電源回路Ａ３４と電源回路Ｂ３６により、電圧２００Ｖの電力は、例えば２４Ｖ、１８Ｖ、６Ｖ、５Ｖ等のような、低い電圧の直流に変換される。
【０５７１】
前記した５Ｖの電力は、前記統合制御装置ＭＣ、前記ＩＨ制御装置９０、制御装置１０５、右側入力制御装置２３、左側入力制御装置２４及び電源スイッチ制御装置２８の電源として供給される。
また、６Ｖの電力は、中央統合部３０、右表示部３１Ｒ、左表示部３１Ｒの電源（バックライト電源含む）として使用される。
【０５７２】
電源回路基板５５は、上部ユニット１００に設置されており、上記したように、その電源回路Ａ３４と、電源回路Ｂ３６で生成された電力は、上部ユニット１００の中の制御や表示部の電源として使用されている。
【０５７３】
８０は、上部ユニット１００の内部に設置されている誘導加熱源９のインバーター回路基板である。
このインバーター回路基板８０には、直流電源部７５Ｒを備えた右側のインバーター回路８１Ｒと、別の直流電源部７５Ｌを備えた左側のインバーター回路８１Ｌ、を備えている。
【０５７４】
前記フィルター回路５４から、インバーター回路基板８０には２００Ｖの電圧の交流電力が印加される。９０は、誘導加熱の制御全般を司るＩＨ制御装置であり、マイクロコンピューターを主体にして構成されている。
【０５７５】
前記ＩＨ制御装置９０は、インバーター回路８２Ｌ、８２Ｒの中のＩＧＢＴ７９ａ、７９ｂを駆動する駆動回路３７Ｌ、３７Ｒに駆動信号を発信する。２つの駆動回路３７Ｌ、３７Ｒは、前記電源回路Ａ３４、電源回路Ｂ３６から供給された１８Ｖの電力で動作し、ＩＧＢＴ７９ａ、７９を制御する。これによりインバーター回路８１Ｌ、８１Ｒの駆動周波数が制御される。
【０５７６】
例えば、駆動回路Ａ３７Ｒは、電力用スイッチング素子９３（半導体スイッチング素子）（ＩＧＢＴ７９ａ、７９ｂ）の導通時間を検知し、導通時間を切り替えることにより、インバーター回路８１Ｒの駆動周波数を低下させて火力を低下させ、又は逆に駆動周波数を上げて火力を上げる制御をする。これら駆動周波数の指令は、ＩＨ制御装置９０から出される。
【０５７７】
７７ａは、インバーター回路８１Ｌ、８１Ｒの商用電源側に設置した入力電流検出部、７７ｂは、インバーター回路８１Ｌ、８１Ｒの出力側の電力を検出する出力電流検出部である。
これら入力電流検出部７７ａと出力電流検出器７７ｂの検出値は、前記ＩＨ制御装置９０に入力される。
【０５７８】
誘導加熱調理時の初期段階では、ＩＨ制御装置９０が被加熱物の材質判定を行う。
例えば、ある駆動周波数から別の駆動周波数まで変更させた時に、前記入力電流値の変化を見て、鍋等の被加熱物の材質が、磁性金属であるか、非磁性ステンレス、アルミニウム等と判別し、前記スイッチング素子（ＩＧＢＴ）７９ａ、７９ｂの駆動周波数を適正な値に自動調整する。そして、被加熱物の材質を非磁性ステンレスと判別した場合は、鉄と判別した場合の駆動周波数（例えば、２３ＫＨｚ）よりも高い駆動周波数（例えば３１ｋＨｚ）で駆動させる。
【０５７９】
ＴＳ５、ＴＳ６は、ＩＨコイル１７Ｌ、１７Ｒの空隙部に設置した非接触形温度センサー、ＴＳ３、ＴＳ４は、ＩＨコイル１７Ｌ、１７Ｒの中心部に設置した接触形温度センサーである。また、ＴＳ８、ＴＳ９は、インバーター回路基板８０のヒートシンク８２に設置した接触形温度センサーである。これら各温度センサーの温度検出データは、統合制御装置ＭＣに入力される。
【０５８０】
実施の形態１では、温度検出回路９３を備えていたが、この実施の形態２では、そのようなハードウエア形式での温度検出回路９３を備えていない。統合制御装置ＭＣの中のソフトウエアによって温度検知や温度比較、異常有無等の処理が実行される。
【０５８１】
１３１は、ドア開閉検知機構である。このドア開閉検知機構１３１は、ドア１１４の開閉動作に応じて開閉される１つのスイッチと、そのスイッチが正しく開閉していることを検知するモニタースイッチとを備えている。この点は、実施の形態１で説明したものと同じである。
【０５８２】
１２０Ｐは、マイクロ波加熱装置１２０の電源回路部であり、フィルター回路５４から供給される商用電圧（２００Ｖ）の電力から、低電圧（例えば２４Ｖと５Ｖ）の電源となる交流電力を生成する。なお、電圧５Ｖの電力は、前記制御装置１０５の電源として供給され、また２４Ｖの電力は、第３冷却ファン１２８、第４冷却ファン１２９の駆動回路１７７に対して、それぞれ供給される。さらに、２４Ｖの電力は、アンテナ駆動用モータ１２６の駆動電源として供給される。
【０５８３】
加熱室１１３を加熱する上部ヒータ１６３Ａと下部ヒータ１６３Ｂは、前記制御装置１０５によってリレー１７８Ａ、１７８Ｂが開閉されることで通電が制御される。なお、前記リレー１７８Ａ、１７８Ｂは、細かい通電率制御ができるような半導体スイッチング素子を使用しても良いが、この実施の形態２では、ＯＮ−ＯＦＦ制御するだけであるので、リレーを採用している。上部ヒータ１６３Ａと下部ヒータ１６３Ｂには、商用電源と同じ２００Ｖの電圧が加わり、動作する。
【０５８４】
１３２Ｍは、ドア開閉検知機構１３１の一部を構成するドア開放検知スイッチである。スイッチ自体は、前記ドア開閉検知機構１３１の内部に設置してあるが、この図４０では、開閉信号が制御装置１０５に入力されることを示すために、別の位置に描いている。
【０５８５】
１６０は、加熱室１１３の中の食品等の温度を計測する赤外線センサー、ＴＳ１は、前記マイクロ波加熱装置１２０のマグネトロン１２２の温度を計測する接触式センサーである。これらセンサー１６０、ＴＳ１の温度検出データは、全て制御装置１０５に入力される。
【０５８６】
１２１Ａは、マグネトロン１２２に高周波電力を供給するインバーター回路であり、電源側回路に挿入されたリレー１８２によって発振が制御される。前記リレー１８２の開閉は、前記制御装置１０５によって行う。
【０５８７】
６０Ｐ、６１Ｐは、前記第１冷却ファン６０と第２冷却ファン６１をそれぞれ駆動する駆動回路である。この駆動回路６０Ｐ、６１Ｐは、前記ＩＨ制御装置９０の指令を受けて動作する。
【０５８８】
この図４０では、統合表示部３０や入力操作部４０の温度を監視する温度センサーを図示していないが、実際にはそのような温度センサーを設置し、加熱調理中において、常に（一定時間毎に）温度計測データを統合制御装置ＭＣが取得して、異常な温度にならないように監視している。
【０５８９】
３８は、左側操作基板であり、中央操作基板３２の左側に設置されており、電気絶縁性材料から形成されている。この左側操作基板３８には、前記左側入力制御装置２４と、左側の表示部３１Ｌを取り付けている。左側操作基板３８と中央操作基板３２は、略同一平面上に並ぶように隣接して設置してある。
【０５９０】
次に、この実施の形態２の１つの特徴である前記中央操作部４０Ｍと統合表示部３０について説明する。
図４１に示すように、統合表示部３０の表示画面部３００は、第１エリア３０Ｌ〜第３エリア３０Ｒに加え、第４エリア３０３を有している。第１エリア３０Ｌ〜第３エリア３０Ｒは、実施の形態１で説明したものと同じであり、実質的な表示面積が可変できる表示エリアである。しかし、第４エリア３０３は、面積は固定であり、第１エリア３０Ｌ〜第３エリア３０Ｒの後方に接して横たわるように細長く形成されている。
【０５９１】
統合表示部３０の表面は、ガラス板で覆われており、周縁部を除く、略全域がユーザーの指の接触を感知する静電容量タッチ式パネルになっている。そこで、そのタッチ式パネル部分を、以下、「操作パネル」３１１と呼ぶ。なお、トッププレート１５の下側に統合表示部３０を配置した場合には、前記ガラス板は、トッププレート１５である。
【０５９２】
前記操作パネル３１１の全体は、前記第４エリア３０３に対応した「タッチ規制部分」と、第１エリア３０Ｌ〜第３エリア３０Ｒとして機能する部分（タッチ推奨部分）に分かれている。
３１０は、前記タッチ規制部分の裏側に、蒸着や印刷等で形成されている電極である。操作パネル３１１がトッププレート１５の一部で構成されている場合には、そのトッププレート１５の裏側に、蒸着や印刷等の手段によって、前記電極３１０が形成されている。
【０５９３】
前記電極３１０は、接触検知部（図示せず）に接触検知信号を送信するものであり、入力操作部４０が、統合制御装置ＭＣによって起動されている期間中、前記電極３１０の上方にユーザーがタッチしたことを、静電容量の変化から検知する。
【０５９４】
被加熱物Ｎの金属鍋等が統合表示部３０の位置まで突出して置かれている場合（異常な状態）も、その被加熱物Ｎの過剰接近を、前記電極３１０で検知できる。このため、被加熱物Ｎが統合表示部３０に異常に接近したり、上に覆い被さったりしたような異常な載置を統合制御装置ＭＣで検知して警報を出すことができる。
【０５９５】
前記電極３１０と接触検知部（図示せず）は、前記「タッチ規制部分」にユーザーが触れないような安全装置として機能する。つまり、誘導加熱時に高温になるトッププレート１５への、ユーザーの接触を最小限度に抑制できる。
【０５９６】
図４１から明らかなように、実施の形態１の中央操作部４０Ｍに具備していた各種入力キー４３Ｍ１〜４３Ｍ３は、この実施の形態２では不要であるため、削除している。
その代わり、図４３以下にて説明するタッチパネル入力装置３０１と、当該タッチパネルにおける操作情報を受け取るタッチジェスチャー判定装置３０２とを具備している。
【０５９７】
図４２の統合表示部３０は、実施の形態１の統合表示部３０よりも大きなサイズのものが使用されている。一般に、この種の表示部に採用されている、ＴＦＴ液晶モジュールの標準ラインナップを見ると、３．５インチ、３．９７インチ、４．３インチ、４．６インチ、５．０インチ等の大きさのものが提供されている。実施の形態１のものが、例えば３．５インチ又は３．９７インチであって場合、この実施の形態２では、それよりも１段階、２段階大きな画面サイズのものを使用できる。但し、図４３に示しているように、トッププレート１５は、左加熱部１７ＨＬや右加熱部１７ＨＲに接近する程、温度が高くなる傾向にある。そこで、統合表示部３０が高温報知部６９に接近しないように実施の形態１より前方ＦＲ側に配置している。
【０５９８】
実施の形態１の各種入力キー４３Ｍ１〜４３Ｍ３を省略できることにより、表示面積の大きな統合表示部３０にできる。このため、図４２に示すように第２エリア３０Ｍと第３エリア３０Ｒにおいても、制御メニューの中の条件の１つである目標温度や加熱時間等の情報を、より多く表示できる。
【０５９９】
図４２の３０Ｙは、目標温度や加熱時間等の「制御条件」の、次の候補を表示できる候補表示部である。図４２と図４３に示すように、候補表示部３０Ｙには、目標温度情報３０Ｔの次に選択できる候補の温度が表示される。
【０６００】
図４３に示したように、第２エリア３０Ｍにおいて表示された目標温度情報が「１８０℃」であった場合、候補表示部３０Ｙには、「１８５℃」という目標温度情報３０Ｔ１と、「１７５℃」という目標温度情報３０Ｔ２が表示される。
【０６０１】
また、第３エリア３０Ｒにおいては、表示された加熱時間情報が「１０分」であった場合、候補表示部３０Ｙには、「１０分３０秒」という（グリル調理時の）加熱時間情報３０ＧＹ１と、「９分３０秒」という加熱時間情報３０ＧＹ２が表示される。
【０６０２】
図４３に示しているＦＧは、ユーザーの指先を示している。ユーザーは、指先ＦＧで第１エリア３０Ｌ〜第３エリア３０Ｒに触れたまま、前方ＦＲ又は後方ＢＫに指先ＦＧを動かすことで、表示された制御メニューを、次の候補の制御メニューに変えることができる。
【０６０３】
図４３〜図４５において、２７Ｍ７は発光表示部２７Ｍの一部を構成する発光部である。実施の形態１では、スタート選択部（入力キー４３ＭＳ）に対応している発光部２７Ｍ６を、加熱停止用入力キー４３ＭＴが共用していたが、この実施の形態２では、加熱停止用入力キー４３ＭＴの専用に発光部２７Ｍ７を設けている。この発光部２７Ｍ７は、加熱開始前は通常の連続的な点灯を行い、加熱動作が開始された後は、点滅に変更して発光させても良い。なお、加熱動作開始前は、入力キー４３ＭＴによる入力は不要であるので、入力機能は無効にしてあり、加熱動作開始時点から、上記したように連続発光や点滅等の形態によって発光させて、ユーザーが容易に目視で確認できるようにしている。
【０６０４】
図４４を参照しながら、タッチパネル入力装置３０１と、タッチジェスチャー判定装置３０２について説明する。
【０６０５】
操作パネル３１１を構成している第１エリア３０Ｌ〜第３エリア３０Ｒは、ユーザーが行うタッチスチャー操作を受け付けるタッチジェスチャー入力手段である。また、タッチジェスチャー操作は、ユーザーの指先ＦＧなどの特定の動きによる情報入力操作である。
【０６０６】
タッチジェスチャー操作は、操作パネル３１１の表面を指先で軽く叩く操作であるタップ、操作パネル３１１の表面を指ではじく操作であるフリック、操作パネル３１１表面を指でなぞる操作（指を滑らす操作）であるスワイプを含むことができる。しかし、この実施の形態２では、ユーザーの指先ＦＧを前後方向に移動させるタッチジェスチャー操作だけが有効であると判定される。これについては、後で詳しく述べる。
【０６０７】
タッチジェスチャー操作は、指先ＦＧを引きずる操作であるドラッグ、操作パネル３１１の表面において複数本の指先でつまみながら指先の間隔を狭める操作であるピンチイン、操作パネル３１１の表面において複数本の指の間隔を広げる操作であるピンチアウトなどもあるが、これらも、無効なタッチジェスチャー操作であると操作判定部３１３に識別される。
【０６０８】
操作パネル３１１は、ユーザーによって行われる特定のタッチジェスチャー操作を受け付け、タッチジェスチャー操作に対応する入力操作情報（以下、「タッチ情報」と言う）ＩＰ１を出力する。
【０６０９】
操作パネル部３１１の真下には、操作パネル部３１１と重ねて配置され、制御メニューに関する各種情報（温度や火力等の、制御条件を含む）を示した操作画面の画像を表示する表示パネル３２０を配置している。表示パネル３２０は、例えば、液晶ディスプレイである。表示パネル３２０には、図４１に示したように、表示画面部３００を有している。
【０６１０】
図４４に示されるように、タッチジェスチャー判定装置３０２は、操作判定部３１３と、通知部３１８と、を有している。
【０６１１】
操作情報入力部３１２は、操作パネル部３１１から出力されたタッチ情報ＩＰ１を受け取る。操作情報入力部３１２は、受け取ったタッチ情報ＩＰ１に対応する入力情報ＩＰ２を操作判定部３１３に出力する。入力情報ＩＰ２は、タッチ情報ＩＰ１に対応する情報であり、タッチ情報ＩＰ１と同じ情報であってもよい。
【０６１２】
操作判定部３１３は、操作情報入力部３１２からタッチ情報ＩＰ１を受け取り、出力情報としての選択値信号ＩＰ３を、通知部３１８に対して出力する。操作判定部３１３から出力される選択値信号ＩＰ３は、操作判定部３１３がタッチ情報ＩＰ１を基礎にして決定した選択値の信号である。この実施の形態２では、選択値の信号は、制御メニューを決定する情報となる。
【０６１３】
操作判定部３１３は、受け取ったタッチ情報ＩＰ１から、ユーザーによるタッチジェスチャー操作の種類及び内容を判定する。
操作判定部３１３は、ジェスチャーモード判別部３１４と、ジェスチャー入力情報判定部３１５と、ジェスチャーエリア判定部３１６と、を有している。
【０６１４】
参照パラメータ記憶部には、ユーザーのジェスチャーの内、少なくともスライダーモードのパラメータが格納されている。パラメータの１例としては、タッチジェスチャー操作の予め定められた時間における移動量、タッチジェスチャー操作の速度、又はタッチ時間のいずれか１つ又は２つ以上の組み合わせに基づいて定められるパラメータである。
【０６１５】
ジェスチャーモード判定部３１４は、参照パラメータ記憶部の各種パラメータを参照して、入力情報ＩＰ２のジェスチャーモードを特定する。ジェスチャー入力情報判定部３１５は、ジェスチャーモード判定部３１４で特定されたジェスチャーモードでの値設定方式に従って選択値信号ＩＰ３を決定する。
【０６１６】
ジェスチャーエリア判定部３１６は、ユーザーが第１エリア３０Ｌ〜第３エリア３０Ｒの何れのエリアで、タッチジェスチャー操作を行ったのかどうかを識別する。
【０６１７】
通知部３１８は、操作判定部３１３によって、第１エリア３０Ｌ〜第３エリア３０Ｒの個々のエリア毎に、操作判定部３１３から選択値信号ＩＰ３を受ける。このため、通知部３１８は、第１エリア３０Ｌ〜第３エリア３０Ｒの個々の表示情報を切り替え、また、そのような切り替えについて報知するように音声合成装置９５に出力する。
【０６１８】
表示部駆動回路６３は、タッチジェスチャー判定装置３０２から、選択値信号ＩＰ４を受ける。この選択値信号ＩＰ４は、選択値信号ＩＰ３と同じ内容になる。
表示部駆動回路６３は、タッチジェスチャー判定装置３０２の判定結果に従い、統合表示部３０の前記表示パネル３２０の表示内容を切り替える。つまり、表示部駆動回路６３は、図４４に示されるように、表示パネル３２０に表示されるべき操作用画像の画像信号ＩＰ５を、表示パネル３２０に対して出力する。
【０６１９】
なお、図４４においては、タッチパネル入力装置３０１とタッチジェスチャー判定装置３０２は、ハードウエア（Ｈ／Ｗ）構成の形で図示した。しかし、図４４に示されるタッチジェスチャー判定装置３０２は、右側入力制御装置２３によって実現している。右側入力制御装置２３のソフトウエア記憶装置に、前記タッチジェスチャー判定プログラムを格納する記憶部を設けており、当該記憶部に格納されたタッチジェスチャー判定プログラムを、この右側入力制御装置２３のマイクロコンピューターにより実行させている。
【０６２０】
図４４において、３１９は、参考情報記憶部である。この参考情報記憶部３１９の中には、実施の形態１で説明した参考情報３０Ｐや付加情報３０Ｑが格納されている。
【０６２１】
以上のようにこの実施の形態２の加熱調理器１は構成されているので、加熱調理を開始する場合には、最初に主電源スイッチ９７を入れるために、入力操作部４０の操作キー９８を例えば数秒間押し続けると、この操作を電源スイッチ制御装置２８が検知し、フィルター回路基板５４の中にあるメインリレー１０７を閉じる。
【０６２２】
このため、フィルター回路基板５４から電源回路基板５５に商用電源の電力が供給される。そして電源回路基板５５の電源回路Ａ３４と電源回路Ｂ３６によって、所定の電圧の電源が生成され、統合制御装置ＭＣに印加される。
【０６２３】
統合制御装置ＭＣは、起動されると最初に加熱動作開始前の初期の自己診断を行い、異常が発生していないことを確認する。また、統合表示部３０を起動し、初期情報を表示する。
【０６２４】
この状態で、マイクロ波加熱装置１２０を使用するために、ユーザーが加熱室１１３のドア１１４を開けると、ドア開閉検知機構１３１がドア１１４の開放を示す信号を、制御装置１０５に送信する。このため、制御装置１０５は、ドア１１４の開放を示す信号を統合制御装置ＭＣへ送信する。統合制御装置ＭＣは、ユーザーがマイクロ波加熱調理を行うものと推定して、統合表示部３０にマイクロ波加熱を開始するための必要な情報を表示し、加熱開始のための入力を促す。
【０６２５】
ユーザーが、食品等を加熱室１１３に入れてドア１１４を閉めると、再びドア開閉検知機構１３１がドア１１４の閉鎖を示す検知信号を、前記制御装置１０５を経由して統合制御装置ＭＣに送信する。そのため、この状態で入力操作部４０から加熱開始の指令が行われると、右側入力制御装置２３は、マイクロ波加熱用の入力キーのタッチ入力有無を検知する。このため、右側入力制御装置２３から統合制御装置ＭＣに加熱開始指令を示す信号が送信される。
【０６２６】
前記右側入力制御装置２３は、中央操作部４０Ｍの入力も検知している。そのため、前記統合表示部３０の操作パネル３１１におけるタッチ情報に応じた選択値信号ＩＰ４を、表示部駆動回路６３に対して発信する。
【０６２７】
ここで再び図４３を参照しながら、ユーザーが、オーブン加熱源１８８とマイクロ波加熱源１８９を使用した加熱調理を行う操作について説明する。
図４３は、ユーザーが、オーブン加熱源１８８を使用して、制御メニュー「オーブン」を選択する場面を示している。
【０６２８】
図４３では、ユーザーの指先ＦＧが３本同時に描かれているが、３本の指先ＦＧで同時にタッチジェスチャー操作していることを示したものではない。左側の第１エリア３０Ｌから順次右側にタッチジェスチャー操作を、３回していることを示している。
【０６２９】
ユーザーが、第１エリア３０Ｌにタッチジェスチャー操作（以下、「タッチ操作」と省略する）した場合、タッチジェスチャー判定装置３０２の操作判定部３１３は、操作パネル部３１１の一部を構成する第１エリア３０Ｌからのタッチ情報ＩＰ１、このタッチ情報に対応した入力情報ＩＰ２を受ける。
【０６３０】
前記第１エリア３０Ｌに、制御メニュー「オーブン」が表示されている状態で、ユーザーが第１エリア３０Ｌにおいて、指先ＦＧを第１エリア３０Ｌに触れたまま、前方ＦＲ又は後方ＢＫに（一定の速度範囲で）動かすと、ジェスチャーモード判別部３１４によって正規の（特定）タッチジェスチャー操作であると認識され、タッチ情報が生成される。
【０６３１】
そして、前方ＦＲに操作したことを示すタッチ情報である場合、操作判定部３１３は、表示部駆動回路６３を介して第１エリア３０Ｌの表示を変更する。そして、次の候補である「グリル」又は「あたため」を第１エリア３０Ｌに表示させることができる。
【０６３２】
同様に、第２エリア３０Ｍにおいても、目標温度を選択できる。図４３では、デフォルト値で「１８０℃」と表示されているが、候補表示部３０Ｙに表示されている「１８５℃」という目標温度情報３０Ｔ１に変更することができる。また、後方ＢＫにタッチ操作すると、「１７５℃」という目標温度情報３０Ｔ２を中央部に表示させることができる。
【０６３３】
同様に、第３エリア３０Ｒにおいても、ジェスチャーモード判別部３１４によって認識されるようなタッチジェスチャー操作であれば、その都度、タッチ情報が生成され、第３エリア３０Ｒの表示情報を変更できる。
【０６３４】
この実施の形態２では、ジェスチャーモード判別部３１４によって認識されるようなタッチジェスチャー操作は、タッチしてからの移動方向が、前方ＦＲ又は後方ＢＫの何れか一方であるように設定されているため、前述したような、「ピンチイン」や「ピンチアウト」のようなタッチジェスチャー操作では、表示の切り替えはできない。後述する参照パラメータ記憶部３１７には、ユーザーのジェスチャーの内、スライダーモードに限定したパラメータが格納されている。そのため、スライダーモードとは判別できない状態では、表示の切り替えはできない。例えば前記した「ピンチイン」や「ピンチアウト」のタッチジェスチャー操作では、予め定められた時間における移動量、タッチジェスチャー操作の速度、又はタッチ時間等の組み合わせに基づくパラメータに合致しない結果になるからである。
【０６３５】
図４５は、図４０〜図４４の実施の形態２の変形例を示したもので、中央操作部４０Ｍと各種表示部の配置を説明するための前方部分の平面図である。
【０６３６】
この図４５の変形例における参照パラメータ記憶部３１７には、ユーザーのジェスチャーの内、少なくともスライダーモードのパラメータが格納されている。そのスライダーモードは、前後方向及びその前後方向と直角方向（右方向と±３０度の範囲）の２つの方向に指定してある。パラメータの１例としては、タッチジェスチャー操作の予め定められた時間における移動量、タッチジェスチャー操作の速度、又はタッチ時間のいずれか１つ又は２つ以上の組み合わせに基づいて定められるパラメータである。
【０６３７】
例えば、図４５に示す「ＲＧ手動」という制御メニューの名称の上にタッチされたまま、一定時間以上（例えば、３秒間、又は５秒間）タッチしている状況が続いた場合には、他の表示エリア、例えば第２エリア３０Ｍ又は第３エリア３０Ｒに、タッチしている制御メニューの解説や、個々の制御メニューの制御条件を決める参考情報、制御メニューに対応した調理の注意事項（鍋等の調理器具を含む）等を、面積が小さい追加画面３０ＡＤの形式にして文字や図形等で表示しても良い。図４５では、食品を入れる容器について付加情報３０Ｑを、文字で表示させた例である。
【０６３８】
更に、音声合成装置９５による音声ガイドでユーザーの操作を補うような助言を行っても良い。このように変更するには、前記ジェスチャーモード判別部３１４のジェスチャー判定データと、参照パラメータ記憶部３１７のパラメータ情報を拡充又は変更する必要がある。
【０６３９】
図４５では、第１エリア３０Ｌに指先ＦＧをタッチしたまま、右方向に動かす図であるが、このように右方向に指先ＦＧが動いた場合には、前記ジェスチャーモード判別部３１４は、１つ前の表示内容に戻すことと判別する。そのため、図４５に示した追加画面３０ＡＤは、消される。
【０６４０】
前記ジェスチャーモード判別部３１４と参照パラメータ記憶部３１７は、ユーザーの厳密な右方向だけのタッチジェスチャーを検知するのではなく、一定の検知幅を持って指先ＦＧの軌跡を検知するようにしてある。そのため、多少斜めに指先を動かしても、追加画面３０ＡＤのキャンセル指令であると前記ジェスチャーモード判別部３１４が判別できる。なお、このように右方法のタッチジェスチャーで追加画面３０ＡＤを消すのではなく、表示から一定時間で自動的に消す方法または追加画面３０Ｄに、再度タッチした場合には、即座に消す方法等に変更しても良い。
【０６４１】
図４６は、図４０の加熱調理器の統合表示部３０の表示動作を示す説明図１である。
この図４６から明らかなように、統合制御装置ＭＣは、起動されると最初に加熱動作開始前の初期の自己診断を行い、異常が発生していないことを確認する。また、統合表示部３０を起動し、初期情報として、待機時共通情報３０Ｎを表示する。
【０６４２】
統合制御装置ＭＣは、前記入力操作部４０によって、前記マイクロ波加熱源９と前記オーブン加熱源１８８の何れかが選択される前においては、前記表示画面３０Ｄにおいて、前記マイクロ波加熱源１８９と前記オーブン加熱源１８８の待機時共通情報を表示し、前記マイクロ波加熱源１８９と前記オーブン加熱源１８８の何れかが選択された後においては、前記第１のエリア３０Ｌ、前記第２のエリア３０Ｍ及び前記第３のエリア３０Ｒに区画して、「制御メニュー」や「制御条件」の表示をする。
【０６４３】
以下、具体的に図４６を参照しながら、入力操作部４０と統合表示部３０の動作について説明する。
主電源スイッチ９７をＯＦＦにしている状態では、統合表示部３０は起動されていないので、何も情報を表示していない。
主電源スイッチ９７をＯＮにした状態では、統合制御装置ＭＣは、前述したように異常有無等の自己診断を行ったあとで、図４６の表示画面１を統合表示部３０で表示する。
【０６４４】
図４６の表示画面１は、実施の形態１の図３２で説明した表示画面１と同じである。
３０Ｂは、インターネット経由で専用のレシピ掲載サイトに誘導するための二次元情報（二次元コード）である。３０Ｃは、その二次元コードの意味を説明した文章である。この二次元情報３０Ｃと、前記表示文は、「待機時共通情報」３０Ｎの１種である。
【０６４５】
表示画面１が表示されたあと、自動的に表示画面２Ａ又は２Ｂが表示される場合がある。また、表示画面２Ｃ〜２Ｅが表示される場合がある。表示画面２Ａにおいて、「突沸注意」は、注意表示の１つである。
【０６４６】
この実施の形態２では、実施の形態１で説明した表示画面２Ａと２Ｂに加え、表示画面２Ｃ〜２Ｅの３つの表示画面を表示できるところが特徴の１つである。
【０６４７】
実施の形態１で説明したが、加熱室１１３を使用して、マイクロ波加熱とオーブン加熱を組み合わせて加熱調理する制御メニューを「レンジグリル調理」と呼んでいた。この実施の形態２においても、レンジグリル調理では、マイクロ波加熱を先に行い、ある程度食品を加熱してから、上部ヒータ１６３Ａや下部ヒータ１６３Ｂで加熱するパターンと、この逆の順序で加熱するパターン、及びマイクロ波加熱とヒータ加熱を同時に行うパターンの３種類がある。
【０６４８】
一般に、耐熱性のプラスッチック容器や食器類に被調理物を入れてマイクロ波加熱を行うことが良く行われるが、このままの状態で、次に上部ヒータ１６３Ａや下部ヒータ１６３Ｂを発熱させた場合、上記した容器等が高熱で焼損するおそれがある。
【０６４９】
そこで、表示画面２Ｃでは、制御メニューの「レンジグリル（ＲＧ）」では、加熱室１１３の内部にプラスチック容器を入れて加熱しないよう警告した注意表示文３０Ｅを表示させた例である。つまり、「レンジグリル」という制御メニューの実行にあたり、この注意表示文３０Ｅは、この発明でいう「待機時共通情報」３０Ｎの１種である
【０６５０】
表示画面２Ｄは、加熱室１１３の内部にマイクロ波を導入して「あたため」の制御メニューの加熱調理をする場合に関するものであり、グリル庫（加熱室１１３）の温度が高く、「あたため」の制御メニューは選択できないことを告知した例である。３０Ｅが、「レンジ自動」は使えないことを示す注意表示文３０Ｅである。
【０６５１】
「あたため」（レンジ自動）の制御メニューでは、非接触（赤外線）温度計測部１５８が加熱室１１３内の被調理物の温度や加熱室１１３壁面温度を検知して、目標温度に到達した段階で自動的にマイクロ波の発振を停止する。そのため、以前行った調理時の熱が残っていて温度が最初から高い場合には、マイクロ波加熱を自動で行うことを統合制御装置ＭＣで禁止している。そこで、図４６の表示画面２Ｄに示すように、「レンジ手動」の制御メニューを選ぶようにユーザーに報知している。「レンジ手動」は、マイクロ波加熱時間を設定して行うものであるので、加熱室１１３内の被調理物の温度や加熱室１１３壁面温度が高くても、何ら支障なく調理できる。この表示画面３Ｄの表示文３０Ｅも、この発明でいう「待機時共通情報」３０Ｎの１種である。
【０６５２】
表示画面２Ｅにおいて、３０Ｅは、トッププレート１５が高温度になっていて、不用意に接触しないように警告した注意表示である。トッププレート１５の上に金属鍋や金属プレート等の被加熱物Ｎを置いて、誘導加熱すると、被加熱物Ｎの温度を受けてトッププレート１５も高温度になる。そこで、実施の形態１と同様に、加熱源表示部６８の直ぐ後方位置に高温報知部６９を設けているが、この高温報知部６９に加えて、統合表示部３０においても、同様な高温報知を行う場合に、この表示画面２Ｅが使用される。この表示画面２Ｅにおいて、のトッププレート１５が熱いことを示した表示文３０Ｅも、この発明でいう「待機時共通情報」３０Ｎの１種である。
【０６５３】
表示画面２Ｃ〜２Ｅは、常に主電源スイッチ９７をＯＮにした場合に、表示されるものではなくて良い。
例えば、以下のようなパターン分けをする。
（１）トッププレート１５が高温度になっていたときは、表示画面１と表示画面２Ｅを、数秒間隔で交互に表示させる。
（２）加熱室１１３が高温度になっていたときは、表示画面１と表示画面２Ｄを、数秒間隔で交互に表示させる。又は、表示画面１と表示画面２Ｂを、数秒間隔で交互に表示させる。
（３）主電源スイッチ９７を入れる前の、前回の調理、又は過去数回の調理時に「レンジグリル」の制御メニューで調理された実績（履歴）データがある場合には、表示画面１と表示画面２Ｃを、数秒間隔で交互に表示させる。なお、統合制御装置ＭＣは、１回の加熱調理時の「制御メニュー」の実行回数を自動的に蓄積し、記憶部ＭＭに過去の加熱調理履歴として記憶している。そのため、主電源スイッチ９７がＯＮされたあと、上記加熱調理履歴を参照して、レンジグリル調理の実績を把握できる。
【０６５４】
なお、トッププレート１５が高温度になっていて、しかも加熱室１１３も高温度になっていたときは、表示画面１を最初に数秒間表示させ、その後は、表示画面２Ｄと表示画面２Ｅを、数秒間隔で交互に表示させるようにすればよい。なお、以上のような各表示画面２Ａ〜２Ｅの「待機時共通情報」３０Ｎの内容は、音声合成装置９５によって音声で報知しても良い。
【０６５５】
図４６の表示画面１〜表示画面２Ｅによって明らかなように、これら表示は、表示画面３０Ｄの全体を利用して行っている。つまり、前述した第１エリア３０Ｌ〜第３エリア３０Ｒの何れかで部分的に表示するのではなく、できるだけ広い表示面積を確保するため、第１エリア３０Ｌ〜第３エリア３０Ｒの３つを識別できないように一体化表示をして、ユーザーには統合表示部３０の全体で表示しているように見せている。
【０６５６】
統合制御装置ＭＣは、マイクロ波加熱動作を制御する制御装置１０５に駆動指令を発信し、リレー１８２を閉じ、インバーター回路１２１Ａを駆動してマイクロ波加熱を開始する。また同時に第３冷却ファン１２８と第４冷却ファン１２９の駆動回路１７７Ａ、１７７Ｂに運転指令信号を出して、それら２つの冷却ファン１２８、１２９の運転を開始する。さらに、図４０には示していないが、アンテナ駆動用モータ１２６を駆動してアンテナ１２５を回動させる。これにより加熱室１１３の内部にはマイクロ波が導入され、食品を加熱調理する。
【０６５７】
以上の説明から明らかなように、マイクロ波加熱調理を行っている期間中は、上部ユニット１００の第１冷却ファン６０と第２冷却ファン６１は、全く運転はされない。そのため、加熱調理器１全体の消費電力を少なく抑えることができる。
【０６５８】
なお、入力操作部４０を構成する右操作部４０Ｒと、左操作部４０Ｌにおけるタッチ式入力キー部は、静電容量の変化を検知する電極を、個々のタッチキーエリアに対応して設けるため、そのような電極と、各タッチキーの部分を光で照らすためのＬＥＤ（発光ダイオード）等、多数の部品を必要とする。そのため、図４０では示していないが、タッチ式入力キー部を構成する部品は、前記中央操作基板３２と左側操作基板３８に実装されている。なお、電源スイッチ９７の入力用キー９８の部品もその中央操作基板３２に実装されている。
【０６５９】
第１エリア３０Ｌ〜第３エリア３０Ｒに、希望する制御メニューが表示されている状態で、ユーザーが入力キー４３ＭＳにタッチすれば、その第１エリア３０Ｌ〜第３エリア３０Ｒに表示されている条件が、右側入力制御装置２３において確定情報（確定の制御メニュー、確定値）と認識され、統合制御装置ＭＣに送信される。以後、この確定情報に基づいて制御が実行される。
【０６６０】
この実施の形態２の加熱調理器１は、
被加熱物を加熱する誘導加熱源９を有し、厨房家具に支持される上部ユニット１００と、
前記上部ユニット１００に取り付けられ、加熱室１１３を内蔵した下部ユニット２００と、を備え、
前記下部ユニット２００には、前記加熱室１１３にマイクロ波を供給するマイクロ波加熱装置１２０と、前記加熱室を加熱するオーブン加熱装置１４０と、を配置し、
前記上部ユニットには、前記誘導加熱源１７を制御する制御装置９０と、前記マイクロ波加熱装置１２０とオーブン加熱装置１４０の両者を制御する制御装置１０５と、これら２つの制御装置（スレーブマイコン）９０、１０５を統合制御する制御装置ＭＣ（マスターマイコン）ＭＣと、を備え、
前記上部ユニット１００には、商用電源９９からの電力を受けるフィルター回路基板５５と、前記フィルター回路基板５５からの電力を規定の電源電圧に変換する電源回路５５（３４，３６）と、を備え、
前記制御装置１０５と制御装置９０及び前記統合制御装置ＭＣは、前記電源回路５５（３４，３６）で生成した低い電圧の電力が電源として供給され、
前記誘導加熱源１７のインバーター回路８１と、前記マイクロ波加熱装置１２０のマイクロ波発生源１２２と、前記オーブン加熱装置１４０の上部ヒータ１６３Ａ、下部ヒータ１６３Ｂは、前記フィルター回路５４と前記電源回路５５（３４，３６）との間から分配された電力（２００Ｖ電源）が印加される構成である。
【０６６１】
この構成により、加熱調理器１の全体の電源構成が簡略化され、また不要なノイズの伝搬等を抑制して確実な動作が期待できる。
【０６６２】
この実施の形態２の加熱調理器１は、以下の形態で、発明を実施していた。
すなわち、マイクロ波加熱源１８９を内蔵した本体１１０と、
加熱室１１３内を加熱するオーブン加熱源１８８と、
ユーザーの操作を受け付ける入力操作部４０と、
前記マイクロ波加熱源１８９と前記オーブン加熱源１８８に共用され、表示画面を有する統合表示部３０と、
前記マイクロ波加熱源１８９と前記オーブン加熱源１８８を制御する制御部（統合制御装置ＭＣ、制御装置１０５）と、を備え、
前記入力操作部４０には、制御メニュー群の中から特定の制御メニューを選択するための入力装置（タッチパネル入力装置３０１、タッチジェスチャー判定装置３０２）と、前記第マイクロ波加熱源と前記オーブン加熱源の加熱動作を指令できるスタートキーと、を有し、
前記制御部は、前記入力装置に対するユーザーの操作に応じて、１つの制御メニューと、当該制御メニューに適用される加熱強度又は目標温度、加熱時間等の「制御条件」情報の１つとの組み合わせを示す情報を、前記表示画面に表示させ、
前記制御部は、前記制御メニューと、前記「制御条件」情報の１つとの組み合せとは別の、次に選択できる「制御条件」の情報を（候補表示部３０Ｙに）表示させる構成を備えていた。
【０６６３】
この構成によれば、１つの加熱調理器において、マイクロ波加熱とオーブン加熱の両方が実施でき、幅広い調理に対応できる利便性が高い加熱調理器となる。
【０６６４】
しかも、マイクロ波加熱源１８９とオーブン加熱源１８８に共用される統合表示部３０の表示画面３０Ｄにおいて、マイクロ波加熱を行う場合の１つの制御メニューの選定において、その特定の制御メニュー（例えば、「あたため」）を選択して調理開始をスタートさせる前に、その制御メニューと１つ以上の「制御条件」情報（マイクロ波加熱時間と、グリル調理時間情報との組み合せ）とは別の、次に優先的に選択できる制御条件情報（例えば、図４２の「ＲＧ手動」では、時間「１分」に対して「５０秒」と「１分１０秒」の組み合せも、表示させる）ので、ユーザーによる制御メニューの確定作業を簡単に行えるように支援できる。このため、複合型加熱調理器であっても使い勝手が良い加熱調理器とすることができる。
【０６６５】
さらに、図４４で説明したように、入力装置として、タッチパネル入力装置３０１とタッチジェスチャー判定装置３０２とを設けて、統合表示部３０の表示画面を、ユーザーのタッチ操作によって入力する方式にしているので、タッチ用のキーやボタン等のハードウエア（構造物）を入力操作部４０に形成しなくとも、制御メニューの入力が行える。また、複数の入力キーの機能も考えずに、直感的な操作ができる。このため、ユーザーの操作負担感が軽減され、またハードウエア（構造物）が占めるスペースに、別の構造物を配置したり、あるいはそのスペース増加分に応じて統合表示部の表示画面を大きなものにすることが可能となったりするから、結局はユーザーのメリットを増すことができる。
【０６６６】
実施の形態２では、前記統合制御装置ＭＣは、電源が供給されると、最初に前記表示画面３０Ｄに、前記待機時共通情報３０Ｎを表示し、その表示状態を数秒から１０秒程度継続した後、前記中央操作部４０Ｍと、前記右操作部４０Ｒと、前記左操作部４０Ｌの入力機能を有効にしていた。つまり、主電源スイッチ９７をＯＮした直後には、誘導加熱源９と、マイクロ波加熱源１８９と、前記オーブン加熱源１８８の選択ができない状態にしていた。
【０６６７】
これに対して、前記待機時共通情報３０Ｎを表示した瞬間（例えば、図４６の表示画面１参照）から、前記中央操作部４０Ｍと、前記右操作部４０Ｒと、前記左操作部４０Ｌの入力機能を有効にする方式に変更しても良い。これによれば、習熟したユーザーのように使用方法を良く理解したユーザーでは、待機時共通情報の表示が終わる前に、加熱源の選択を終え、早期に調理開始のステップに進めることができる。
【０６６８】
以上の通り、この実施の形態２の構成によれば、１つの加熱調理器において、誘導加熱と、マイクロ波加熱とオーブン加熱の３種類の加熱形態が実施でき、幅広い調理に対応できる利便性が高い加熱調理器となる。
しかも、マイクロ波加熱源１８９とオーブン加熱源１８８に共用される統合表示部３０の表示画面３０Ｄにおいて、加熱動作開始前にユーザーに有益な待機時共通情報３０Ｎを表示させる。このため、３種類の加熱形態を使用できる複合型加熱調理器であっても、使い勝手が良い加熱調理器とすることができる。
【０６６９】
その他の実施の形態．
実施の形態１〜２で示したような上部ユニット１００と下部ユニット２００の双方を同時に必要でないユーザー（使用者）の場合には、上部ユニット１００と下部ユニット２００の販売や厨房家具２への設置作業は別個になる。そして、下部ユニット２００は例えばオプション品で設定される。このような場合には、例えば、上部ユニット１００と下部ユニット２００のセット販売の梱包形態と、上部ユニット１００だけの販売に備えた梱包形態を別に設定しておけば、販売時の利便性を損なうことがない。
【０６７０】
本発明に実施にあたり、実施形態１〜２で示したように、上部ユニット１００と下部ユニット２００を、別々の筐体で構成することは必須ではない。そのため、上部ユニット１００と下部ユニット２００を最初から１つの筐体（本体ケース）で構成しても良い。
【０６７１】
誘導加熱回路は、ＩＨコイル１７Ｌ、１７Ｒの形態や数等に応じて、ハーフブリッジ回路、フルブリッジ回路等、色々な駆動方式を採用しても良い。例えば、フルブリッジ回路では、日本特許第６１３０４１１号特許公報や、日本特許第６１７３６２３号公報で提案されている。
また、ＩＨコイルについては、ドーナッツ状の形態だけではなく、例えば日本特許第５５３８５４６号公報に示されているように、円環状の主加熱コイルと、この主加熱コイルの両側に近接して配置され、主加熱コイルの半径より小さな横幅寸法を有する扁平形状の第１副加熱コイル及び第２副加熱コイルと、を備えた誘導加熱部でも良い。
【０６７２】
更に、実施の形態１では、誘導加熱を開始する際に、火力を設定しなくともデフォルト条件（火力値や火力レベル）で誘導加熱動作に入り、その後に希望する火力をユーザーが決めるという加熱開始操作方法を採用していた。しかしながら、この方法以外でも良い。例えば、主電源投入後に必ず、目的の誘導加熱源と、火力値（ワット）や火力レベル（火力「大」〜「小」のような段階の１つ）とを決めて、スタート指令を行う必要がある操作方法を採用しても良く、そのような方法でも本発明の本質的な効果には影響がない。
【０６７３】
以上の説明では、加熱調理器１の代表例として、２つの誘導加熱部を備えた加熱調理器の場合で本発明を説明したが、例えば左右と中央の計３個所に誘導加熱部を設けた加熱調理器に変更しても良い。
【０６７４】
実施の形態２では、マイクロ波加熱調理を行っている期間中は、上部ユニット１００の第１冷却ファン６０と第２冷却ファン６１の双方とも運転をしなかったが、第１冷却ファン６０と第２冷却ファン６１の双方又は何れか一方を運転しても良い。第１冷却ファン６０と第２冷却ファン６１の少なくとも何れか一方を運転すると、上部ユニット１００の内部空間に外部の空気が連続して導入され、上部ユニット１００の温度を低く抑制できる利点がある。
【０６７５】
実施の形態において説明した各処理のうち、自動的に行われるものとして説明した処理の全部または一部を手動的に行うこともできる。また手動的に行われるものとして説明した処理の全部または一部を公知の方法で自動的に行うこともできる。
【０６７６】
また図示した各回路、部品、装置の各構成要素は機能概念的なものであり、必ずしも物理的に図示の如く構成されていなくとも良い。さらに特に図１５で説明した統合制御装置ＭＣ、マイクロ波加熱制御部１３０、加熱室制御部１５９、表示部駆動回路６３は、これら各装置・回路の機能の分散・統合が可能であり、具体的形態は図示のものに限られず、その全部または一部を、機能や動作状況などに応じて、任意の単位で機能的または物理的に分散・統合して構成することができる。
【０６７７】
例えば、図１５に示した記憶装置ＭＭと記憶装置９０Ｒのデータやプログラムの一部は、加熱調理器１が保持せずに、外部の記録媒体（ストレージサーバ等）に保持されてもよい。この場合、加熱調理器１は、外部の記録媒体（ストレージサーバ）にアクセスすることで、必要なデータやプログラムの情報を取得する。
【０６７８】
さらに特に図１５で説明した統合制御装置ＭＣ、マイクロ波加熱制御部１３０、加熱室制御部１５９、表示部駆動回路６３の動作プログラムは、ユーザーの希望により、又は加熱調理器１の製造業者等の希望によって、適宜改善されたものに更新するようにしても良い。この場合、例えば、無線通信部４９を通じて修正プログラムを入手するようにしても良い。
【０６７９】
今回開示された実施の形態はすべての点で例示であって制限的なものではないと考えられるべきである。本発明の実質的な範囲は、上記した説明ではなく、特許請求の範囲によって示され、特許請求の範囲と均等の意味および範囲内でのすべての変更が含まれることが意図されている。
【産業上の利用可能性】
【０６８０】
本発明に係る加熱調理器と厨房家具は、一般住宅の台所だけではなく、公共施設や店舗等の調理場でも広く利用することができる。
【符号の説明】
【０６８１】
１  誘導加熱調理器
２  厨房家具
２Ａ  設置口
２Ｂ  前方開口
２Ｐ  口縁部上面
３  表面材
４  表面材
５  表面材
６  表面材
７  枠線
８  壁
９  誘導加熱源
１０  上部ユニットの本体
１５  トッププレート
１６  上部ケース（上筐体）
１６Ａ  フランジ
１６Ｂ  後方垂直壁
１６Ｆ  前方垂直壁
１６Ｌ  側方垂直壁
１６Ｒ  側方垂直壁
１６Ｓ  底壁（底面）
１７  誘導加熱源
１７Ｃ  コイルベース（コイル支持枠）
１７ＣＨ  腕
１７  誘導加熱部
１７ＨＬ  左加熱部
１７ＨＲ  右加熱部
１７Ｌ  ＩＨコイル（誘導加熱コイル）
１７Ｒ  ＩＨコイル（誘導加熱コイル）
１８  開口
１９  排気カバー
２０  排気口
２１  飾り枠
２２  補強板
２３  右側入力制御装置
２４  左側入力制御装置
２５  飾り枠
２６  クッション材
２７  発光表示部
２７Ｌ  発光表示部
２７Ｍ  発光表示部
２７Ｒ  発光表示部
２７Ｌ１〜２７Ｌ４  個別発光部
２７Ｍ１〜２７Ｍ６  個別発光部
２７Ｒ１〜２７Ｒ５  個別発光部
２８  電源スイッチ制御装置
３０  統合表示部（中央表示部）
３０Ａ  表示文
３０ＡＤ  追加画面
３０Ｂ  表示文
３０Ｃ  二次元情報
３０Ｄ  表示画面
３０Ｅ  注意表示
３０Ｆ  説明文
３０Ｇ  注意文
３０Ｈ  推奨文
３０Ｊ  特定文
３０Ｋ  加熱源表示部
３０Ｌ  第１エリア
３０Ｍ  第２エリア
３０ＭＹ  マイクロ波加熱時間情報
３０Ｎ  待機時共通情報
３０ＧＹ  グリル調理の加熱時間情報
３０Ｐ  案内情報
３０Ｑ  文字情報（付加情報）
３０Ｒ  第３エリア
３０Ｓ  加熱時間情報
３０Ｔ  目標温度情報
３０Ｖ  出力レベルを示す情報
３０Ｘ  出力値（ワット値）情報
３０Ｙ  候補表示部  
３１Ｌ  左側表示部
３１Ｒ  右側表示部
３２  中央操作基板
３３  整流回路
３４  電源回路Ａ
３５  整流回路
３６  電源回路Ｂ
３７Ｌ  駆動回路
３７Ｒ  駆動回路
４０  入力操作部
４０Ｌ  左操作部
４０Ｍ  中央操作部
４０Ｒ  右操作部
４１  操作基板
４２  基板ホルダー
４３Ｌ１〜４３Ｌ４  入力キー
４３Ｍ１  入力キー
４３Ｍ２  入力キー
４３Ｍ３  入力キー
４３ＫＰ  入力キー
４３Ｌ１〜４３Ｌ４  入力キー
４３Ｍ１〜４３Ｒ３  入力キー
４３ＭＣ  入力キー
４３ＭＳ  入力キー
４３ＭＴ  入力キー
４３Ｒ１〜４３Ｒ４  入力キー
４４Ｌ  入力キー
４４Ｒ  入力キー
４５Ｌ  入力キー
４５Ｍ  入力キー
４５Ｒ  入力キー
４６Ｌ  窓
４６Ｒ  窓
４７  入力キー
４８  赤外線発信部
４９  無線通信部（無線通信モジュール）
５１  ネジ
５１Ｆ  ネジ
５２  仕切り板
５２Ａ  排気窓
５３  排気口板
５３Ａ  貫通孔
５４  フィルター回路基板
５５  電源回路基板
５６  チョークコイル
５７  トランス
５８  コンデンサー
５９  ダイオードブリッジ回路（ダイオードモジュール）
６０  第１冷却ファン
６０Ａ  吹出口
６０Ｃ  ファンケース
６０Ｍ  モータ
６０Ｐ  駆動回路
６１  第２冷却ファン
６１Ａ  吹出口
６１Ｃ  ファンケース
６１Ｍ  モータ
６１Ｐ  駆動回路
６２  冷却ファン駆動回路
６３  表示部駆動回路
６４  通気孔        
６７Ｌ  火力表示部
６７Ｈ  保温表示部
６７Ｒ  火力表示部
６８  加熱源表示部
６８Ｌ  表示部
６８Ｍ  表示部
６８Ｒ  表示部
６９  高温報知部
７０  カバー
７１  支持板
７２  電力制御部（デマンド制御部）
７３  信号伝達部
７４  駆動回路
７５  直流電源回路
７６  共振コンデンサー
７７ａ  入力電流検出部
７７ｂ  出力電流検出部
７８ａ  ダイオードブリッジ
７８ｂ  リアクタ
７８ｃ  平滑コンデンサー
７９ａ  ＩＧＢＴ
７９ｂ  ＩＧＢＴ
７９ｃ  ダイオード
７９ｄ  ダイオード
８０  インバーター回路基板
８１  インバーター回路
８１Ｌ  インバーター回路
８１Ｒ  インバーター回路
８２  ヒートシンク
８２Ｆ  放熱フィン
８３  電力制御用スイッチング素子
８４  感振機器
８５  電気部品
９０  ＩＨ制御装置
９０Ｒ  記憶装置
９１  電源回路
９２  直流電源変換部
９３  温度検出回路
９４Ｌ  誘導加熱回路
９４Ｒ  誘導加熱回路
９５  音声合成装置
９５Ｓ  スピーカー
９６  時計回路
９７  主電源スイッチ
９８  主電源スイッチの操作ボタン又は操作キー
９９  商用電源（商用交流電源）
１００  上部ユニット
１０１  下部ケース（下筐体）
１０１Ｃ  傾斜部
１０１Ｆ  前板
１０１Ｈ  胴部
１０１Ｕ  底板
１０１Ｌ  側方垂直壁
１０１Ｔ  前方水平壁
１０１Ｒ  側方垂直壁
１０２  排気ダクト
１０２Ａ  内部通路
１０２Ｂ  内部通路
１０２Ｅ  終端部
１０４  空洞
１０５  制御装置
１０６  電源コード
１０６Ａ  プラグ
１１０  本体
１１１  傾斜部
１１２  前カバー
１１３  加熱室
１１３Ａ  開口
１１３Ｂ  背面壁（後壁面）
１１３Ｔ  凹部
１１４  ドア
１１５  取っ手部
１２０  マイクロ波加熱装置
１２０Ｐ  電源回路部
１２１  インバーター回路基板
１２１Ａ  インバーター回路（駆動回路）
１２２  マグネトロン（マイクロ波発生源）
１２２Ａ  発振部
１２２Ｈ  放熱部
１２３  導波管
１２４  アンテナケース
１２５  アンテナ
１２６  アンテナ駆動用モータ
１２６Ａ  回動軸
１２７  電源回路基板
１２８  第３冷却ファン（前方側冷却ファン）
１２９  第４冷却ファン（後方側冷却ファン）
１３０  マイクロ波加熱制御部
１３１  ドア開閉検知機構
１３２Ａ  ラッチスイッチ
１３２Ｂ  ドアスイッチ
１３３  モニタースイッチ
１３４  ピン
１３５  ピン
１３６Ａ  連動棒
１３６Ｂ  連動棒
１３７  支持板
１３８Ａ  連通口
１３８Ｂ  連通口
１３９  閉鎖検知部
１４０  オーブン加熱装置
１４１  空間（天井部空間）
１４２  空間（側面部空間）
１５０  ケースＡ
１５１  ケースＢ
１５２Ｂ  吸気口
１５２Ｆ  吸気口
１５３  ダクト
１５４  ケースＣ
１５４Ａ  蓋体
１５４Ｂ  本体
１５８  非接触温度計測部（赤外線温度計測部）
１５９  加熱室制御部
１６０  温度センサー
１６１  検知窓
１６２  調理皿
１６３  ヒータ
１６３Ａ  上部ヒータ
１６３Ｂ  下部ヒータ
１６４  通気孔
１６５  凹部（吸気ダクト）
１６６Ｌ  左側仕切板
１６６Ｒ  右側仕切板
１６７  上部遮熱板
１６８  下部遮熱板
１６９  上部ケース
１７０  下部ケース
１７１  仕切板
１７２  通路
１７３  連通口
１７４  連通口
１７６  ヒンジ
１７８Ａ  リレー
１７８Ｂ  リレー
１８０  給電口
１８１  カバー
１８２  リレー
１８４  シール材
１８５  電波封印室
１８８  オーブン加熱源（加熱室加熱源）
１８９  マイクロ波加熱源
１９０  フレーム
１９１  カバー
１９２  内枠
１９２Ｗ  覗き窓（開口）
１９３  内側シール枠
１９４  チョーク室
１９５  シール板
１９６  シール板
１９７  上部遮蔽板
１９９  風向板
２００  下部ユニット
２０１  導入口
３００  表示画面部
３０１  タッチパネル入力装置
３０２  タッチジェスチャー判定装置
３１１  操作パネル
３１２  操作情報入力部
３１３  操作判定部
３１４  ジェスチャーモード判定部
３１５  ジェスチャー入力情報判定部
３１６  ジェスチャーエリア判定部
３１７  参照パラメータ記憶部
３１８  通知部
３１９  参考情報記憶部
３２０  表示パネル
ＡＬ  トッププレートの露出範囲
ＢＨ  深さ寸法
ＢＴ１  専用電源（内蔵電池）
ＣＫ  ＩＨコイル設置空間
ＤＰ１  深さ（寸法）
Ｆ１  第１風路
Ｆ２  第２風路
ＦＧ  ユーザーの指先
ＦＩ  入口
ＦＯ  出口
ＧＰ１  空隙
ＧＰ５Ｌ  空隙
ＧＰ５Ｒ  空隙
ＧＰ６  空隙
ＧＰ７  空隙
ＧＰ８  空隙
ＧＰ９  空隙
ＧＰ１０  空隙
ＨＬ１  第１の水平線
ＨＬ２  第２の水平線
Ｈ１  最大高さ寸法
ＨＰ１  第１の水平面
ＨＶ  有効高さ寸法
ＨＸ  最大高さ寸法
ＩＰ１  タッチ情報（入力操作情報）
ＩＰ２  入力情報
ＩＰ３  選択値信号
ＩＰ４  選択値信号
ＩＰ５  画像信号
ＬＡ  突出寸法
ＬＦ  排気口寸法
ＭＣ  統合制御装置
ＭＭ  記憶装置
Ｎ  被加熱物
ＲＦ１  冷却風
ＲＦ２  冷却風
ＲＦ３  冷却風
ＲＦ４  冷却風
ＲＦ５  冷却風
ＲＦ６  冷却風
ＷＨ  内側横幅寸法（間口寸法）。
【図１】
2020133994.tif 000003
【図２】
2020133994.tif 000004
【図３】
2020133994.tif 000005
【図４】
2020133994.tif 000006
【図５】
2020133994.tif 000007
【図６】
2020133994.tif 000008
【図７】
2020133994.tif 000009
【図８】
2020133994.tif 000010
【図９】
2020133994.tif 000011
【図１０】
2020133994.tif 000012
【図１１】
2020133994.tif 000013
【図１２】
2020133994.tif 000014
【図１３】
2020133994.tif 000015
【図１４】
2020133994.tif 000016
【図１５】
2020133994.tif 000017
【図１６】
2020133994.tif 000018
【図１７】
2020133994.tif 000019
【図１８】
2020133994.tif 000020
【図１９】
2020133994.tif 000021
【図２０】
2020133994.tif 000022
【図２１】
2020133994.tif 000023
【図２２】
2020133994.tif 000024
【図２３】
2020133994.tif 000025
【図２４】
2020133994.tif 000026
【図２５】
2020133994.tif 000027
【図２６】
2020133994.tif 000028
【図２７】
2020133994.tif 000029
【図２８】
2020133994.tif 000030
【図２９】
2020133994.tif 000031
【図３０】
2020133994.tif 000032
【図３１】
2020133994.tif 000033
【図３２】
2020133994.tif 000034
【図３３】
2020133994.tif 000035
【図３４】
2020133994.tif 000036
【図３５】
2020133994.tif 000037
【図３６】
2020133994.tif 000038
【図３７】
2020133994.tif 000039
【図３８】
2020133994.tif 000040
【図３９】
2020133994.tif 000041
【図４０】
2020133994.tif 000042
【図４１】
2020133994.tif 000043
【図４２】
2020133994.tif 000044
【図４３】
2020133994.tif 000045
【図４４】
2020133994.tif 000046
【図４５】
2020133994.tif 000047
【図４６】
2020133994.tif 000048